(57)【要約】【課題】ＵＥの開始によってトリガリングされたアクセス登録解除手続を提案し、ネットワークの開始によってトリガリングされたアクセス登録解除手続を提案する。【解決手段】本発明の一態様は、無線通信システムでＡＭＦによるネットワーク−開始登録解除方法において、ＵＤＭから加入者情報の削除に設定された除去理由を有する第１メッセージを受信する段階と、登録解除を要求する登録解除要求のメッセージをＵＥに転送する段階とを含み、登録解除は、第１メッセージを介してＵＤＭから受信した除去理由がＵＥの加入者情報の削除を指示する場合、ＵＥが登録された全てのアクセスに対して遂行されることができる。【選択図】図２１
2020120415.tif 000002
【特許請求の範囲】
【請求項１】
アクセス及び移動性管理機能（ＡＭＦ）が、無線通信システムにおいてＡＭＦ−開始登録解除手続を実行する方法おいて、
統合されたデータ管理（ＵＤＭ）から、加入者の登録管理（ＲＭ）コンテキスト及び端末（ＵＥ）の少なくとも１つのプロトコルデータユニット（ＰＤＵ）の削除を要求するための第１メッセージを受信するステップであって、前記第１メッセージは、（ｉ）前記削除の理由及び（ｉｉ）第１アクセスタイプを含む、ステップと、
前記ＵＥの加入者情報の削除が設定された前記削除の理由に基づいて、前記ＵＥが登録された全てのアクセスに対して前記ＡＭＦ−開始登録解除手続を実行するステップと、
登録解除を要求するための第２メッセージを前記ＵＥに送信するステップであって、前記第２メッセージは第２アクセスタイプを含む、ステップと、
Ｎ２シグナリングの連結を解除するための第３メッセージを無線接続ネットワーク（ＲＡＮ）に送信するステップであって、前記第３メッセージは前記登録解除に設定された理由に対する情報を含む、ステップと、
を含み、
前記第１アクセスタイプは、前記ＡＭＦ−開始登録解除手続のターゲットアクセスに対する情報であり、
前記第２アクセスタイプは、３ＧＰＰアクセス及び非−３ＧＰＰアクセスの両方に適用される前記ＡＭＦ−開始登録解除手続に関連し、
前記第３メッセージは、（ｉ）前記第２アクセスタイプ、及び（ｉｉ）前記ＵＥと前記ＲＡＮとの間の前記Ｎ２シグナリングの連結が存在することに基づいて、送信され、
前記ＡＭＦ−開始登録解除手続は、明示的又は暗示的のいずれかであり、
明示的である前記ＡＭＦ−開始登録解除手続に基づいて、手続がＯ＆Ｍ介入により実行される、方法。
【請求項２】
前記３ＧＰＰアクセスを介して送信される前記登録解除の要求のメッセージ、及び前記ＵＥが前記３ＧＰＰアクセスにおいて連結管理（ＣＭ）−ＩＤＬＥ状態であることに基づいて、前記ＵＥをページングするステップをさらに含む、請求項１に記載の方法。
【請求項３】
前記第１メッセージは、前記ＵＥの加入者永久識別子（ＳＵＰＩ）をさらに含む、請求項１に記載の方法。
【請求項４】
前記第１メッセージに対する応答として、第１登録解除応答のメッセージを前記ＵＤＭに送信するステップをさらに含む、請求項３に記載の方法。
【請求項５】
前記ターゲットアクセスを介して確立されたＰＤＵセッションを有する前記ＵＥに基づいて、前記確立されたＰＤＵセッションを解除することをセッション管理機能（ＳＭＦ）に要求するステップをさらに含む、請求項４に記載の方法。
【請求項６】
前記確立されたＰＤＵセッションの解除を要求するステップは、前記確立されたＰＤＵセッションの解除を要求するための第４メッセージを前記ＳＭＦに送信するステップを含む、請求項５に記載の方法。
【請求項７】
前記第４メッセージは、前記ＳＵＰＩ及び解除すべきＰＤＵセッションの識別子を含む、請求項６に記載の方法。
【請求項８】
前記ＳＭＦは、前記解除すべきＰＤＵセッションに割り当てられたＩＰアドレス又はプレフィックスを解除し、前記解除すべきＰＤＵセッションに対応するユーザー平面リソースを解除するネットワークエンティティである、請求項７に記載の方法。
【請求項９】
前記ＳＭＦは、Ｎ４セッションの解除を要求するためのＮ４セッション解除要求のメッセージをユーザー平面機能（ＵＰＦ）に送信するネットワークエンティティであり、
前記ＵＰＦは、前記Ｎ４セッションに関する全てのトンネルリソース及びコンテキストを解除するネットワークエンティティである、請求項７に記載の方法。
【請求項１０】
無線通信システムにおいてアクセス及び移動性管理機能（ＡＭＦ）−開始登録解除手続を実行するＡＭＦにおいて、
送受信器と、
少なくとも１つのプロセッサと、
前記少なくとも１つのプロセッサと動作可能に接続可能な少なくとも１つのコンピュータメモリと、を含み、
前記少なくとも１つのコンピュータメモリは、前記少なくとも１つのプロセッサにより実行されるとき、
前記送受信器を介して、統合されたデータ管理（ＵＤＭ）から、加入者の登録管理（ＲＭ）コンテキスト及び端末（ＵＥ）の少なくとも１つのプロトコルデータユニット（ＰＤＵ）の削除を要求するための第１メッセージを受信し、前記第１メッセージは、（ｉ）前記削除の理由及び（ｉｉ）第１アクセスタイプを含み、
前記ＵＥの加入者情報の削除が設定された前記削除の理由に基づいて、前記ＵＥが登録された全てのアクセスに対して前記ＡＭＦ−開始登録解除手続を実行し、
前記送受信器を介して、登録解除を要求するための第２メッセージを前記ＵＥに送信し、前記第２メッセージは第２アクセスタイプを含み、
前記送受信器を介して、Ｎ２シグナリングの連結を解除するための第３メッセージを無線接続ネットワーク（ＲＡＮ）に送信し、前記第３メッセージは前記登録解除に設定された理由に対する情報を含むことを含む動作を実行する命令を格納し、
前記第１アクセスタイプは、前記ＡＭＦ−開始登録解除手続のターゲットアクセスに対する情報であり、
前記第２アクセスタイプは、３ＧＰＰアクセス及び非−３ＧＰＰアクセスの両方に適用される前記ＡＭＦ−開始登録解除手続に関連し、
前記第３メッセージは、（ｉ）前記第２アクセスタイプ、及び（ｉｉ）前記ＵＥと前記ＲＡＮとの間の前記Ｎ２シグナリングの連結が存在することに基づいて、送信され、
前記ＡＭＦ−開始登録解除手続は、明示的又は暗示的のいずれかであり、
明示的である前記ＡＭＦ−開始登録解除手続に基づいて、手続がＯ＆Ｍ介入により実行される、ＡＭＦ。
【発明の詳細な説明】
【技術分野】
【０００１】
本発明は、無線通信システムに関し、より詳細にはＮｅｔｗｏｒｋ−開始登録解除方法、及びこれを遂行する装置に関する。
【背景技術】
【０００２】
移動通信システムは、ユーザーの活動性を保証しつつ、音声サービスを提供するために開発された。しかし、移動通信システムは、音声だけでなく、データサービスまで領域を拡張し、現在は爆発的なトラフィックの増加により、資源の不足現象が引き起こされ、ユーザーがより高速のサービスを要求するため、より発展した移動通信システムが求められている。
【０００３】
次世代移動通信システムの要求条件は、大きく爆発的なデータトラフィックの収容、ユーザー当たり転送率の画期的な増加、大幅に増加した連結デバイス数の収容、非常に低い端対端遅延（Ｅｎｄ−ｔｏ−Ｅｎｄ  Ｌａｔｅｎｃｙ）、高エネルギー効率を支援できなければならない。このために、二重連結性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、多様な技術が研究されている。
【発明の概要】
【発明が解決しようとする課題】
【０００４】
本発明の目的は、ＵＥの開始によってトリガリングされたアクセス登録解除手続を提案しようとすることにある。
【０００５】
また、本発明の目的は、ネットワークの開始によってトリガリングされたアクセス登録解除手続を提案しようとすることにある。
【０００６】
本発明で解決しようとする技術的課題は、以上で言及した技術的課題に制限されず、言及しないまた別の技術的課題は、以下の記載から本発明が属する技術分野で通常の知識を有する者に明確に理解されるべきである。
【課題を解決するための手段】
【０００７】
本発明の一態様は、無線通信システムでＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）によるネットワーク−開始（ｉｎｉｔｉａｔｅｄ）登録解除（ｄｅ−ｒｅｇｉｓｔｒａｔｉｏｎ）方法において、ＵＤＭ（Ｕｎｉｆｉｅｄ  Ｄａｔａ  Ｍａｎａｇｅｍｅｎｔ）から加入者情報の削除（ｓｕｂｓｃｒｉｐｔｉｏｎ  ｗｉｔｈｄｒａｗｎ）に設定された除去理由（ｒｅｍｏｖａｌ  ｒｅａｓｏｎ）を有する第１メッセージを受信する段階と、前記登録解除を要求する登録解除要求のメッセージをＵＥ（Ｕｓｅｒ  Ｅｑｕｉｐｍｅｎｔ）に転送する段階とを含み、前記登録解除は、前記第１メッセージを介して前記ＵＤＭから受信した前記除去理由が前記ＵＥの加入者情報の削除を指示する場合、前記ＵＥが登録された全てのアクセスに対して遂行されることができる。
【０００８】
また、前記登録解除要求のメッセージは、前記登録解除が適用されるターゲットアクセスを指示するアクセスタイプ情報を含むことができる。
【０００９】
また、前記アクセスタイプ情報は、前記ターゲットアクセスが第１または第２アクセスであるか、又は前記第１及び第２アクセスであるかを指示することができる。
【００１０】
また、前記第１アクセスは、３ＧＰＰ（３ｒｄ  Ｇｅｎｅｒａｔｉｏｎ  Ｐａｒｔｎｅｒｓｈｉｐ  Ｐｒｏｊｅｃｔ）アクセスであり、前記第２アクセスは、非（ｎｏｎ）−３ＧＰＰアクセスであり得る。
【００１１】
また、前記登録解除方法は、前記登録解除要求のメッセージが前記３ＧＰＰアクセスを介して転送され、前記ＵＥが前記３ＧＰＰアクセスでＣＭ（Ｃｏｎｎｅｃｔｉｏｎ  Ｍａｎａｇｅｍｅｎｔ）−ＩＤＬＥ状態である場合、前記ＵＥをページングする段階をさらに含むことができる。
【００１２】
また、前記登録解除方法は、前記ターゲットアクセスが前記３ＧＰＰアクセスであるか、前記３ＧＰＰアクセス及び前記非−３ＧＰＰアクセスであり、前記ＵＥとＲＡＮ（Ｒａｄｉｏ  Ａｃｃｅｓｓ  Ｎｅｔｗｏｒｋ）との間のＮ２シグナリングの連結（ｃｏｎｎｅｃｔｉｏｎ）が存在する場合、前記Ｎ２シグナリングの連結を解除するために、前記登録解除に理由が設定されたＮ２ ＵＥ解除の命令（ｃｏｍｍａｎｄ）を前記ＲＡＮに転送する段階をさらに含むことができる。
【００１３】
また、前記登録解除方法は、前記ターゲットアクセスが前記非−３ＧＰＰアクセスであるか、前記３ＧＰＰアクセス及び前記非−３ＧＰＰアクセスであり、前記ＵＥとＮ３ＩＷＦ（Ｎｏｎ−３ＧＰＰ ＩｎｔｅｒＷｏｒｋｉｎｇ  Ｆｕｎｃｔｉｏｎ）との間のＮ２シグナリングの連結（ｃｏｎｎｅｃｔｉｏｎ）が存在する場合、前記Ｎ２シグナリングの連結を解除するために、前記登録解除に理由が設定されたＮ２ ＵＥ解除の命令（ｃｏｍｍａｎｄ）を前記Ｎ３ＩＷＦに転送する段階をさらに含むことができる。
【００１４】
また、前記第１メッセージは、前記ＵＥの加入者永久識別子（ｓｕｂｓｃｒｉｂｅｒ  ｐｅｒｍａｎｅｎｔ  ｉｄｅｎｔｉｆｉｅｒ；ＳＵＰＩ）をさらに含むことができる。
【００１５】
また、前記登録解除方法は、前記第１メッセージに対する応答として、第１登録解除応答のメッセージを前記ＵＤＭに転送する段階をさらに含み、前記第１登録解除応答のメッセージは、前記ＳＵＰＩ及び前記アクセスタイプ情報を含むことができる。
【００１６】
また、前記登録解除方法は、前記ＵＥが前記ターゲットアクセスを介して確立された（ｅｓｔａｂｌｉｓｈｅｄ）ＰＤＵ（ｐｒｏｔｏｃｏｌ  ｄａｔａ  ｕｎｉｔ）セッションを有する場合、前記確立されたＰＤＵセッションの解除（ｒｅｌｅａｓｅ）をＳＭＦ（Ｓｅｓｓｉｏｎ  Ｍａｎａｇｅｍｅｎｔ  Ｆｕｎｃｔｉｏｎ）に要求する段階をさらに含むことができる。
【００１７】
また、前記確立されたＰＤＵセッションの解除を要求する段階は、前記確立されたＰＤＵセッションの解除を要求する第２メッセージをＳＭＦに転送する段階を含むことができる。
【００１８】
また、前記第２メッセージは、前記ＳＵＰＩ及び解除すべきＰＤＵセッションの識別子を含むことができる。
【００１９】
また、前記ＳＭＦは、前記解除すべきＰＤＵセッションに割り当てられたＩＰ（Ｉｎｔｅｒｎｅｔ  Ｐｒｏｔｏｃｏｌ）アドレス及び／又はプレフィックス（Ｐｒｅｆｉｘ）を解除し、前記解除すべきＰＤＵセッションに対応するユーザー平面リソースを解除するネットワークエンティティであり得る。
【００２０】
また、前記ＳＭＦは、Ｎ４セッションの解除を要求するＮ４セッション解除要求のメッセージをＵＰＦ（Ｕｓｅｒ  Ｐｌａｎｅ  Ｆｕｎｃｔｉｏｎ）に転送するネットワークエンティティであり、前記ＵＰＦは、前記Ｎ４セッションと関連した全てのトンネルリソース及びコンテキストを解除するネットワークエンティティであり得る。
【００２１】
また、本発明の他の態様は、無線通信システムでネットワーク−開始（ｉｎｉｔｉａｔｅｄ）登録解除（ｄｅ−ｒｅｇｉｓｔｒａｔｉｏｎ）を行うＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）において、信号を送受信するための通信モジュール（ｃｏｍｍｕｎｉｃａｔｉｏｎ  ｍｏｄｕｌｅ）と、前記通信モジュールを制御するプロセッサとを含み、前記プロセッサは、ＵＤＭ（Ｕｎｉｆｉｅｄ  Ｄａｔａ  Ｍａｎａｇｅｍｅｎｔ）から加入者情報の削除（ｓｕｂｓｃｒｉｐｔｉｏｎ  ｗｉｔｈｄｒａｗｎ）に設定された除去理由（ｒｅｍｏｖａｌ  ｒｅａｓｏｎ）を有する第１メッセージを受信し、前記登録解除を要求する登録解除要求のメッセージをＵＥ（Ｕｓｅｒ  Ｅｑｕｉｐｍｅｎｔ）に転送し、前記登録解除は、前記第１メッセージを介して前記ＵＤＭから受信した前記除去理由が前記ＵＥの加入者情報の削除を指示する場合、前記ＵＥが登録された全てのアクセスに対して遂行されることができる。
【発明の効果】
【００２２】
本発明の実施例に係ると、ＵＥ−開始登録解除手続及びネットワーク−開始登録解除手続が明確に定義され、曖昧性が除去されるという効果を有する。
【００２３】
また、本発明の実施例に係ると、登録解除しようとするターゲットアクセスが暗示的／明示的にシグナリングされるため、特定のアクセスを介した他のアクセスの登録解除が可能になるという効果を有する。
【００２４】
また、本発明の実施例に係ると、特定のアクセスを介して他のアクセスの登録解除が可能であるため、登録解除手続の柔軟性が増大するという効果を有する。
【００２５】
本発明で得ることができる効果は、以上で言及した効果に制限されるものではなく、言及していないまた別の効果は、下記の記載から本発明が属する技術分野で通常の知識を有する者に明確に理解されるべきである。
【図面の簡単な説明】
【００２６】
本発明に関する理解を助けるために詳細な説明の一部に含まれる、添付図は、本発明に対する実施例を提供し、詳細な説明と共に本発明の技術的特徴を説明する。
【００２７】
【図１】本発明が適用されることができるＥＰＳ（Ｅｖｏｌｖｅｄ  Ｐａｃｋｅｔ  Ｓｙｓｔｅｍ）を簡略に例示する図である。
【図２】本発明が適用されることができるＥ−ＵＴＲＡＮ（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）のネットワーク構造の一例を示す。
【図３】本発明が適用されることができる無線通信システムにおいて、Ｅ−ＵＴＲＡＮ及びＥＰＣの構造を例示する。
【図４】本発明が適用されることができる無線通信システムにおいて、端末とＥ−ＵＴＲＡＮとの間の無線インターフェースプロトコル（ｒａｄｉｏ  ｉｎｔｅｒｆａｃｅ  ｐｒｏｔｏｃｏｌ）の構造を示す。
【図５】本発明が適用されることができる無線通信システムにおいて、物理チャンネルの構造を簡略に例示する図である。
【図６】リファレンスポイントの表現を用いた５Ｇシステムのアーキテクチャーを例示した図である。
【図７】サービス−ベースの表現を用いた５Ｇシステムのアーキテクチャーを例示した図である。
【図８】本発明が適用されることができるＮＧ−ＲＡＮのアーキテクチャーを例示する。
【図９】本発明が適用されることができる無線プロトコルスタックを例示した図である。
【図１０】本発明が適用されることができるＲＭ状態のモデルを例示する。
【図１１】本発明が適用されることができるＣＭ状態のモデルを例示する。
【図１２】本発明の一実施例に係るＱｏＳフローのための分類及びユーザー平面マーキング、ＱｏＳフローのＡＮリソースへのマッピングを例示する。
【図１３】本発明に適用されることができるＥ−ＵＴＲＡＮにおけるＵＥ−開始（ｉｎｉｔｉａｔｅｄ）接続解除手続を例示する。
【図１４】本発明に適用されることができるＩＳＲが活性化されたＧＥＲＡＮ／ＵＴＲＡＮにおけるＵＥ−開始接続解除手続を例示する。
【図１５】本発明に適用されることができるＳ２ｂ上のＰＭＩＰｖ６を有するＵＥ／ｅＰＤＧ開始接続解除手続を例示する。
【図１６】本発明に適用されることができるＧＰＴ  Ｓ２ａ上におけるＵＥ／ＴＷＡＮ−開始接続解除手続及びＵＥ／ＴＷＡＮ−要求ＰＤＮ断絶手続を例示する。
【図１７】本発明の第１実施例に係るＵＥ−開始接続解除手続を例示する。
【図１８】本発明の一実施例に係るＵＥ−開始登録解除手続を例示する。
【図１９】本発明の一実施例に係るネットワーク−開始登録解除手続を例示する。
【図２０】本発明の一実施例に係るＵＥ−開始登録解除手続を例示したフローチャートである。
【図２１】本発明の一実施例に係るネットワーク−開始の登録解除手続を例示したフローチャートである。
【図２２】本発明の一実施例に係る通信装置のブロック構成図を例示する。
【図２３】本発明の一実施例に係る通信装置のブロック構成図を例示する。
【発明を実施するための形態】
【００２８】
以下、本発明に係る好ましい実施形態を添付図を参照として詳細に説明する。添付図と共に以下に開示する詳細な説明は、本発明の例示的な実施形態を説明しようとするものであり、本発明が実施されることができる唯一な実施形態を示そうとするものではない。以下の詳細な説明は、本発明の完全な理解を提供するために具体的な細部事項を含む。しかし、当業者は、本発明がこのような具体的な細部事項なくとも、実施されることができるということを知っている。
【００２９】
いくつかの場合、本発明の概念が曖昧になることを避けるために、公知の構造及び装置は省略されるか、各構造及び装置の中核機能を中心としたブロック図の形式で示すことができる。
【００３０】
本明細書で、基地局は端末と直接的に通信を遂行するネットワークの終端ノード（ｔｅｒｍｉｎａｌ  ｎｏｄｅ）としての意味を有する。本文書で基地局によって遂行されるものと説明された特定の動作は、場合によっては基地局の上位ノード（ｕｐｐｅｒ  ｎｏｄｅ）によって遂行されてもよい。すなわち、基地局を含む多数のネットワークノード（ｎｅｔｗｏｒｋ  ｎｏｄｅｓ）からなるネットワークで端末との通信のために遂行される多様な動作は、基地局又は基地局以外の他のネットワークノードによって遂行され得ることは自明である。「基地局（ＢＳ：Ｂａｓｅ Ｓｔａｔｉｏｎ）」は、固定局（ｆｉｘｅｄ ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）等の用語によって代替し得る。また、「端末（Ｔｅｒｍｉｎａｌ）」は、固定又は移動性を有し得、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ ｔｅｒｍｉｎａｌ）, ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ)、 ＭＴＣ（Ｍａｃｈｉｎｅ−Ｔｙｐｅ  ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置等の用語に代替され得る。
【００３１】
以下で、ダウンリンク（ＤＬ：ｄｏｗｎｌｉｎｋ）は基地局から端末への通信を意味し、アップリンク（ＵＬ：ｕｐｌｉｎｋ）は端末から基地局への通信を意味する。ダウンリンクで、送信機は基地局の一部であり、受信機は端末の一部であり得る。アップリンクで、送信機は端末の一部であり、受信機は基地局の一部であり得る。
【００３２】
以下の説明で使用される特定の用語は、本発明の理解を助けるために提供され、このような特定用語の使用は、本発明の技術的思想を免脱しない範囲で他の形態に変更され得る。
【００３３】
以下の技術は、ＣＤＭＡ(ｃｏｄｅ  ｄｉｖｉｓｉｏｎ  ｍｕｌｔｉｐｌｅ ａｃｃｅｓｓ)、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ(ｔｉｍｅ  ｄｉｖｉｓｉｏｎ  ｍｕｌｔｉｐｌｅ  ａｃｃｅｓｓ)、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ―ＦＤＭＡ（ｓｉｎｇｌｅ  ｃａｒｒｉｅｒ  ｆｒｅｑｕｅｎｃｙ  ｄｉｖｉｓｉｏｎ ｍｕｌｔｉｐｌｅ  ａｃｃｅｓｓ)、ＮＯＭＡ（ｎｏｎ−ｏｒｔｈｏｇｏｎａｌ  ｍｕｌｔｉｐｌｅ  ａｃｃｅｓｓ）等のような様々な無線接続システムに用いられ得る。ＣＤＭＡはＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現できる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現できる。ＯＦＤＭＡは、ＩＥＥＥ  ８０２．１１ （Ｗｉ−Ｆｉ）、ＩＥＥＥ ８０２．１６ （ＷｉＭＡＸ）、ＩＥＥＥ ８０２−２０、Ｅ−ＵＴＲＡ（ｅｖｏｌｖｅｄ ＵＴＲＡ）等のような無線技術で具現できる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ ｔｅｒｍ ｅｖｏｌｕｔｉｏｎ）は、Ｅ−ＵＴＲＡを用いるＥ−ＵＭＴＳ（ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（ａｄｖａｎｃｅｄ）は３ＧＰＰ  ＬＴＥの進化である。
【００３４】
本発明の実施例は、無線接続システムであるＩＥＥＥ  ８０２、３ＧＰＰ、及び３ＧＰＰ２のうち少なくとも一つに開示された標準文書によって裏付けられることができる。すなわち、本発明の実施例のうち、本発明の技術的思想を明確に示すために説明していない段階または部分は、前記文書により裏付けられることができる。また、本文書で開示している全ての用語は、前記標準文書によって説明されることができる。
【００３５】
説明を明確にするために、３ＧＰＰ  ＬＴＥ／ＬＴＥ−Ａを中心に記述するが、本発明の技術的特徴がこれに制限されるわけではない。
【００３６】
本文書で使用されることができる用語は次のように定義される。
【００３７】
−ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）： ３ＧＰＰによって開発された、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ） ベースの３世代（Ｇｅｎｅｒａｔｉｏｎ）移動通信技術
【００３８】
−ＥＰＳ（Ｅｖｏｌｖｅｄ  Ｐａｃｋｅｔ  Ｓｙｓｔｅｍ）： ＩＰ（Ｉｎｔｅｒｎｅｔ  ｐｒｏｔｏｃｏｌ） ベースのパケット交換（ｐａｃｋｅｔ  ｓｗｉｔｃｈｅｄ）のコアネットワークであるＥＰＣ（Ｅｖｏｌｖｅｄ  Ｐａｃｋｅｔ  Ｃｏｒｅ）とＬＴＥ、ＵＴＲＡＮ等のアクセスネットワークで構成されたネットワークシステム。ＵＭＴＳが進化した形態のネットワークである。
【００３９】
−ＮｏｄｅＢ：ＵＭＴＳネットワークの基地局。屋外に設置し、カバレッジはマクロセル（ｍａｃｒｏ  ｃｅｌｌ）規模である。
【００４０】
−ｅＮｏｄｅＢ：ＥＰＳネットワークの基地局。屋外に設置し、カバレッジはマクロセル（ｍａｃｒｏ  ｃｅｌｌ）規模である。
【００４１】
−端末（Ｕｓｅｒ  Ｅｑｕｉｐｍｅｎｔ）：ユーザー機器。端末は、端末（ｔｅｒｍｉｎａｌ）、ＭＥ(Ｍｏｂｉｌｅ  Ｅｑｕｉｐｍｅｎｔ)、ＭＳ（Ｍｏｂｉｌｅ  Ｓｔａｔｉｏｎ）等の用語として言及されることができる。また、端末は、ラップタップ、携帯電話、ＰＤＡ（Ｐｅｒｓｏｎａｌ  Ｄｉｇｉｔａｌ  Ａｓｓｉｓｔａｎｔ）、スマートフォン、マルチメディア機器等のように携帯可能な機器であってもよく、またはＰＣ（Ｐｅｒｓｏｎａｌ  Ｃｏｍｐｕｔｅｒ）、車両搭載装置のように携帯できない機器であってもよい。ＭＴＣに関する内容で、端末または端末という用語は、ＭＴＣ端末を指称することができる。
【００４２】
−ＩＭＳ（Ｉｐ  Ｍｕｌｔｉｍｅｄｉａ  Ｓｕｂｓｙｓｔｅｍ）：マルチメディアサービスをＩＰベースに提供するサブシステム。
【００４３】
−ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）：移動通信ネットワークで国際的に固有に割り当てられるユーザー識別子。
【００４４】
−ＭＴＣ（Ｍａｃｈｉｎｅ  Ｔｙｐｅ  Ｃｏｍｍｕｎｉｃａｔｉｏｎ）：人間の介入なくともマシンにより遂行される通信。Ｍ２Ｍ（Ｍａｃｈｉｎｅ  ｔｏ  Ｍａｃｈｉｎｅ）通信と称することもできる。
【００４５】
−ＭＴＣ端末（ＭＴＣ  ＵＥまたはＭＴＣ  ｄｅｖｉｃｅまたはＭＴＣ装置）：移動通信ネットワークを介した通信（例えば、ＰＬＭＮを介してＭＴＣサーバーと通信）機能を有し、ＭＴＣ機能を遂行する端末（例えば、自販機、検針器）。
【００４６】
−ＭＴＣサーバー（ＭＴＣ  ｓｅｒｖｅｒ）：ＭＴＣ端末を管理するネットワーク上のサーバー。移動通信ネットワークの内部または外部に存在することができる。ＭＴＣユーザーがアクセス（ａｃｃｅｓｓ）することができるインターフェースを有することができる。また、ＭＴＣサーバーは、他のサーバーにＭＴＣ関連サービスを提供してもよく（ＳＣＳ（Ｓｅｒｖｉｃｅｓ  Ｃａｐａｂｉｌｉｔｙ  Ｓｅｒｖｅｒ）形態）、自身がＭＴＣアプリケーションサーバーであってもよい。
【００４７】
−（ＭＴＣ）アプリケーション（ａｐｐｌｉｃａｔｉｏｎ）：（ＭＴＣが適用される）サービス（例えば、遠隔検針、物量移動追跡、気象観測センサ等）
【００４８】
−（ＭＴＣ）アプリケーションサーバー：（ＭＴＣ）アプリケーションが実行されるネットワーク上のサーバー
【００４９】
−ＭＴＣ特徴（ＭＴＣ  ｆｅａｔｕｒｅ）：ＭＴＣアプリケーションを支援するためのネットワークの機能。例えば、ＭＴＣモニタリング（ｍｏｎｉｔｏｒｉｎｇ）は、遠隔検針等のＭＴＣアプリケーションで装備紛失等に備えるための特徴であり、低い移動性（ｌｏｗ  ｍｏｂｉｌｉｔｙ）は、自販機のようなＭＴＣ端末に対するＭＴＣアプリケーションのための特徴である。
【００５０】
−ＭＴＣユーザー（ＭＴＣ  Ｕｓｅｒ）：ＭＴＣユーザーはＭＴＣサーバーにより提供されるサービスを使用する。
【００５１】
−ＭＴＣ加入者（ＭＴＣ  ｓｕｂｓｃｒｉｂｅｒ）：ネットワークオペレーターと接続関係を有しており、一つ以上のＭＴＣ端末にサービスを提供するエンティティ（ｅｎｔｉｔｙ）である。
【００５２】
−ＭＴＣグループ（ＭＴＣ  ｇｒｏｕｐ）：少なくとも一つ以上のＭＴＣ特徴を共有し、ＭＴＣ加入者に属したＭＴＣ端末のグループを意味する。
【００５３】
サービス機能サーバー（ＳＣＳ：Ｓｅｒｖｉｃｅｓ  Ｃａｐａｂｉｌｉｔｙ  Ｓｅｒｖｅｒ）：ＨＰＬＭＮ（Ｈｏｍｅ  ＰＬＭＮ）上のＭＴＣ−ＩＷＦ（ＭＴＣ  ＩｎｔｅｒＷｏｒｋｉｎｇ  Ｆｕｎｃｔｉｏｎ）及びＭＴＣ端末と通信するためのエンティティであって、３ＧＰＰネットワークと接続されている。ＳＣＳは、一つ以上のＭＴＣアプリケーションによる使用のための能力（ｃａｐａｂｉｉｔｙ）を提供する。
【００５４】
−外部識別子（Ｅｘｔｅｒｎａｌ  Ｉｄｅｎｔｉｆｉｅｒ）：３ＧＰＰネットワークの外部エンティティ（例えば、ＳＣＳまたはアプリケーションサーバー）がＭＴＣ端末（またはＭＴＣ端末が属した加入者）を指す（または識別する）ために使用する識別子（ｉｄｅｎｔｉｆｉｅｒ）であって、全世界的に固有（ｇｌｏｂａｌｌｙ  ｕｎｉｑｕｅ）である。外部識別子は、次のようにドメイン識別子（Ｄｏｍａｉｎ  Ｉｄｅｎｔｉｆｉｅｒ）とローカル識別子（Ｌｏｃａｌ  Ｉｄｅｎｔｉｆｉｅｒ）とで構成される。
【００５５】
−ドメイン識別子（Ｄｏｍａｉｎ  Ｉｄｅｎｔｉｆｉｅｒ）：移動通信ネットワーク事業者の制御下にあるドメインを識別するための識別子。一つの事業者は、互いに異なるサービスへの接続を提供するためにサービス別にドメイン識別子を使用することができる。
【００５６】
−ローカル識別子（Ｌｏｃａｌ  Ｉｄｅｎｔｉｆｉｅｒ）：ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を類推または獲得するのに使用される識別子。ローカル識別子は、アプリケーションドメイン内では固有（ｕｎｉｑｕｅ）でなければならず、移動通信ネットワーク事業者によって管理される。
【００５７】
−ＲＡＮ（Ｒａｄｉｏ  Ａｃｃｅｓｓ  Ｎｅｔｗｏｒｋ）：３ＧＰＰネットワークでＮｏｄｅ  Ｂ及びこれを制御するＲＮＣ（Ｒａｄｉｏ  Ｎｅｔｗｏｒｋ  Ｃｏｎｔｒｏｌｌｅｒ）、ｅＮｏｄｅＢを含む単位。端末の端に存在し、コアネットワークへの連結を提供する。
【００５８】
−ＨＬＲ（Ｈｏｍｅ  Ｌｏｃａｔｉｏｎ  Ｒｅｇｉｓｔｅｒ）／ＨＳＳ（Ｈｏｍｅ  Ｓｕｂｓｃｒｉｂｅｒ  Ｓｅｒｖｅｒ）：３ＧＰＰネットワーク内の加入者情報を有しているデータベース。ＨＳＳは設定格納（ｃｏｎｆｉｇｕｒａｔｉｏｎ  ｓｔｏｒａｇｅ）、識別子管理（ｉｄｅｎｔｉｔｙ  ｍａｎａｇｅｍｅｎｔ）、ユーザー状態格納等の機能を遂行することができる。
【００５９】
−ＲＡＮＡＰ（ＲＡＮ  Ａｐｐｌｉｃａｔｉｏｎ  Ｐａｒｔ）：ＲＡＮとコアネットワークの制御を担当するノード（即ち、ＭＭＥ（Ｍｏｂｉｌｉｔｙ  Ｍａｎａｇｅｍｅｎｔ  Ｅｎｔｉｔｙ）／ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔｉｎｇ  Ｎｏｄｅ）／ＭＳＣ（Ｍｏｂｉｌｅ  Ｓｗｉｔｃｈｉｎｇ  Ｃｅｎｔｅｒ））間のインターフェース。
【００６０】
−ＰＬＭＮ（Ｐｕｂｌｉｃ  Ｌａｎｄ  Ｍｏｂｉｌｅ  Ｎｅｔｗｏｒ）：個人に移動通信サービスを提供する目的で構成されたネットワーク。オペレーター別に区分されて構成されることができる。
【００６１】
−ＮＡＳ（Ｎｏｎ−Ａｃｃｅｓｓ  Ｓｔｒａｔｕｍ）：ＵＭＴＳ、ＥＰＳプロトコルスタックで端末とコアネットワークとの間のシグナリング、トラフィックメッセージをやり取りするための機能的な層。端末の移動性を支援し、端末とＰＤＮ  ＧＷとの間のＩＰ連結を樹立及び維持するセッション管理手続を支援することを主な機能とする。
【００６２】
−ＳＣＥＦ（Ｓｅｒｖｉｃｅ  Ｃａｐａｂｉｌｉｔｙ  Ｅｘｐｏｓｕｒｅ  Ｆｕｎｃｔｉｏｎ）：３ＧＰＰネットワークインターフェースにより提供されるサービス及び能力（ｃａｐａｂｉｌｉｔｙ）を安全に露出するための手段を提供するサービス能力露出（Ｓｅｒｖｉｃｅ  ｃａｐａｂｉｌｉｔｙ  ｅｘｐｏｓｕｒｅ）のための３ＧＰＰアーキテクチャー内のエンティティ。
【００６３】
以下、上記のように定義された用語に基づいて、本発明について記述する。
【００６４】
本発明が適用されることができるシステム一般
【００６５】
図１は、本発明が適用されることができるＥＰＳ（Ｅｖｏｌｖｅｄ  Ｐａｃｋｅｔ  Ｓｙｓｔｅｍ）を簡略に例示する図である。
【００６６】
図１のネットワークの構造図は、ＥＰＣ（Ｅｖｏｌｖｅｄ  Ｐａｃｋｅｔ  Ｃｏｒｅ）を含むＥＰＳ（Ｅｖｏｌｖｅｄ  Ｐａｃｋｅｔ  Ｓｙｓｔｅｍ）の構造を、これを簡略に再構成したものである。
【００６７】
ＥＰＣ（Ｅｖｏｌｖｅｄ  Ｐａｃｋｅｔ  Ｃｏｒｅ）は、３ＧＰＰ技術の性能を向上するためのＳＡＥ（Ｓｙｓｔｅｍ  Ａｒｃｈｉｔｅｃｔｕｒｅ  Ｅｖｏｌｕｔｉｏｎ）の中核的な要素である。ＳＡＥは、様々な種類のネットワーク間の移動性を支援するネットワークの構造を決定する研究課題に該当する。ＳＡＥは、例えば、ＩＰベースに多様な無線接続技術を支援し、より向上したデータ転送能力を提供する等の最適化されたパケット−ベースのシステムを提供することを目標とする。
【００６８】
具体的に、ＥＰＣは３ＧＰＰ  ＬＴＥシステムのためのＩＰ移動通信システムのコアネットワーク（Ｃｏｒｅ  Ｎｅｔｗｏｒｋ）であり、パケット−ベースのリアルタイム及び非リアルタイムのサービスを支援することができる。既存の移動通信システム（即ち、２世代または３世代移動通信システム）では、音声のためのＣＳ（Ｃｉｒｃｕｉｔ−Ｓｗｉｔｃｈｅｄ）及びデータのためのＰＳ（Ｐａｃｋｅｔ−Ｓｗｉｔｃｈｅｄ）の二つの区別されるサブ−ドメインを介してコアネットワークの機能が具現された。しかし、３世代移動通信システムの進化である３ＧＰＰ  ＬＴＥシステムでは、ＣＳ及びＰＳのサブ−ドメインが一つのＩＰドメインとして単一化した。即ち、３ＧＰＰ  ＬＴＥシステムでは、ＩＰ能力（ｃａｐａｂｉｌｉｔｙ）を有する端末と端末間の連結が、ＩＰベースの基地局（例えば、ｅＮｏｄｅＢ（ｅｖｏｌｖｅｄ  Ｎｏｄｅ  Ｂ））、ＥＰＣ、アプリケーションドメイン（例えば、ＩＭＳ）を介して構成されることができる。即ち、ＥＰＣは、端対端（ｅｎｄ−ｔｏ−ｅｎｄ）のＩＰサービスの具現に必須的な構造である。
【００６９】
ＥＰＣは多様な構成要素を含むことができ、図１では、そのうち一部に該当する、ＳＧＷ（Ｓｅｒｖｉｎｇ  Ｇａｔｅｗａｙ）（またはＳ−ＧＷ）、ＰＤＮ  ＧＷ（Ｐａｃｋｅｔ  Ｄａｔａ  Ｎｅｔｗｏｒｋ  Ｇａｔｅｗａｙ）（若しくはＰＧＷまたはＰ−ＧＷ）、ＭＭＥ（Ｍｏｂｉｌｉｔｙ  Ｍａｎａｇｅｍｅｎｔ  Ｅｎｔｉｔｙ）、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔｉｎｇ  Ｎｏｄｅ）、ｅＰＤＧ（ｅｎｈａｎｃｅｄ  Ｐａｃｋｅｔ  Ｄａｔａ  Ｇａｔｅｗａｙ）を示す。
【００７０】
ＳＧＷは、無線接続ネットワーク（ＲＡＮ）とコアネットワークとの間の境界点として動作し、ｅＮｏｄｅＢとＰＤＮ  ＧＷとの間のデータ経路を維持する機能をする要素である。また、端末がｅＮｏｄｅＢによってサービング（ｓｅｒｖｉｎｇ）される領域にかけて移動する場合、ＳＧＷはローカル移動性アンカーポイント（ａｎｃｈｏｒ  ｐｏｉｎｔ）の役割を果たす。即ち、Ｅ−ＵＴＲＡＮ（３ＧＰＰリリース８の以降から定義されるＥｖｏｌｖｅｄ−ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）Ｔｅｒｒｅｓｔｒｉａｌ  Ｒａｄｉｏ  Ａｃｃｅｓｓ  Ｎｅｔｗｏｒｋ）内での移動性のためにＳＧＷを介してパケットがルーティングされることができる。さらに、ＳＧＷは他の３ＧＰＰネットワーク（３ＧＰＰリリース８の以前に定義されるＲＡＮ、例えば、ＵＴＲＡＮまたはＧＥＲＡＮ（ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）／ＥＤＧＥ（Ｅｎｈａｎｃｅｄ  Ｄａｔａ  ｒａｔｅｓ  ｆｏｒ  Ｇｌｏｂａｌ  Ｅｖｏｌｕｔｉｏｎ）Ｒａｄｉｏ  Ａｃｃｅｓｓ  Ｎｅｔｗｏｒｋ）との移動性のためのアンカーポイントとして機能することもできる。
【００７１】
ＰＤＮ  ＧＷは、パケットデータネットワークに向かったデータインターフェースの終端点（ｔｅｒｍｉｎａｔｉｏｎ  ｐｏｉｎｔ）に該当する。ＰＤＮ  ＧＷは、ポリシー執行特徴（Ｐｏｌｉｃｙ  ｅｎｆｏｒｃｅｍｅｎｔ  ｆｅａｔｕｒｅｓ）、パケットフィルタリング（ｐａｃｋｅｔ  ｆｉｌｔｅｒｉｎｇ）、課金支援（ｃｈａｒｇｉｎｇ  ｓｕｐｐｏｒｔ）等をサポートすることができる。また、３ＧＰＰネットワークと非−３ＧＰＰ（ｎｏｎ−３ＧＰＰ）ネットワーク（例えば、Ｉ−ＷＬＡＮ（Ｉｎｔｅｒｗｏｒｋｉｎｇ  Ｗｉｒｅｌｅｓｓ  Ｌｏｃａｌ  Ａｒｅａ  Ｎｅｔｗｏｒｋ）のような信頼できないネットワーク、ＣＤＭＡ（Ｃｏｄｅ  Ｄｉｖｉｓｉｏｎ  Ｍｕｌｔｉｐｌｅ  Ａｃｃｅｓｓ）ネットワークや、Ｗｉｍａｘのような信頼できるネットワーク）との移動性管理のためのアンカーポイントの役割を果たすことができる。
【００７２】
図１のネットワーク構造の例示では、ＳＧＷとＰＤＮ  ＧＷが別のゲートウェイで構成されることを示すが、二つのゲートウェイが単一ゲートウェイ構成オプション（Ｓｉｎｇｌｅ  Ｇａｔｅｗａｙ  Ｃｏｎｆｉｇｕｒａｔｉｏｎ  Ｏｐｔｉｏｎ）によって具現されることもできる。
【００７３】
ＭＭＥは、端末のネットワーク連結に対するアクセス、ネットワークリソースの割り当て、トラッキング（ｔｒａｃｋｉｎｇ）、ページング（ｐａｇｉｎｇ）、ローミング（ｒｏａｍｉｎｇ）、及びハンドオーバー等を支援するためのシグナリング及び制御機能を遂行する要素である。ＭＭＥは、加入者及びセッション管理に関する制御平面機能を制御する。ＭＭＥは、数多くのｅＮｏｄｅＢを管理し、他の２Ｇ／３Ｇネットワークに対するハンドオーバーのための従来のゲートウェイの選択のためのシグナリングを遂行する。また、ＭＭＥは、保安過程（Ｓｅｃｕｒｉｔｙ  Ｐｒｏｃｅｄｕｒｅｓ）、端末対ネットワークセッションハンドリング（Ｔｅｒｍｉａｎｌ−ｔｏ−ｎｅｔｗｏｒｋ  Ｓｅｓｓｉｏｎ  Ｈａｎｄｌｉｎｇ）、遊休端末位置決定管理（Ｉｄｌｅ  Ｔｅｒｍｉｎａｌ  Ｌｏｃａｔｉｏｎ  Ｍａｎａｇｅｍｅｎｔ）等の機能を遂行する。
【００７４】
ＳＧＳＮは、他の３ＧＰＰネットワーク（例えば、ＧＰＲＳネットワーク）に対するユーザーの移動性管理及び認証（ａｕｔｈｅｎｔｉｃａｔｉｏｎ）のような全てのパケットデータをハンドリングする。
【００７５】
ｅＰＤＧは、信頼できない非−３ＧＰＰネットワーク（例えば、Ｉ−ＷＬＡＮ、ＷｉＦｉホットスポット（ｈｏｔｓｐｏｔ）等）に対する保安ノードとしての役割を果たす。
【００７６】
図１を参照して説明したように、ＩＰ能力を有する端末は、３ＧＰＰアクセスはもちろん、非−３ＧＰＰアクセスベースでもＥＰＣ内の多様な要素を経由して、事業者（即ち、オペレーター（ｏｐｅｒａｔｏｒ））が提供するＩＰサービスネットワーク（例えば、ＩＭＳ）にアクセスすることができる。
【００７７】
また、図１では、多様なリファレンスポイント（例えば、Ｓ１−Ｕ、Ｓ１−ＭＭＥ等）を示す。３ＧＰＰシステムでは、Ｅ−ＵＴＲＡＮ及びＥＰＣの異なる機能個体（ｆｕｎｃｔｉｏｎａｌ  ｅｎｔｉｔｙ）に存在する２つの機能を連結する概念的なリンクをリファレンスポイント（ｒｅｆｅｒｅｎｃｅ  ｐｏｉｎｔ）と定義する。次の表１は、図１に示すリファレンスポイントを整理したものである。表１の例示以外にもネットワーク構造によって様々なリファレンスポイント（ｒｅｆｅｒｅｎｃｅ ｐｏｉｎｔ）が存在することができる。
【００７８】
【表１−１】
2020120415.tif 000003
【００７９】
【表１−２】
2020120415.tif 000004
【００８０】
図１に示すリファレンスポイントのうち、Ｓ２ａ及びＳ２ｂは、非−３ＧＰＰインターフェースに該当する。Ｓ２ａは信頼できる非−３ＧＰＰアクセス及びＰＤＮ  ＧＷ間の関連制御及び移動性リソースをユーザー平面に提供するリファレンスポイントである。Ｓ２ｂは、ｅＰＤＧ及びＰＤＮ  ＧＷ間の関連制御及び移動性リソースをユーザー平面に提供するリファレンスポイントである。
【００８１】
図２は、本発明が適用されることができるＥ−ＵＴＲＡＮ（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）のネットワーク構造の一例を示す。
【００８２】
Ｅ−ＵＴＲＡＮシステムは、既存のＵＴＲＡＮシステムで進化したシステムであって、例えば、３ＧＰＰ ＬＴＥ／ＬＴＥ−Ａシステムであり得る。通信ネットワークは、ＩＭＳ及びパケットデータを介して音声（ｖｏｉｃｅ）（例えば、ＶｏＩＰ（Ｖｏｉｃｅ  ｏｖｅｒ  Ｉｎｔｅｒｎｅｔ  Ｐｒｏｔｏｃｏｌ））のような多様な通信サービスを提供するために広範囲に配置される。
【００８３】
図２を参照すると、Ｅ−ＵＭＴＳネットワークは、Ｅ−ＵＴＲＡＮ、ＥＰＣ、及び一つ以上のＵＥを含む。Ｅ−ＵＴＲＡＮは端末に制御平面（ｃｏｎｔｒｏｌ  ｐｌａｎｅ）とユーザー平面（ｕｓｅｒ  ｐｌａｎｅ）のプロトコルを提供するｅＮＢで構成され、ｅＮＢはＸ２インターフェースを介して連結される。
【００８４】
Ｘ２ユーザー平面インターフェース（Ｘ２−Ｕ）は、ｅＮＢの間に定義される。Ｘ２−Ｕインターフェースは、ユーザー平面ＰＤＵ（ｐｒｏｔｏｃｏｌ  ｄａｔａ  ｕｎｉｔ）の保証されない伝達（ｎｏｎ  ｇｕａｒａｎｔｅｅｄ  ｄｅｌｉｖｅｒｙ）を提供する。Ｘ２制御平面インターフェース（Ｘ２−ＣＰ）は、二つの隣り合うｅＮＢの間に定義される。Ｘ２−ＣＰは、ｅＮＢ間のコンテキスト（ｃｏｎｔｅｘｔ）伝達、ソースｅＮＢとターゲットＮＢとの間のユーザー平面トンネルの制御、ハンドオーバー関連メッセージの伝達、アップリンク負荷管理等の機能を遂行する。
【００８５】
ｅＮＢは、無線インターフェースを介して端末と連結され、Ｓ１インターフェースを介してＥＰＣ（ｅｖｏｌｖｅｄ  ｐａｃｋｅｔ  ｃｏｒｅ）に連結される。
【００８６】
Ｓ１ユーザー平面インターフェース（Ｓ１−Ｕ）は、ｅＮＢとサービングゲイトウェイ（Ｓ−ＧＷ：ｓｅｒｖｉｎｇ  ｇａｔｅｗａｙ）との間に定義される。Ｓ１制御平面インターフェース（Ｓ１−ＭＭＥ）は、ｅＮＢと移動性管理個体（ＭＭＥ：ｍｏｂｉｌｉｔｙ  ｍａｎａｇｅｍｅｎｔ  ｅｎｔｉｔｙ）との間に定義される。Ｓ１インターフェースは、ＥＰＳ（ｅｖｏｌｖｅｄ  ｐａｃｋｅｔ  ｓｙｓｔｅｍ）ベアラーサービス管理機能、ＮＡＳ（ｎｏｎ−ａｃｃｅｓｓ  ｓｔｒａｔｕｍ）シグナリングトランスポート機能、ネットワークシェアリング、ＭＭＥ負荷バランシング機能等を遂行する。Ｓ１インターフェースはｅＮＢとＭＭＥ／Ｓ−ＧＷとの間に多対多関係（ｍａｎｙ−ｔｏ−ｍａｎｙ−ｒｅｌａｔｉｏｎ）を支援する。
【００８７】
ＭＭＥは、ＮＡＳシグナリング保安（ｓｅｃｕｒｉｔｙ）、ＡＳ（Ａｃｃｅｓｓ  Ｓｔｒａｔｕｍ）保安（ｓｅｃｕｒｉｔｙ）制御、３ＧＰＰアクセスネットワーク間の移動性を支援するためのＣＮ（Ｃｏｒｅ  Ｎｅｔｗｏｒｋ）ノード間（Ｉｎｔｅｒ−ＣＮ）シグナリング、（ページング再転送の遂行及び制御を含んで）アイドル（ＩＤＬＥ）モードＵＥ接近性（ｒｅａｃｈａｂｉｌｉｔｙ）、（アイドル及びアクティブモード端末のための）トラッキング領域識別子（ＴＡＩ：Ｔｒａｃｋｉｎｇ  Ａｒｅａ  Ｉｄｅｎｔｉｔｙ）管理、ＰＤＮ  ＧＷ及びＳＧＷ選択、ＭＭＥが変更されるハンドオーバーのためのＭＭＥ選択、２Ｇまたは３Ｇ  ３ＧＰＰアクセスネットワークへのハンドオーバーのためのＳＧＳＮ選択、ローミング（ｒｏａｍｉｎｇ）、認証（ａｕｔｈｅｎｔｉｃａｔｉｏｎ）、専用ベアラー確立（ｄｅｄｉｃａｔｅｄ  ｂｅａｒｅｒ  ｅｓｔａｂｌｉｓｈｍｅｎｔ）を含むベアラー管理機能、公共警報システム（ＰＷＳ：Ｐｕｂｌｉｃ  Ｗａｒｎｉｎｇ  Ｓｙｓｔｅｍ）（地震及びツナミ警報システム（ＥＴＷＳ：Ｅａｒｔｈｑｕａｋｅ  ａｎｄ  Ｔｓｕｎａｍｉ  Ｗａｒｎｉｎｇ  Ｓｙｓｔｅｍ）、及び商用モバイル警報システム（ＣＭＡＳ：Ｃｏｍｍｅｒｃｉａｌ  Ｍｏｂｉｌｅ  Ａｌｅｒｔ  Ｓｙｓｔｅｍ）を含む）メッセージ転送の支援等の様々な機能を遂行することができる。
【００８８】
図３は、本発明が適用されることができる無線通信システムにおいて、Ｅ−ＵＴＲＡＮ及びＥＰＣの構造を例示する。
【００８９】
図３を参照すると、ｅＮＢはゲートウェイ（例えば、ＭＭＥ）の選択、無線リソース制御（ＲＲＣ：ｒａｄｉｏ  ｒｅｓｏｕｒｃｅ  ｃｏｎｔｒｏｌ）活性（ａｃｔｉｖａｔｉｏｎ）の間ゲートウェイへのルーティング、放送チャンネル（ＢＣＨ：ｂｒｏａｄｃａｓｔ  ｃｈａｎｎｅｌ）のスケジューリング及び転送、アップリンク及びダウンリンクでＵＥへ動的リソースの割り当て、かつＬＴＥ−ＡＣＴＩＶＥ状態で移動性制御連結の機能を遂行することができる。前述したように、ＥＰＣ内におけるゲートウェイは、ページング開始（ｏｒｇｉｎａｔｉｏｎ）、ＬＴＥ_ＩＤＬＥ状態管理、ユーザー平面（ｕｓｅｒ  ｐｌａｎｅ）の暗号化（ｃｉｐｈｅｒｉｎｇ）、システム構造進化（ＳＡＥ：Ｓｙｓｔｅｍ  Ａｒｃｈｉｔｅｃｔｕｒｅ  Ｅｖｏｌｕｔｉｏｎ）ベアラー制御、かつＮＡＳシグナリングの暗号化（ｃｉｐｈｅｒｉｎｇ）及び完全性（ｉｎｔｅｒｇｒｉｔｙ）保護の機能を遂行することができる。
【００９０】
図４は、本発明が適用されることができる無線通信システムにおいて、端末とＥ−ＵＴＲＡＮとの間の無線インターフェースプロトコル（ｒａｄｉｏ  ｉｎｔｅｒｆａｃｅ  ｐｒｏｔｏｃｏｌ）の構造を示す。
【００９１】
図４（ａ）は、制御平面（ｃｏｎｔｒｏｌ  ｐｌａｎｅ）に対する無線プロトコルの構造を示し、図４（ｂ）は、ユーザー平面（ｕｓｅｒ  ｐｌａｎｅ）に対する無線プロトコルの構造を示す。
【００９２】
図４を参照すると、端末とＥ−ＵＴＲＡＮとの間の無線インターフェースプロトコルの層は、通信システムの技術分野に公知となった広く知られている開放型システム間の相互接続（ＯＳＩ： ｏｐｅｎ  ｓｙｓｔｅｍ  ｉｎｔｅｒｃｏｎｎｅｃｔｉｏｎ）の標準モデルの下位３層に基づき、第１層Ｌ１、第２層Ｌ２、及び第３層Ｌ３に分割できる。端末とＥ−ＵＴＲＡＮとの間の無線インターフェースプロトコルは、水平的に物理層（ｐｈｙｓｉｃａｌ  ｌａｙｅｒ）、データリンク層（ｄａｔａ  ｌｉｎｋ  ｌａｙｅｒ）、及びネットワーク層（ｎｅｔｗｏｒｋ  ｌａｙｅｒ）からなり、垂直的にはデータ情報の転送のためのプロトコルスタック（ｐｒｏｔｏｃｏｌ  ｓｔａｃｋ）のユーザー平面（ｕｓｅｒ  ｐｌａｎｅ）と、制御信号（ｓｉｇｎａｌｉｎｇ）の伝達のためのプロトコルスタックの制御平面（ｃｏｎｔｒｏｌ  ｐｌａｎｅ）とに区分される。
【００９３】
制御平面は、端末とネットワークが呼を管理するために用いる制御メッセージが転送される通路を意味する。ユーザー平面は、アプリケーション層で生成されたデータ、例えば、音声データまたはインターネットパケットデータ等が転送される通路を意味する。以下、無線プロトコルの制御平面とユーザー平面の各層を説明する。
【００９４】
第１層Ｌ１である物理層（ＰＨＹ：ｐｈｙｓｉｃａｌ  ｌａｙｅｒ）は、物理チャンネル（ｐｈｙｓｉｃａｌ  ｃｈａｎｎｅｌ）を用いることによって、上位層への情報送信サービス（ｉｎｆｏｒｍａｔｉｏｎ  ｔｒａｎｓｆｅｒ  ｓｅｒｖｉｃｅ）を提供する。物理層は、上位レベルに位置した媒体接続制御（ＭＡＣ：ｍｅｄｉｕｍ  ａｃｃｅｓｓ  ｃｏｎｔｒｏｌ）層に転送チャンネル（ｔｒａｎｓｐｏｒｔ  ｃｈａｎｎｅｌ）を介して連結され、転送チャンネルを介してＭＡＣ層と物理層との間でデータが転送される。転送チャンネルは、無線インターフェースを介してデータがどのように、どんな特徴で転送されるかによって分類される。また、互いに異なる物理層との間、送信端の物理層と受信端の物理層との間には物理チャンネル（ｐｈｙｓｉｃａｌ  ｃｈａｎｎｅｌ）を介してデータが転送される。物理層は、 OFDM（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式で変調され、時間と周波数を無線資源として活用する。
【００９５】
物理層で用いられる幾つかの物理制御チャンネルがある。物理ダウンリンク制御チャンネル（ＰＤＣＣＨ： ｐｈｙｓｉｃａｌ  ｄｏｗｎｌｉｎｋ  ｃｏｎｔｒｏｌ  ｃｈａｎｎｅｌ）は、端末にページングチャンネル（ＰＣＨ：ｐａｇｉｎｇ  ｃｈａｎｎｅｌ）とダウンリンク共有チャンネル（ＤＬ−ＳＣＨ： ｄｏｗｎｌｉｎｋ  ｓｈａｒｅｄ  ｃｈａｎｎｅｌ）のリソース割当、及びアップリンク共有チャンネル（ＵＬ−ＳＣＨ： ｕｐｌｉｎｋ  ｓｈａｒｅｄ  ｃｈａｎｎｅｌ）と関連したＨＡＲＱ（ｈｙｂｒｉｄ  ａｕｔｏｍａｔｉｃ  ｒｅｐｅａｔ ｒｅｑｕｅｓｔ）情報を知らせる。また、ＰＤＣＣＨは、端末にアップリング転送のリソース割当を知らせるアップリンクの承認（ＵＬ  ｇｒａｎｔ）を運ぶことができる。物理制御フォーマット指示子チャンネル（ＰＤＦＩＣＨ： ｐｈｙｓｉｃａｌ  ｃｏｎｔｒｏｌ  ｆｏｒｍａｔ  ｉｎｄｉｃａｔｏｒ ｃｈａｎｎｅｌ）は、端末にＰＤＣＣＨに用いられるＯＦＤＭシンボルの数を知らせ、毎サブフレーム毎に転送される。物理ＨＡＲＱ指示子チャンネル（ＰＨＩＣＨ： ｐｈｙｓｉｃａｌ  ＨＡＲＱ  ｉｎｄｉｃａｔｏｒ  ｃｈａｎｎｅｌ）は、アップリンク転送の応答として、 ＨＡＲＱ  ＡＣＫ（ａｃｋｎｏｗｌｅｄｇｅ）／ＮＡＣＫ（ｎｏｎ−ａｃｋｎｏｗｌｅｄｇｅ）信号を運ぶ。物理アップリング制御チャンネル（ＰＵＣＣＨ： ｐｈｙｓｉｃａｌ  ｕｐｌｉｎｋ  ｃｏｎｔｒｏｌ  ｃｈａｎｎｅｌ)は、ダウンリンクの転送に対するＨＡＲＱ  ＡＣＫ／ＮＡＣＫ、スケジューリングの要求及びチャンネル品質指示子（ＣＱＩ：  ｃｈａｎｎｅｌ  ｑｕａｌｉｔｙ  ｉｎｄｉｃａｔｏｒ）等のようなアップリンク制御情報を運ぶ。物理アップリンク共有チャンネル（ＰＵＳＣＨ： ｐｈｙｓｉｃａｌ  ｕｐｌｉｎｋ  ｓｈａｒｅｄ  ｃｈａｎｎｅｌ）はＵＬ−ＳＣＨを運ぶ。
【００９６】
第２層Ｌ２のＭＡＣ層は、論理チャンネル（ｌｏｇｉｃａｌ  ｃｈａｎｎｅｌ）を介して上位層である無線リンク制御（ＲＬＣ：ｒａｄｉｏ  ｌｉｎｋ  ｃｏｎｔｒｏｌ）層にサービスを提供する。また、ＭＡＣ層は、論理チャンネルと転送チャンネルとの間のマッピング及び論理チャンネルに属するＭＡＣサービスデータユニット（ＳＤＵ：ｓｅｒｖｉｃｅ  ｄａｔａ  ｕｎｉｔ）の転送チャンネル上に物理チャンネルに提供される転送ブロック（ｔｒａｎｓｐｏｒｔ  ｂｌｏｃｋ）への多重化／逆多重化機能を含む。
【００９７】
第２層Ｌ２のＲＬＣ層は、信頼性のあるデータ転送を支援する。ＲＬＣ層の機能は、ＲＬＣ  ＳＤＵの連結（ｃｏｎｃａｔｅｎａｔｉｏｎ）、分割（ｓｅｇｍｅｎｔａｔｉｏｎ）、及び再結合（ｒｅａｓｓｅｍｂｌｙ）を含む。無線ベアラー（ＲＢ：ｒａｄｉｏ  ｂｅａｒｅｒ）が要求する多様なＱｏＳ（ｑｕａｌｉｔｙ  ｏｆ  ｓｅｒｖｉｃｅ）を保証するために、ＲＬＣ層は透過モード（ＴＭ：ｔｒａｎｓｐａｒｅｎｔ  ｍｏｄｅ）、非確認モード（ＵＭ： ｕｎａｃｋｎｏｗｌｅｄｇｅｄ  ｍｏｄｅ）、及び確認モード（ＡＭ：ａｃｋｎｏｗｌｅｄｇｅ  ｍｏｄｅ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介して誤謬訂正を提供する。一方、ＭＡＣ層がＲＬＣ機能を行う場合に、ＲＬＣ層はＭＡＣ層の機能ブロックに含まれることができる。
【００９８】
第２層Ｌ２のパケットデータコンバージェンスプロトコル（ＰＤＣＰ： ｐａｃｋｅｔ  ｄａｔａ  ｃｏｎｖｅｒｇｅｎｃｅ  ｐｒｏｔｏｃｏｌ）層は、ユーザー平面でユーザーデータの伝達、ヘッダー圧縮（ｈｅａｄｅｒ  ｃｏｍｐｒｅｓｓｉｏｎ）、及び暗号化（ｃｉｐｈｅｒｉｎｇ）機能を行う。ヘッダー圧縮機能は、小さい帯域幅を有する無線インターフェースを介して、ＩＰｖ４（ｉｎｔｅｒｎｅｔ  ｐｒｏｔｏｃｏｌ  ｖｅｒｓｉｏｎ  ４）またはＩＰｖ６（ｉｎｔｅｒｎｅｔ ｐｒｏｔｏｃｏｌ  ｖｅｒｓｉｏｎ  ６）のようなインターネットプロトコル（ＩＰ：ｉｎｔｅｒｎｅｔ  ｐｒｏｔｏｃｏｌ）パケットを効率的に転送させるために、相対的にサイズが大きく、不要な制御情報を含んでいるＩＰパケットヘッダーのサイズを減らす機能を意味する。制御平面でのＰＤＣＰ層の機能は、制御平面データの伝達及び暗号化／完全性保護（ｉｎｔｅｇｒｉｔｙ  ｐｒｏｔｅｃｔｉｏｎ）を含む。
【００９９】
第３層Ｌ３の最下位部分に位置する無線リソース制御（ＲＲＣ：ｒａｄｉｏ  ｒｅｓｏｕｒｃｅ  ｃｏｎｔｒｏｌ）層は、制御平面のみに定義される。ＲＲＣ層は、端末とネットワークとの間の無線リソースを制御する役割を遂行する。このため、端末とネットワークは、ＲＲＣ層を介してＲＲＣメッセージを互いに交換する。ＲＲＣ層は、無線ベアラーの設定（ｃｏｎｆｉｇｕｒａｔｉｏｎ）、再設定（ｒｅ−ｃｏｎｆｉｇｕｒａｔｉｏｎ）、及び解除（ｒｅｌｅａｓｅ）と関連して、論理チャンネル、転送チャンネル、及び物理チャンネルを制御する。無線ベアラーは、端末とネットワークとの間のデータ転送のために、第２層Ｌ２によって提供される論理的な経路を意味する。無線ベアラーが設定されるというのは、特定のサービスを提供するために、無線プロトコル層及びチャンネルの特性を規定し、各々の具体的なパラメータ及び動作方法を設定することを意味する。無線ベアラーは、再度シグナリング無線ベアラー（ＳＲＢ：ｓｉｇｎａｌｉｎｇ  ＲＢ）とデータ無線ベアラー（ＤＲＢ：ｄａｔａ  ＲＢ）の二つに分けられる。ＳＲＢは、制御平面でＲＲＣメッセージを転送する通路として用いられ、ＤＲＢは、ユーザー平面でユーザーデータを転送する通路として用いられる。
【０１００】
ＲＲＣ層の上位に位置するＮＡＳ（ｎｏｎ−ａｃｃｅｓｓ  ｓｔｒａｔｕｍ）層は、セッション管理（ｓｅｓｓｉｏｎ  ｍａｎａｇｅｍｅｎｔ）や移動性管理（ｍｏｂｉｌｉｔｙ  ｍａｎａｇｅｍｅｎｔ）等の機能を遂行する。
【０１０１】
基地局を構成する一つのセルは、１．２５、２．５、５、１０、２０Ｍｈｚ等の帯域幅のうち一つに設定され、様々な端末にダウンまたはアップの転送サービスを提供する。互いに異なるセルは、互いに異なる帯域幅を提供するように設定されることができる。
【０１０２】
ネットワークから端末にデータを転送するダウンリンク転送チャンネル（ｄｏｗｎｌｉｎｋ  ｔｒａｎｓｐｏｒｔ ｃｈａｎｎｅｌ）は、システム情報を転送する放送チャンネル（ＢＣＨ：ｂｒｏａｄｃａｓｔ ｃｈａｎｎｅｌ）、ページングメッセージを転送するＰＣＨ、ユーザートラフィックや制御メッセージを転送するＤＬ−ＳＣＨなどがある。ダウンリンクマルチキャストまたは放送サービスのトラフィックまたは制御メッセージの場合、ＤＬ−ＳＣＨを介して転送されることもでき、または別途のダウンリンクマルチキャストチャンネル（ＭＣＨ：ｍｕｌｔｉｃａｓｔ  ｃｈａｎｎｅｌ）を介して転送されることもできる。一方、端末からネットワークにデータを転送するアップリンク転送チャンネル（ｕｐｌｉｎｋ  ｔｒａｎｓｐｏｒｔ  ｃｈａｎｎｅｌ）としては、初期の制御メッセージを転送するランダムアクセスチャンネル（ＲＡＣＨ：ｒａｎｄｏｍ  ａｃｃｅｓｓ  ｃｈａｎｎｅｌ）、ユーザートラフィックや制御メッセージを転送するＵＬ−ＳＣＨ（ｕｐｌｉｎｋ ｓｈａｒｅｄ  ｃｈａｎｎｅｌ）がある。
【０１０３】
論理チャンネル（ｌｏｇｉｃａｌ  ｃｈａｎｎｅｌ）は転送チャンネルの上位にあり、転送チャンネルにマッピングされる。論理チャンネルは、制御領域情報の伝達のための制御チャンネルとユーザー領域情報の伝達のためのトラフィックチャンネルとに区分できる。制御チャンネルとしては、放送制御チャンネル（ＢＣＣＨ：ｂｒｏａｄｃａｓｔ  ｃｏｎｔｒｏｌ  ｃｈａｎｎｅｌ）、ページング制御チャンネル（ＰＣＣＨ：ｐａｇｉｎｇ  ｃｏｎｔｒｏｌ  ｃｈａｎｎｅｌ）、共通制御チャンネル（ＣＣＣＨ：ｃｏｍｍｏｎ  ｃｏｎｔｒｏｌ  ｃｈａｎｎｅｌ）、専用制御チャンネル（ＤＣＣＨ：ｄｅｄｉｃａｔｅｄ  ｃｏｎｔｒｏｌ  ｃｈａｎｎｅｌ）、マルチキャスト制御チャンネル（ＭＣＣＨ：ｍｕｌｔｉｃａｓｔ  ｃｏｎｔｒｏｌ  ｃｈａｎｎｅｌ）等がある。トラフィックチャンネルとしては、専用トラフィックチャンネル（ＤＴＣＨ：ｄｅｄｉｃａｔｅｄ  ｔｒａｆｆｉｃ  ｃｈａｎｎｅｌ）、マルチキャストトラフィックチャンネル（ＭＴＣＨ：ｍｕｌｔｉｃａｓｔ ｔｒａｆｆｉｃ  ｃｈａｎｎｅｌ）等がある。ＰＣＣＨはページング情報を伝達するダウンリンクチャンネルであり、ネットワークがＵＥの属したセルを知らない時に用いられる。ＣＣＣＨは、ネットワークとのＲＲＣ連結を有さないＵＥにより用いられる。ＭＣＣＨネットワークからＵＥへのＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）制御情報を伝達するために用いられる一対多（ｐｏｉｎｔ−ｔｏ−ｍｕｌｔｉｐｏｉｎｔ）ダウンリンクチャンネルである。ＤＣＣＨは、ＵＥとネットワークとの間に専用制御情報を伝達するＲＲＣ連結を有する端末により用いられる一対一（ｐｏｉｎｔ−ｔｏ−ｐｏｉｎｔ）両方向（ｂｉ−ｄｉｒｅｃｔｉｏｎａｌ）チャンネルである。ＤＴＣＨは、アップリンク及びダウンリンクで存在し得るユーザー情報を伝達するために一つの端末に専用される一対一（ｐｏｉｎｔ−ｔｏ−ｐｏｉｎｔ）チャンネルである。ＭＴＣＨは、ネットワークからＵＥへのトラフィックデータを伝達するための一対多（ｐｏｉｎｔ−ｔｏ−ｍｕｌｔｉｐｏｉｎｔ）ダウンリンクチャンネルである。
【０１０４】
論理チャンネル（ｌｏｇｉｃａｌ  ｃｈａｎｎｅｌ）と転送チャンネル（ｔｒａｎｓｐｏｒｔ  ｃｈａｎnｅｌ）との間のアップリンク連結の場合、ＤＣＣＨはＵＬ−ＳＣＨとマッピングされてもよく、ＤＴＣＨはＵＬ−ＳＣＨとマッピングされてもよく、ＣＣＣＨはＵＬ−ＳＣＨとマッピングされてもよい。論理チャンネル（ｌｏｇｉｃａｌ  ｃｈａｎｎｅｌ）と転送チャンネル（ｔｒａｎｓｐｏｒｔ  ｃｈａｎｎｅｌ）との間のダウンリンク連結の場合、ＢＣＣＨはＢＣＨまたはＤＬ−ＳＣＨとマッピングされてもよく、ＰＣＣＨはＰＣＨとマッピングされてもよく、ＤＣＣＨはＤＬ−ＳＣＨとマッピングされてもよく、ＤＴＣＨはＤＬ−ＳＣＨとマッピングされてもよく、ＭＣＣＨはＭＣＨとマッピングされてもよく、ＭＴＣＨはＭＣＨとマッピングされてもよい。
【０１０５】
図５は、本発明が適用されることができる無線通信システムにおいて、物理チャンネルの構造を簡略に例示する図である。
【０１０６】
図５を参照すると、物理チャンネルは、周波数領域（ｆｒｅｑｕｅｎｃｙ  ｄｏｍａｉｎ）で一つ以上のサブキャリアと時間領域（ｔｉｍｅ  ｄｏｍａｉｎ）で一つ以上のシンボルで構成される無線リソースを介してシグナリング及びデータを伝達する。
【０１０７】
１．０ｍｓ長さを有する一つのサブフレームは複数のシンボルで構成される。サブフレームの特定のシンボル（例えば、サブフレームの第一のシンボル）はＰＤＣＣＨのために用いられることができる。ＰＤＣＣＨは動的に割り当てられるリソースに対する情報（例えば、リソースブロック（Ｒｅｓｏｕｒｃｅ  Ｂｌｏｃｋ）、変調、及びコーディング方式（ＭＣＳ： Ｍｏｄｕｌａｔｉｏｎ  ａｎｄ  Ｃｏｄｉｎｇ  Ｓｃｈｅｍｅ）等）を運ぶ。
【０１０８】
次世代無線アクセスネットワーク（ＮＧ−ＲＡＮ： Ｎｅｗ  Ｇｅｎｅｒａｔｉｏｎ  Ｒａｄｉｏ  Ａｃｃｅｓｓ  Ｎｅｔｗｏｒｋ）（またはＲＡＮ）システム
【０１０９】
次世代無線アクセスネットワークで使用される用語は、次のように定義されることができる。
【０１１０】
−ＥＰＳ（Ｅｖｏｌｖｅｄ  Ｐａｃｋｅｔ  Ｓｙｓｔｅｍ）： ＩＰ（Ｉｎｔｅｒｎｅｔ  ｐｒｏｔｏｃｏｌ） ベースのパケット交換（ｐａｃｋｅｔ  ｓｗｉｔｃｈｅｄ）コアネットワークであるＥＰＣ（Ｅｖｏｌｖｅｄ  Ｐａｃｋｅｔ  Ｃｏｒｅ）とＬＴＥ、ＵＴＲＡＮ等のアクセスネットワークで構成されたネットワークシステム。ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）が進化した形態のネットワークである。
【０１１１】
−ｅＮｏｄｅＢ：ＥＰＳネットワークの基地局。屋外に設置し、カバレッジはマクロセル（ｍａｃｒｏ  ｃｅｌｌ）規模である。
【０１１２】
−ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）：移動通信ネットワークで国際的に固有に割り当てられるユーザーの識別子。
【０１１３】
−ＰＬＭＮ（Ｐｕｂｌｉｃ  Ｌａｎｄ  Ｍｏｂｉｌｅ  Ｎｅｔｗｏｒ）：個人に移動通信サービスを提供する目的で構成されたネットワーク。オペレーター別に区分されて構成されることができる。
【０１１４】
−５Ｇシステム（５ＧＳ：５Ｇ  Ｓｙｓｔｅｍ）：５Ｇアクセスネットワーク（ＡＮ：Ａｃｃｅｓｓ  Ｎｅｔｗｏｒ）、５Ｇコアネットワーク及びユーザー装置（ＵＥ：Ｕｓｅｒ  Ｅｑｕｉｐｍｅｎｔ）で構成されるシステム
【０１１５】
−５Ｇアクセスネットワーク（５Ｇ−ＡＮ：５Ｇ  Ａｃｃｅｓｓ  Ｎｅｔｗｏｒｋ）（又はＡＮ）：５Ｇコアネットワークに連結される次世代無線アクセスネットワーク（ＮＧ−ＲＡＮ：Ｎｅｗ  Ｇｅｎｅｒａｔｉｏｎ  Ｒａｄｉｏ  Ａｃｃｅｓｓ  Ｎｅｔｗｏｒｋ）及び／又は非−３ＧＰＰアクセスネットワーク（ｎｏｎ−３ＧＰＰ  ＡＮ：ｎｏｎ−５Ｇ  Ａｃｃｅｓｓ  Ｎｅｔｗｏｒｋ）で構成されるアクセスネットワーク。
【０１１６】
−次世代無線アクセスネットワーク（ＮＧ−ＲＡＮ：Ｎｅｗ  Ｇｅｎｅｒａｔｉｏｎ  Ｒａｄｉｏ  Ａｃｃｅｓｓ  Ｎｅｔｗｏｒｋ）（又はＲＡＮ）：５ＧＣに連結されるという共通の特徴を有し、次のオプションのうちの一つ以上を支援する無線アクセスネットワーク：
【０１１７】
１）スタンドアロンの新たな無線（Ｓｔａｎｄａｌｏｎｅ  Ｎｅｗ  Ｒａｄｉｏ）。
【０１１８】
２）Ｅ−ＵＴＲＡ拡張を支援するアンカー（ａｎｃｈｏｒ）である新たな無線（ｎｅｗ  ｒａｄｉｏ）。
【０１１９】
３）スタンドアロンＥ−ＵＴＲＡ（例えば、ｅＮｏｄｅＢ）。
【０１２０】
４）新たな無線（ｎｅｗ  ｒａｄｉｏ）拡張を支援するアンカー（ａｎｃｈｏｒ）。
【０１２１】
−５Ｇコアネットワーク（５ＧＣ：５Ｇ  Ｃｏｒｅ  Ｎｅｔｗｏｒｋ）：５Ｇアクセスネットワークに連結されるコアネットワーク
【０１２２】
−ネットワーク機能（ＮＦ−Ｎｅｔｗｏｒｋ  Ｆｕｎｃｔｉｏｎ）：ネットワーク内の３ＧＰＰで採択（ａｄｏｐｔｅｄ）されるか、又は３ＧＰＰで定義された処理機能を意味し、このような処理機能は、定義された機能的な動作（ｆｕｎｃｔｉｏｎａｌ  ｂｅｈａｖｉｏｒ）と３ＧＰＰで定義されたインターフェースを含む。
【０１２３】
−ＮＦサービス（ＮＦ  ｓｅｒｖｉｃｅ）：サービス−ベースのインターフェースを介してＮＦによって露出され、他の認証されたＮＦによって用いられる（ｃｏｎｓｕｍｅｄ）機能
【０１２４】
−ネットワークスライス（Ｎｅｔｗｏｒｋ  Ｓｌｉｃｅ）：特定のネットワーク能力及びネットワーク特徴を提供する論理的なネットワーク
【０１２５】
−ネットワークスライスインスタンス（Ｎｅｔｗｏｒｋ  Ｓｌｉｃｅ  ｉｎｓｔａｎｃｅ）：配置されるネットワークスライスを形成するＮＦインスタンス及び要求されるリソース（例えば、計算、格納、及びネットワーキングリソース）のセット
【０１２６】
−プロトコルデータユニット（ＰＤＵ：Ｐｒｏｔｏｃｏｌ  Ｄａｔａ  Ｕｎｉｔ）連結サービス（ＰＤＵ  Ｃｏｎｎｅｃｔｉｖｉｔｙ  Ｓｅｒｖｉｃｅ）：ＵＥとデータネットワークとの間のＰＤＵの交換を提供するサービス。
【０１２７】
−ＰＤＵセッション（ＰＤＵ  Ｓｅｓｓｉｏｎ）：ＰＤＵ連結サービスを提供するＵＥとデータネットワークとの間の連係（ａｓｓｏｃｉａｔｉｏｎ）。連係タイプは、インターネットプロトコル（ＩＰ：Ｉｎｔｅｒｎｅｔ  Ｐｒｏｔｏｃｏｌ）、イーサネット（Ｅｔｈｅｒｎｅｔ）、又は非構造化（ｕｎｓｔｒｕｃｔｕｒｅｄ）されることができる。
【０１２８】
−ＮＡＳ（Ｎｏｎ−Ａｃｃｅｓｓ  Ｓｔｒａｔｕｍ）：ＥＰＳ、５ＧＳプロトコルスタックで端末とコアネットワークとの間のシグナリング、トラフィックメッセージをやり取りするための機能的な層。端末の移動性を支援し、セッション管理手続を支援することを主な機能とする。
【０１２９】
本発明が適用されることができる５Ｇシステムのアーキテクチャー
【０１３０】
５Ｇシステムは、４世代ＬＴＥ移動通信技術から進歩した技術であって、既存の移動通信網構造の改善（Ｅｖｏｌｕｔｉｏｎ）あるいはクリーンステート（Ｃｌｅａｎ−ｓｔａｔｅ）の構造を通じて、新たな無線アクセス技術（ＲＡＴ：Ｒａｄｉｏ  Ａｃｃｅｓｓ  Ｔｅｃｎｈｏｌｏｇｙ）、ＬＴＥ（Ｌｏｎｇ  Ｔｅｒｍ  Ｅｖｏｌｕｔｉｏｎ）の拡張された技術としてｅＬＴＥ（ｅｘｔｅｎｄｅｄ  ＬＴＥ）、ｎｏｎ−３ＧＰＰ（例えば、ＷＬＡＮ）アクセス等を支援する。
【０１３１】
５Ｇシステムはサービス−ベースに定義され、５Ｇシステムのためのアーキテクチャー（ａｒｃｈｉｔｅｃｔｕｒｅ）内ネットワーク機能（ＮＦ：Ｎｅｔｗｏｒｋ  Ｆｕｎｃｔｉｏｎ）間の相互動作（ｉｎｔｅｒａｃｔｉｏｎ）は、次のように二つの方式で示すことができる。
【０１３２】
−リファレンスポイントの表現（ｒｅｐｒｅｓｅｎｔａｔｉｏｎ）（図６）：二つのＮＦ（例えば、ＡＭＦ及びＳＭＦ）間の一対一のリファレンスポイント（例えば、Ｎ１１）によって記述されるＮＦ内のＮＦサービス間の相互動作を示す。
【０１３３】
−サービスベースの表現（ｒｅｐｒｅｓｅｎｔａｔｉｏｎ）（図７）：制御平面（ＣＰ：Ｃｏｎｔｒｏｌ  Ｐｌａｎｅ）内ネットワーク機能（例えば、ＡＭＦ）は、他の認証されたネットワーク機能が自身のサービスにアクセスすることを許容する。この表現は、必要な場合、一対一（ｐｏｉｎｔ−ｔｏ−ｐｏｉｎｔ）のリファレンスポイント（ｒｅｆｅｒｅｎｃｅ  ｐｏｉｎｔ）も含む。
【０１３４】
図６は、リファレンスポイントの表現を用いた５Ｇシステムのアーキテクチャーを例示した図である。
【０１３５】
図６を参照すると、５Ｇシステムのアーキテクチャーは、多様な構成要素（すなわち、ネットワーク機能（ＮＦ：ｎｅｔｗｏｒｋ  ｆｕｎｃｔｉｏｎ））を含むことができ、本図には、そのうち一部に該当する、認証サーバー機能（ＡＵＳＦ： Ａｕｔｈｅｎｔｉｃａｔｉｏｎ  Ｓｅｒｖｅｒ  Ｆｕｎｃｔｉｏｎ）、アクセス及び移動性管理機能（ＡＭＦ： （Ｃｏｒｅ）  Ａｃｃｅｓｓ  ａｎｄ  Ｍｏｂｉｌｉｔｙ  Ｍａｎａｇｅｍｅｎｔ  Ｆｕｎｃｔｉｏｎ）、セッション管理機能（ＳＭＦ： Ｓｅｓｓｉｏｎ  Ｍａｎａｇｅｍｅｎｔ  Ｆｕｎｃｔｉｏｎ）、ポリシー制御機能（ＰＣＦ： Ｐｏｌｉｃｙ  Ｃｏｎｔｒｏｌ  ｆｕｎｃｔｉｏｎ）、アプリケーション機能（ＡＦ： Ａｐｐｌｉｃａｔｉｏｎ  Ｆｕｎｃｔｉｏｎ）、統合されたデータ管理（ＵＤＭ： Ｕｎｉｆｉｅｄ  Ｄａｔａ  Ｍａｎａｇｅｍｅｎｔ)、データネットワーク（ＤＮ：Ｄａｔａ  ｎｅｔｗｏｒｋ）、ユーザー平面機能（ＵＰＦ：Ｕｓｅｒ  ｐｌａｎｅ  Ｆｕｎｃｔｉｏｎ）、（無線）アクセスネットワーク（（Ｒ）ＡＮ：（Ｒａｄｉｏ）Ａｃｃｅｓｓ  Ｎｅｔｗｏｒｋ）、ユーザー装置（ＵＥ：Ｕｓｅｒ  Ｅｕｉｐｍｅｎｔ）を例示する。
【０１３６】
各ＮＦは次のような機能を支援する。
【０１３７】
−ＡＵＳＦは、ＵＥの認証のためのデータを格納する。
【０１３８】
−ＡＭＦは、ＵＥ単位の接続及び移動性管理のための機能を提供し、一つのＵＥ当たり基本的に一つのＡＭＦに連結されることができる。
【０１３９】
具体的に、ＡＭＦは、３ＧＰＰアクセスネットワーク間の移動性のためのＣＮノード間のシグナリング、無線アクセスネットワーク（ＲＡＮ：Ｒａｄｉｏ  Ａｃｃｅｓｓ  Ｎｅｔｗｏｒｋ）ＣＰインターフェース（すなわち、Ｎ２インターフェース）の終端（ｔｅｒｍｉｎａｔｉｏｎ）、ＮＡＳシグナリングの終端（Ｎ１）、ＮＡＳシグナリング保安（ＮＡＳ暗号化（ｃｉｐｈｅｒｉｎｇ）、及び 完全性保護（ｉｎｔｅｇｒｉｔｙ  ｐｒｏｔｅｃｔｉｏｎ））、ＡＳ保安制御、登録管理（登録領域（Ｒｅｇｉｓｔｒａｔｉｏｎ  Ａｒｅａ）管理）、連結管理、アイドルモードＵＥ接近性（ｒｅａｃｈａｂｉｌｉｔｙ）（ページング再転送の制御及び遂行を含む）、移動性管理制御（加入及びポリシー）、イントラ−システムの移動性及びインター−システムの移動性支援、ネットワークスライシング（Ｎｅｔｗｏｒｋ  Ｓｌｉｃｉｎｇ）の支援、ＳＭＦ選択、合法的傍受（Ｌａｗｆｕｌ  Ｉｎｔｅｒｃｅｐｔ）（ＡＭＦイベント及びＬＩシステムへのインターフェースに対する）、ＵＥとＳＭＦとの間のセッション管理（ＳＭ：ｓｅｓｓｉｏｎ  ｍａｎａｇｅｍｅｎｔ）メッセージの伝達提供、ＳＭメッセージルーティングのための透過型プロキシ（Ｔｒａｎｓｐａｒｅｎｔ  ｐｒｏｘｙ）、アクセス認証（Ａｃｃｅｓｓ  Ａｕｔｈｅｎｔｉｃａｔｉｏｎ）、ローミング権限チェックを含むアクセス許可（Ａｃｃｅｓｓ  Ａｕｔｈｅｎｔｉｃａｔｉｏｎ）、ＵＥとＳＭＳＦ（ＳＭＳ（Ｓｈｏｒｔ  Ｍｅｓｓａｇｅ  Ｓｅｒｖｉｃｅ）ｆｕｎｃｔｉｏｎ）との間のＳＭＳメッセージの伝達提供、保安アンカー機能（ＳＥＡ：Ｓｅｃｕｒｉｔｙ  Ａｎｃｈｏｒ  Ｆｕｎｃｔｉｏｎ）及び／又は保安コンテキスト管理（ＳＣＭ：Ｓｅｃｕｒｉｔｙ  Ｃｏｎｔｅｘｔ  Ｍａｎａｇｅｍｅｎｔ）等の機能を支援する。
【０１４０】
ＡＭＦの一部または全体の機能は、一つのＡＭＦの単一のインスタンス（ｉｎｓｔａｎｃｅ）内で支援されることができる。
【０１４１】
−ＤＮは、例えば、運営者サービス、インターネット接続またはサードパーティ（３ｒｄ ｐａｒｔｙ）サービス等を意味する。ＤＮは、ＵＰＦにダウンリンクプロトコルデータユニット（ＰＤＵ：Ｐｒｏｔｏｃｏｌ  Ｄａｔａ  Ｕｎｉｔ）を転送するか、ＵＥから転送されたＰＤＵをＵＰＦから受信する。
【０１４２】
−ＰＣＦは、アプリケーションサーバーからパケットの流れに対する情報を受信し、移動性管理、セッション管理等のポリシーを決定する機能を提供する。具体的に、ＰＣＦはネットワーク動作をコントロールするための単一化したポリシーフレームワークの支援、ＣＰ機能（例えば、ＡＭＦ、ＳＭＦ等）がポリシーの規則を施行することができるようにポリシー規則提供、ユーザーデータリポジトリ（ＵＤＲ：Ｕｓｅｒ  Ｄａｔａ  Ｒｅｐｏｓｉｔｏｒｙ）内のポリシーを決定するために関連した加入情報にアクセスするためのフロントエンド（Ｆｒｏｎｔ  Ｅｎｄ）具現等の機能を支援する。
【０１４３】
−ＳＭＦはセッション管理機能を提供し、ＵＥが多数のセッションを有する場合、各セッション別に互いに異なるＳＭＦによって管理されることができる。
【０１４４】
具体的に、ＳＭＦは、セッション管理（例えば、ＵＰＦとＡＮノードとの間のトンネル（ｔｕｎｎｅｌ）維持を含んでセッションの確立、修正及び解除）、ＵＥ  ＩＰアドレスの割り当て及び管理（選択的に認証を含む）、ＵＰ機能の選択及び制御、ＵＰＦでトラフィックを適切な目的地にルーティングするためのトラフィックステアリング（ｔｒａｆｆｉｃ  ｓｔｅｅｒｉｎｇ）設定、ポリシー制御機能（Ｐｏｌｉｃｙ  ｃｏｎｔｒｏｌ  ｆｕｎｃｔｉｏｎｓ）に向かったインターフェースの終端、ポリシー及びＱｏＳの制御部分施行、合法的傍受（Ｌａｗｆｕｌ  Ｉｎｔｅｒｃｅｐｔ）（ＳＭイベント及びＬＩシステムへのインターフェースに対する）、ＮＡＳメッセージのＳＭ部分の終端、ダウンリンクデータ通知（Ｄｗｏｎｌｉｎｋ  Ｄａｔａ  Ｎｏｔｉｆｉｃａｔｉｏｎ）、ＡＮ特定ＳＭ情報の開始子（ＡＭＦを経由してＮ２を介してＡＮに伝達）、セッションのＳＳＣモード決定、ローミング機能等の機能を支援する。
【０１４５】
ＳＭＦの一部または全体の機能は、一つのＳＭＦの単一のインスタンス（ｉｎｓｔａｎｃｅ）内で支援されることができる。
【０１４６】
−ＵＤＭは、ユーザーの加入データ、ポリシーデータ等を格納する。ＵＤＭは二つの部分、即ち、アプリケーションのフロントエンド（ＦＥ：ｆｒｏｎｔ  ｅｎｄ）及びユーザーデータリポジトリ（ＵＤＲ：Ｕｓｅｒ  Ｄａｔａ  Ｒｅｐｏｓｉｔｏｒｙ）を含む。
【０１４７】
ＦＥは、位置管理、加入管理、資格証明（ｃｒｅｄｅｎｔｉａｌ）の処理等を担当するＵＤＭ  ＦＥとポリシー制御を担当するＰＣＦを含む。ＵＤＲは、ＵＤＭ−ＦＥによって提供される機能のために要求されるデータとＰＣＦによって要求されるポリシープロファイルを格納する。ＵＤＲ内に格納されるデータは、加入識別子、保安資格証明（ｓｅｃｕｒｉｔｙ  ｃｒｅｄｅｎｔｉａｌ）、アクセス、及び移動性関連の加入データ並びにセッション関連の加入データを含むユーザー加入データとポリシーデータを含む。ＵＤＭ−ＦＥは、ＵＤＲに格納された加入情報にアクセスし、認証資格証明処理（Ａｕｔｈｅｎｔｉｃａｔｉｏｎ  Ｃｒｅｄｅｎｔｉａｌ  Ｐｒｏｃｅｓｓｉｎｇ）、ユーザー識別子ハンドリング（Ｕｓｅｒ  Ｉｄｅｎｔｉｆｉｃａｔｉｏｎ  Ｈａｎｄｌｉｎｇ）、アクセス認証、登録／移動性管理、加入管理、ＳＭＳ管理等の機能を支援する。
【０１４８】
−ＵＰＦはＤＮから受信したダウンリンクＰＤＵを（Ｒ）ＡＮを経由してＵＥに伝達し、（Ｒ）ＡＮを経由してＵＥから受信したアップリンクＰＤＵをＤＮに伝達する。
【０１４９】
具体的に、ＵＰＦは、イントラ（ｉｎｔｒａ）／インター（ｉｎｔｅｒ）ＲＡＴ移動性のためのアンカーポイント、データネットワーク（Ｄａｔａ  Ｎｅｔｗｏｒｋ）への相互連結（ｉｎｔｅｒｃｏｎｎｅｃｔ）の外部ＰＤＵセッションポイント、パケットルーティング、及びフォワーディング、パケット検査（ｉｎｓｐｅｃｔｉｏｎ）、並びにポリシー規則施行のユーザー平面部分、合法的傍受（Ｌａｗｆｕｌ  Ｉｎｔｅｒｃｅｐｔ）、トラフィック使用量の報告、データネットワークへのトラフィックフローのルーティングを支援するためのアップリンク分類子（ｃｌａｓｓｉｆｉｅｒ）、マルチ−ホーム（ｍｕｌｔｉ−ｈｏｍｅｄ）ＰＤＵセッションを支援するためのブランチポイント（Ｂｒａｎｃｈｉｎｇ  ｐｏｉｎｔ）、ユーザー平面のためのＱｏＳハンドリング（ｈａｎｄｌｉｎｇ）（例えば、パケットフィルタリング、ゲーティング（ｇａｔｉｎｇ）、アップリンク／ダウンリンクレート施行）、アップリンクトラフィックの検証（サービスデータフロー（ＳＤＦ ：Ｓｅｒｖｉｃｅ  Ｄａｔａ  Ｆｌｏｗ）とＱｏＳフロー間のＳＤＦマッピング）、アップリンク及びダウンリンク内の伝達レベル（ｔｒａｎｓｐｏｒｔ ｌｅｖｅｌ）パケットマーキング、ダウンリンクパケットバッファリング及びダウンリンクデータ通知トリガリング機能等の機能を支援する。ＵＰＦの一部または全体の機能は、一つのＵＰＦの単一のインスタンス（ｉｎｓｔａｎｃｅ）内で支援されることができる。
【０１５０】
−ＡＦは、サービス提供（例えば、トラフィックルーティング上でのアプリケーションの影響、ネットワーク能力露出（Ｎｅｔｗｏｒｋ  Ｃａｐａｂｉｌｉｔｙ  Ｅｘｐｏｓｕｒｅ）の接近、ポリシー制御のためのポリシーフレームワークとの相互動作等の機能を支援）のために３ＧＰＰコアネットワークと相互動作する。
【０１５１】
−（Ｒ）ＡＮは、４Ｇ無線アクセス技術の進化したバージョンである進化したＥ−ＵＴＲＡ（ｅｖｏｌｖｅｄ  Ｅ−ＵＴＲＡ）と新たな無線アクセス技術（ＮＲ：Ｎｅｗ  Ｒａｄｉｏ）（例えば、ｇＮＢ）を全て支援する新たな無線アクセスネットワークを総称する。
【０１５２】
ｇＮＢは、無線リソース管理のための機能（すなわち、無線ベアラー制御（Ｒａｄｉｏ  Ｂｅａｒｅｒ  Ｃｏｎｔｒｏｌ）、無線許可制御（Ｒａｄｉｏ  Ａｄｍｉｓｓｉｏｎ  Ｃｏｎｔｒｏｌ）、接続移動性制御（Ｃｏｎｎｅｃｔｉｏｎ  Ｍｏｂｉｌｉｔｙ  Ｃｏｎｔｒｏｌ）、アップリンク／ダウンリンクでＵＥにリソースの動的割り当て（Ｄｙｎａｍｉｃ  ａｌｌｏｃａｔｉｏｎ  ｏｆ  ｒｅｓｏｕｒｃｅｓ）（即ち、スケジューリング））、ＩＰ（Ｉｎｔｅｒｎｅｔ  Ｐｒｏｔｏｃｏｌ）ヘッダー圧縮、ユーザーデータストリームの暗号化（ｅｎｃｒｙｐｔｉｏｎ）、及びと完全性保護（ｉｎｔｅｇｒｉｔｙ  ｐｒｏｔｅｃｔｉｏｎ）、ＵＥに提供された情報からＡＭＦへのルーティングが決定されていない場合、ＵＥの接続（ａｔｔａｃｈｍｅｎｔ）時のＡＭＦの選択、ＵＰＦへのユーザー平面データルーティング、ＡＭＦへの制御平面情報ルーティング、連結セットアップ及び解除、ページングメッセージのスケジューリング及び転送（ＡＭＦから発生した）、システムブロードキャスト情報のスケジューリング及び転送（ＡＭＦまたは運営及び維持（Ｏ＆Ｍ：ｏｐｅｒａｔｉｎｇ  ａｎｄ  ｍａｉｎｔｅｎａｎｃｅ）から発生した）、移動性及びスケジューリングのための測定及び測定報告の設定、アップリンクで伝達レベルパケットマーキング（Ｔｒａｎｓｐｏｒｔ  ｌｅｖｅｌ  ｐａｃｋｅｔ  ｍａｒｋｉｎｇ）、セッション管理、ネットワークスライシング（Ｎｅｔｗｏｒｋ  Ｓｌｉｃｉｎｇ）の支援、ＱｏＳ流れの管理及びデータ無線ベアラーへのマッピング、非活動モード（ｉｎａｃｔｉｖｅ  ｍｏｄｅ）であるＵＥの支援、ＮＡＳメッセージの分配機能、ＮＡＳノード選択機能、無線アクセスネットワーク共有、二重連結性（Ｄｕａｌ  Ｃｏｎｎｅｃｔｉｖｉｔｙ）、ＮＲとＥ−ＵＴＲＡとの間の密接な相互動作（ｔｉｇｈｔ  ｉｎｔｅｒｗｏｒｋｉｎｇ）等の機能を支援する。
【０１５３】
−ＵＥは、ユーザー機器を意味する。ユーザー装置は、端末（ｔｅｒｍｉｎａｌ）、ＭＥ（Ｍｏｂｉｌｅ  Ｅｑｕｉｐｍｅｎｔ）、ＭＳ（Ｍｏｂｉｌｅ  Ｓｔａｔｉｏｎ）等の用語として言及され得る。また、ユーザー装置は、ラップタップ、携帯電話、ＰＤＡ（Ｐｅｒｓｏｎａｌ  Ｄｉｇｉｔａｌ  Ａｓｓｉｓｔａｎｔ）、スマートフォン、マルチメディア機器などのように携帯可能な機器であってもよく、またはＰＣ（Ｐｅｒｓｏｎａｌ  Ｃｏｍｐｕｔｅｒ）、車両搭載装置のように携帯できない機器であってもよい。
【０１５４】
本図では、説明の明確性のために、非構造化されたデータ格納ネットワーク機能（ＵＤＳＦ：Ｕｎｓｔｒｕｃｔｕｒｅｄ  Ｄａｔａ  Ｓｔｏｒａｇｅ  ｎｅｔｗｏｒｋ  ｆｕｎｃｔｉｏｎ）、構造化されたデータ格納ネットワーク機能（ＳＤＳＦ：Ｓｔｒｕｃｔｕｒｅｄ  Ｄａｔａ  Ｓｔｏｒａｇｅ  ｎｅｔｗｏｒｋ  ｆｕｎｃｔｉｏｎ）、ネットワーク露出機能（ＮＥＦ：Ｎｅｔｗｏｒｋ  Ｅｘｐｏｓｕｒｅ  Ｆｕｎｃｔｉｏｎ）、及びＮＦリポジトリ機能（ＮＲＦ：ＮＦ  Ｒｅｐｏｓｉｔｏｒｙ  Ｆｕｎｃｔｉｏｎ）が示されていないが、本図に示されている全てのＮＦは、必要に応じて、ＵＤＳＦ、ＮＦＦ、及びＮＲＦと相互動作を遂行することができる。
【０１５５】
−ＮＥＦは、３ＧＰＰネットワーク機能によって提供される、例えば、第三者（３ｒｄ ｐａｒｔｙ）、内部露出（ｉｎｔｅｒｎａｌ  ｅｘｐｏｓｕｒｅ）／再露出（ｒｅ−ｅｘｐｏｓｕｒｅ）、アプリケーション機能、エッジコンピューティング（Ｅｄｇｅ  Ｃｏｍｐｕｔｉｎｇ）のためのサービス、及び、能力を安全に露出するための手段を提供する。ＮＥＦは、他のネットワーク機能から（他のネットワーク機能の露出された能力に基づいた）情報を受信する。ＮＥＦは、データ格納ネットワーク機能への標準化されたインターフェースを用いて、構造化されたデータとして受信された情報を格納することができる。格納された情報は、ＮＥＦによって他のネットワーク機能、およびアプリケーション機能に再露出（ｒｅ−ｅｘｐｏｓｅ）され、分析等のような他の目的として用いられることができる。
【０１５６】
−ＮＲＦは、サービスディスカバリー機能を支援する。ＮＦインスタンスからＮＦディスカバリーの要求を受信し、発見されたＮＦインスタンスの情報をＮＦインスタンスに提供する。また、用いることができるＮＦインスタンスとそれらが支援するサービスを維持する。
【０１５７】
−ＳＤＳＦは、あるＮＥＦによる構造化されたデータであって、情報を格納及び回収（ｒｅｔｒｉｅｖａｌ）する機能を支援するための選択的な機能である。
【０１５８】
−ＵＤＳＦは、あるＮＦによる非構造的データであって、情報を格納及び回収（ｒｅｔｒｉｅｖａｌ）する機能を支援するための選択的な機能である。
【０１５９】
５Ｇシステムで端末と無線の転送／受信を担当するノードは、ｇＮＢであり、ＥＰＳでのｅＮＢのような役割を遂行する。端末が３ＧＰＰ接続と非−３ＧＰＰ接続に同時に連結されている場合、端末は、図６のように一つのＡＭＦを介してサービスを受けることになる。図６では、非−３ＧＰＰ接続で接続する場合と、３ＧＰＰ接続で接続する場合の一つの同一のＵＰＦで連結されることを示しているが、必ずしもそうする必要はなく、互いに異なる複数のＵＰＦで連結されることができる。
【０１６０】
但し、端末がローミングシナリオでＨＰＬＭＮにあるＮ３ＩＷＫ（「Ｎ３ＩＷＦ（ｎｏｎ−３ＧＰＰ  ＩｎｔｅｒＷｏｒｋｉｎｇ  Ｆｕｎｃｔｉｏｎ）」とも指称可能）を選択し、非−３ＧＰＰ接続に連結された場合には、３ＧＰＰ接続を管理するＡＭＦはＶＰＬＭＮに位置し、非−３ＧＰＰ接続を管理するＡＭＦはＨＰＬＭＮに位置することができる。
【０１６１】
非−３ＧＰＰアクセスネットワークは、Ｎ３ＩＷＫ／Ｎ３ＩＷＦを介して、５Ｇコアネットワークに連結される。Ｎ３ＩＷＫ／Ｎ３ＩＷＦは、Ｎ２及びＮ３インターフェースを介して、５Ｇコアネットワーク制御平面機能及びユーザー平面機能を各々インターフェースする。
【０１６２】
本明細書で言及する非−３ＧＰＰ接続の代表的な例としては、ＷＬＡＮ接続があり得る。
【０１６３】
一方、本図では、説明の便宜上、ＵＥが一つのＰＤＵセッションを用いて、一つのＤＮにアクセスする場合に対する参照モデルを例示しているが、本発明はこれに限定されるものではない。
【０１６４】
ＵＥは、多重のＰＤＵセッションを用いて、二つの（即ち、地域的（ｌｏｃａｌ）かつ中心になる（ｃｅｎｔｒａｌ））データネットワークに同時にアクセスすることができる。このとき、互いに異なるＰＤＵセッションのために二つのＳＭＦが選択されることができる。但し、各ＳＭＦは、ＰＤＵセッション内の地域的なＵＰＦ及び中心になるＵＰＦを全て制御することができる能力を有することができる。
【０１６５】
また、ＵＥは、単一のＰＤＵセッション内で提供される二つの（即ち、地域的かつ中心になる）データネットワークに同時にアクセスすることもできる。
【０１６６】
３ＧＰＰシステムでは、５Ｇシステム内のＮＦ間を連結する概念的なリンクをリファレンスポイント（ｒｅｆｅｒｅｎｃｅ  ｐｏｉｎｔ）と定義する。次は、本図で表現された５Ｇシステムのアーキテクチャーに含まれるリファレンスポイントを例示する。
【０１６７】
−Ｎ１：ＵＥとＡＭＦとの間のリファレンスポイント
【０１６８】
−Ｎ２：（Ｒ）ＡＮとＡＭＦとの間のリファレンスポイント
【０１６９】
−Ｎ３：（Ｒ）ＡＮとＵＰＦとの間のリファレンスポイント
【０１７０】
−Ｎ４：ＳＭＦとＵＰＦとの間のリファレンスポイント
【０１７１】
−Ｎ５：ＰＣＦとＡＦとの間のリファレンスポイント
【０１７２】
−Ｎ６：ＵＰＦとデータネットワークとの間のリファレンスポイント
【０１７３】
−Ｎ７：ＳＭＦとＰＣＦとの間のリファレンスポイント
【０１７４】
−Ｎ２４：訪問ネットワーク（ｖｉｓｉｔｅｄ  ｎｅｔｗｏｒｋ）内のＰＣＦとホームネットワーク（ｈｏｍｅ  ｎｅｔｗｏｒｋ）内のＰＣＦとの間のリファレンスポイント
【０１７５】
−Ｎ８：ＵＤＭとＡＭＦとの間のリファレンスポイント
【０１７６】
−Ｎ９：二つのコアＵＰＦ間のリファレンスポイント
【０１７７】
−Ｎ１０：ＵＤＭとＳＭＦとの間のリファレンスポイント
【０１７８】
−Ｎ１１：ＡＭＦとＳＭＦとの間のリファレンスポイント
【０１７９】
−Ｎ１２：ＡＭＦとＡＵＳＦとの間のリファレンスポイント
【０１８０】
−Ｎ１３：ＵＤＭと認証サーバー機能（ＡＵＳＦ：Ａｕｔｈｅｎｔｉｃａｔｉｏｎ  Ｓｅｒｖｅｒ  ｆｕｎｃｔｉｏｎ）との間のリファレンスポイント
【０１８１】
−Ｎ１４：二つのＡＭＦ間のリファレンスポイント
【０１８２】
−Ｎ１５：非−ローミングシナリオの場合、ＰＣＦとＡＭＦとの間のリファレンスポイント、ローミングシナリオの場合、訪問ネットワーク（ｖｉｓｉｔｅｄ  ｎｅｔｗｏｒｋ）内のＰＣＦとＡＭＦとの間のリファレンスポイント
【０１８３】
−Ｎ１６：二つのＳＭＦ間のリファレンスポイント（ローミングシナリオの場合、訪問ネットワーク（ｖｉｓｉｔｅｄ ｎｅｔｗｏｒｋ）内のＳＭＦとホームネットワーク（ｈｏｍｅ  ｎｅｔｗｏｒｋ）内のＳＭＦとの間のリファレンスポイント
【０１８４】
−Ｎ１７：ＡＭＦとＥＩＲとの間のリファレンスポイント
【０１８５】
−Ｎ１８：あるＮＦとＵＤＳＦとの間のリファレンスポイント
【０１８６】
−Ｎ１９：ＮＥＦとＳＤＳＦとの間のリファレンスポイント
【０１８７】
図７は、サービス−ベースの表現を用いた５Ｇシステムのアーキテクチャーを例示した図である。
【０１８８】
本図で例示されたサービス−ベースのインターフェースは、所定のＮＦにより提供される／露出されるサービスのセットを示す。サービス−ベースのインターフェースは制御平面内で用いられる。次は、本図のように表現された５Ｇシステムのアーキテクチャーに含まれるサービス−ベースのインターフェースを例示する。
【０１８９】
−Ｎａｍｆ：ＡＭＦにより公開された（ｅｘｈｉｂｉｔｅｄ）サービス−ベースのインターフェース
【０１９０】
−Ｎｓｍｆ：ＳＭＦにより公開された（ｅｘｈｉｂｉｔｅｄ）サービス−ベースのインターフェース
【０１９１】
−Ｎｎｅｆ：ＮＥＦにより公開された（ｅｘｈｉｂｉｔｅｄ）サービス−ベースのインターフェース
【０１９２】
−Ｎｐｃｆ：ＰＣＦにより公開された（ｅｘｈｉｂｉｔｅｄ）サービス−ベースのインターフェース
【０１９３】
−Ｎｕｄｍ：ＵＤＭにより公開された（ｅｘｈｉｂｉｔｅｄ）サービス−ベースのインターフェース
【０１９４】
−Ｎａｆ：ＡＦにより公開された（ｅｘｈｉｂｉｔｅｄ）サービス−ベースのインターフェース
【０１９５】
−Ｎｎｒｆ：ＮＲＦにより公開された（ｅｘｈｉｂｉｔｅｄ）サービス−ベースのインターフェース
【０１９６】
−Ｎａｕｓｆ：ＡＵＳＦにより公開された（ｅｘｈｉｂｉｔｅｄ）サービス−ベースのインターフェース
【０１９７】
ＮＦサービスは、ＮＦ（即ち、ＮＦサービス供給者）により他のＮＦ（即ち、ＮＦサービス消費者）にサービス−ベースのインターフェースを介して露出される能力の一種である。ＮＦは、一つ以上のＮＦサービスを露出することができる。ＮＦサービスを定義するために次のような基準が適用される：
【０１９８】
−ＮＦサービスは、終端間（ｅｎｄ−ｔｏ−ｅｎｄ）の機能を説明するための情報の流れから導出される。
【０１９９】
−完全な終端間（ｅｎｄ-ｔｏ−ｅｎｄ）のメッセージの流れは、ＮＦサービス呼出（ｉｎｖｏｃａｔｉｏｎ）のシーケンスによって説明される。
【０２００】
−ＮＦが自身のサービスをサービス−ベースのインターフェースを介して提供する二つの動作は次の通りである：
【０２０１】
ｉ）「要求−応答（Ｒｅｑｕｅｓｔ−ｒｅｓｐｏｎｓｅ）」：制御平面ＮＦ＿Ｂ（即ち、ＮＦサービス供給者）は、また別の制御平面ＮＦ＿Ａ（即ち、ＮＦサービス消費者）から特定のＮＦサービス（動作の遂行及び／又は情報の提供を含む）の提供の要求を受ける。ＮＦ＿Ｂは、要求内でＮＦ＿Ａにより提供された情報に基づいたＮＦサービスの結果を応答する。
【０２０２】
要求を満たすために、ＮＦ＿Ｂは交互に他のＮＦからのＮＦサービスを消費することができる。要求−応答のメカニズムで、通信は二つのＮＦ（即ち、消費者及び供給者）間の一対一で遂行される。
【０２０３】
ｉｉ）「加入−通知（Ｓｕｂｓｃｒｉｂｅ−Ｎｏｔｉｆｙ）」
【０２０４】
制御平面ＮＦ＿Ａ（即ち、ＮＦサービス消費者）は、また別の制御平面ＮＦ＿Ｂ（即ち、ＮＦサービス供給者）により提供されるＮＦサービスに加入する。多数の制御平面ＮＦは、同一の制御平面ＮＦサービスに加入することができる。ＮＦ＿Ｂは、このＮＦサービスの結果をこのＮＦサービスに加入された興味のあるＮＦに通知する。消費者からの加入要求は、周期的なアップデートまたは特定のイベント（例えば、要求された情報の変更、特定の臨界値の到達等）を通じてトリガーされる通知のための通知要求を含むことができる。このメカニズムは、ＮＦ（例えば、ＮＦ＿Ｂ）が明示的な加入要求なく暗黙的に特定の通知に加入した場合（例えば、成功的な登録手続により）も含む。
【０２０５】
図８は、本発明が適用されることができるＮＧ−ＲＡＮのアーキテクチャーを例示する。
【０２０６】
図８を参照すると、次世代アクセスネットワーク（ＮＧ−ＲＡＮ：Ｎｅｗ  Ｇｅｎｅｒａｔｉｏｎ  Ｒａｄｉｏ  Ａｃｃｅｓｓ  Ｎｅｔｗｏｒｋ）は、ＵＥに向かったユーザー平面及び制御平面プロトコルの終端を提供する、ｇＮＢ（ＮＲ  ＮｏｄｅＢ）及び／又はｅＮＢ（ｅＮｏｄｅＢ）で構成される。
【０２０７】
ｇＮＢの間に、かつｇＮＢと５ＧＣに連結されるｅＮＢの間にＸｎインターフェースを用いて相互連結される。ｇＮＢ及びｅＮＢは、また５ＧＣにＮＧインターフェースを用いて連結され、さらに具体的に、ＮＧ−ＲＡＮと５ＧＣとの間の制御平面インターフェースであるＮＧ−Ｃインターフェース（即ち、Ｎ２リファレンスポイント）を用いてＡＭＦに連結され、ＮＧ−ＲＡＮと５ＧＣとの間のユーザー平面インターフェースであるＮＧ−Ｕインターフェース（即ち、Ｎ３リファレンスポイント）を用いてＵＰＦに連結される。
【０２０８】
無線プロトコルのアーキテクチャー
【０２０９】
図９は、本発明が適用されることができる無線プロトコルスタックを例示した図である。特に、図９（ａ）は、ＵＥとｇＮＢとの間の無線インターフェースユーザー平面プロトコルスタックを例示し、図９（ｂ）は、ＵＥとｇＮＢとの間の無線インターフェース制御平面プロトコルスタックを例示する。
【０２１０】
制御平面は、ＵＥとネットワークが呼を管理するために用いる制御メッセージが転送される通路を意味する。ユーザー平面は、アプリケーション層で生成されたデータ、例えば、音声データまたはインターネットパケットデータ等が転送される通路を意味する。
【０２１１】
図９（ａ）を参照すると、ユーザー平面プロトコルスタックは、第１層（Ｌａｙｅｒ  １）（即ち、物理（ＰＨＹ：Ｐｈｙｓｉｃａｌ  ｌａｙｅｒ）層）、第２層（Ｌａｙｅｒ  ２）に分割されることができる。
【０２１２】
図９（ｂ）を参照すると、制御平面プロトコルスタックは、第１層（即ち、ＰＨＹ層）、第２層、第３層（即ち、無線リソース制御無線リソース制御（ＲＲＣ：ｒａｄｉｏ  ｒｅｓｏｕｒｃｅ  ｃｏｎｔｒｏｌ）層）、ノンアクセスストラタム（ＮＡＳ：Ｎｏｎ−Ａｃｃｅｓｓ  Ｓｔｒａｔｕｍ）層に分割されることができる。
【０２１３】
第２層は、媒体アクセス制御（ＭＡＣ：Ｍｅｄｉｕｍ  Ａｃｃｅｓｓ  Ｃｏｎｔｒｏｌ）サブ層と、無線リンク制御（ＲＬＣ：Ｒａｄｉｏ  Ｌｉｎｋ  Ｃｏｎｔｒｏｌ）サブ層と、パケットデータコンバージェンスプロトコル（ＰＤＣ：Ｐａｃｋｅｔ  Ｄａｔａ  Ｃｏｎｖｅｒｇｅｎｃｅ  Ｐｒｏｔｏｃｏｌ）サブ層と、サービスデータ適応プロトコル（ＳＤＡＰ：Ｓｅｒｖｉｃｅ  Ｄａｔａ  Ａｄａｐｔａｔｉｏｎ  Ｐｒｏｔｏｃｏｌ）サブ層（ユーザー平面の場合）とに分割される。
【０２１４】
無線ベアラーは、二つのグループに分類される：ユーザー平面データのためのデータ無線ベアラー（ＤＲＢ：ｄａｔａ  ｒａｄｉｏ  ｂｅａｒｅｒ）と制御平面データのためのシグナリング無線ベアラー（ＳＲＢ：ｓｉｇｎａｌｌｉｎｇ  ｒａｄｉｏ  ｂｅａｒｅｒ）
【０２１５】
以下、無線プロトコルの制御平面とユーザー平面の各層を説明する。
【０２１６】
１）第１層であるＰＨＹ層は、物理チャンネル（ｐｈｙｓｉｃａｌ  ｃｈａｎｎｅｌ）を用いることによって、上位層への情報送信サービス（ｉｎｆｏｒｍａｔｉｏｎ  ｔｒａｎｓｆｅｒ  ｓｅｒｖｉｃｅ）を提供する。物理層は、上位レベルに位置したＭＡＣサブ層に転送チャンネル（ｔｒａｎｓｐｏｒｔ  ｃｈａｎｎｅｌ）を介して連結され、転送チャンネルを介してＭＡＣサブ層とＰＨＹ層との間でデータが転送される。転送チャンネルは、無線インターフェースを介してデータがどのように、どんな特徴により転送されるかによって分類される。また、互いに異なる物理層の間、送信端のＰＨＹ層と受信端のＰＨＹ層との間には物理チャンネル（ｐｈｙｓｉｃａｌ  ｃｈａｎｎｅｌ）を介してデータが転送される。
【０２１７】
２）ＭＡＣサブ層は、論理チャンネル（ｌｏｇｉｃａｌ  ｃｈａｎｎｅｌ）と転送チャンネル（ｔｒａｎｓｐｏｒｔ  ｃｈａｎｎｅｌ）との間のマッピング；転送チャンネルを介してＰＨＹ層に／から伝達される転送ブロック（ＴＢ：ｔｒａｎｓｐｏｒｔ  ｂｌｏｃｋ）に／から一つまたは異なる論理チャンネルに属するＭＡＣサービスデータユニット（ＳＤＵ：Ｓｅｒｖｉｃｅ  Ｄａｔａ  Ｕｎｉｔ）の多重化／逆多重化；スケジューリング情報の報告；ＨＡＲＱ（ｈｙｂｒｉｄ  ａｕｔｏｍａｔｉｃ  ｒｅｐｅａｔ  ｒｅｑｕｅｓｔ）を介したエラー訂正；動的スケジューリングを用いたＵＥ間の優先順位ハンドリング；論理チャンネルの優先順位を用いて、一つのＵＥの論理チャンネル間の優先順位ハンドリング；パディング（Ｐａｄｄｉｎｇ）を遂行する。
【０２１８】
互いに異なる種類のデータは、ＭＡＣサブ層により提供されるサービスを伝達する。各論理チャンネルのタイプは、どんなタイプの情報が伝達されるかを定義する。
【０２１９】
論理チャンネルは、二つのグループに分類される：制御チャンネル（Ｃｏｎｔｒｏｌ  Ｃｈａｎｎｅｌ）及びトラフィックチャンネル（Ｔｒａｆｆｉｃ  Ｃｈａｎｎｅｌ）。
【０２２０】
ｉ）制御チャンネルは、制御平面の情報のみを伝達するために用いられ、次の通りである。
【０２２１】
−ブロードキャスト制御チャンネル（ＢＣＣＨ：Ｂｒｏａｄｃａｓｔ  Ｃｏｎｔｒｏｌ  Ｃｈａｎｎｅｌ）：システム制御情報をブロードキャストするためのダウンリンクチャンネル。
【０２２２】
−ページング制御チャンネル（ＰＣＣＨ：Ｐａｇｉｎｇ  Ｃｏｎｔｒｏｌ  Ｃｈａｎｎｅｌ）：ページング情報及びシステム情報変更の通知を伝達するダウンリンクチャンネル。
【０２２３】
−共通制御チャンネル（ＣＣＣＨ：Ｃｏｍｍｏｎ  Ｃｏｎｔｒｏｌ  Ｃｈａｎｎｅｌ）：ＵＥとネットワークとの間の制御情報を転送するためのチャンネル。このチャンネルは、ネットワークとＲＲＣ連結を有さないＵＥのために用いられる。
【０２２４】
−専用制御チャンネル（ＤＣＣＨ：Ｄｅｄｉｃａｔｅｄ  Ｃｏｎｔｒｏｌ  Ｃｈａｎｎｅｌ）：ＵＥとネットワークとの間に専用制御情報を転送するための一対一（ｐｏｉｎｔ−ｔｏ−ｐｏｉｎｔ）の両方向チャンネル。ＲＲＣ連結を有するＵＥによって用いられる。
【０２２５】
ｉｉ）トラフィックチャンネルは、ユーザー平面の情報のみを使用するために用いられる：
【０２２６】
−専用トラフィックチャンネル（ＤＴＣＨ：Ｄｅｄｉｃａｔｅｄ  Ｔｒａｆｆｉｃ  Ｃｈａｎｎｅｌ：ユーザー情報を伝達するための、単一のＵＥに専用される、一対一（ｐｏｉｎｔ−ｔｏ−ｐｏｉｎｔ）チャンネル。ＤＴＣＨは、アップリンク及びダウンリンクが全て存在することができる。
【０２２７】
ダウンリンクで、論理チャンネルと転送チャンネルとの間の連結は次の通りである。
【０２２８】
ＢＣＣＨはＢＣＨにマッピングされてもよい。ＢＣＣＨはＤＬ−ＳＣＨにマッピングされてもよい。ＰＣＣＨはＰＣＨにマッピングされてもよい。ＣＣＣＨはＤＬ−ＳＣＨにマッピングされてもよい。ＤＣＣＨはＤＬ−ＳＣＨにマッピングされてもよい。ＤＴＣＨはＤＬ−ＳＣＨにマッピングされてもよい。
【０２２９】
アップリンクで、論理チャンネルと転送チャンネルとの連結は次の通りである。ＣＣＣＨはＵＬ−ＳＣＨにマッピングされてもよい。ＤＣＣＨはＵＬ−ＳＣＨにマッピングされてもよい。ＤＴＣＨはＵＬ−ＳＣＨにマッピングされてもよい。
【０２３０】
３）ＲＬＣサブ層は、三つの転送モードを支援する：透過モード（ＴＭ：Ｔｒａｎｓｐａｒｅｎｔ  Ｍｏｄｅ）、非確認モード（ＵＭ：Ｕｎａｃｋｎｏｗｌｅｄｇｅｄ  Ｍｏｄｅ）、確認モード（ＡＭ：Ａｃｋｎｏｗｌｅｄｇｅｄ  Ｍｏｄｅ）。
【０２３１】
ＲＬＣ設定は、論理チャンネル別に適用されることができる。ＳＲＢの場合、ＴＭまたはＡＭモードが用いられ、反面、ＤＲＢの場合、ＵＭまたはＡＭモードが用いられる。
【０２３２】
ＲＬＣサブ層は、上位層ＰＤＵの伝達；ＰＤＣＰと独立のシーケンスナンバリング；ＡＲＱ（ａｕｔｏｍａｔｉｃ  ｒｅｐｅａｔ  ｒｅｑｕｅｓｔ）を介したエラー訂正；分割（ｓｅｇｍｅｎｔａｔｉｏｎ）、及び再分割（ｒｅ−ｓｅｇｍｅｎｔａｔｉｏｎ）；ＳＤＵの再結合（ｒｅａｓｓｅｍｂｌｙ）；ＲＬＣ  ＳＤＵ廃棄（ｄｉｓｃａｒｄ）；ＲＬＣ再確立（ｒｅ−ｅｓｔａｂｌｉｓｈｍｅｎｔ）を遂行する。
【０２３３】
４）ユーザー平面のためのＰＤＣＰサブ層は、シーケンスナンバリング（Ｓｅｑｕｅｎｃｅ  Ｎｕｍｂｅｒｉｎｇ）；ヘッダー圧縮及び圧縮−解除（ｄｅｃｏｍｐｒｅｓｓｉｏｎ）（ロバストヘッダー圧縮）（ＲｏＨＣ：Ｒｏｂｕｓｔ  Ｈｅａｄｅｒ  Ｃｏｍｐｒｅｓｓｉｏｎ）の場合のみ）；ユーザーデータ伝達；再配列（ｒｅｏｒｄｅｒｉｎｇ）及び複写検出（ｄｕｐｌｉｃａｔｅ  ｄｅｔｅｃｔｉｏｎ）（ＰＤＣＰよりも上位の層に伝達が要求される場合）；ＰＤＣＰ  ＰＤＵルーティング（分割ベアラー（ｓｐｌｉｔ  ｂｅａｒｅｒ）の場合）；ＰＤＣＰ  ＳＤＵの再転送；暗号化（ｃｉｐｈｅｒｉｎｇ）及び解読化（ｄｅｃｉｐｈｅｒｉｎｇ）；ＰＤＣＰ  ＳＤＵの廃棄；ＲＬＣ  ＡＭのためのＰＤＣＰ再確立及びデータの復旧（ｒｅｃｏｖｅｒｙ）；ＰＤＣＰ  ＰＤＵの複製を遂行する。
【０２３４】
制御平面のためのＰＤＣＰサブ層は、追加的にシーケンスナンバリング（Ｓｅｑｕｅｎｃｅ  Ｎｕｍｂｅｒｉｎｇ）；暗号化（ｃｉｐｈｅｒｉｎｇ）、解読化（ｄｅｃｉｐｈｅｒｉｎｇ）、及び完全性保護（ｉｎｔｅｇｒｉｔｙ  ｐｒｏｔｅｃｔｉｏｎ）；制御平面データの伝達；複製検出；ＰＤＣＰ  ＰＤＵの複製を遂行する。
【０２３５】
ＲＲＣにより無線ベアラーのための複製（ｄｕｐｌｉｃａｔｉｏｎ）が設定されるとき、複製されたＰＤＣＰ  ＰＤＵを制御するために追加的なＲＬＣ個体及び追加的な論理チャンネルが無線ベアラーに追加される。ＰＤＣＰでの複製は同一のＰＤＣＰ  ＰＤＵを二回転送することを含む。一回目は元のＲＬＣ個体に伝達され、二回目は更なるＲＬＣ個体に伝達される。このとき、元のＰＤＣＰ  ＰＤＵ及び該当複製本は、同一の転送ブロック（ｔｒａｎｓｐｏｒｔ  ｂｌｏｃｋ）に転送されない。互いに異なる二つの論理チャンネルが同一のＭＡＣ個体に属してもよく（ＣＡの場合）、または互いに異なるＭＡＣ個体に属してもよい（ＤＣの場合）。前者の場合、元のＰＤＣＰ  ＰＤＵと該当複製本が同一の転送ブロック（ｔｒａｎｓｐｏｒｔ  ｂｌｏｃｋ）に転送されないように保証するために、論理チャンネルマッピングの制限が用いられる。
【０２３６】
５）ＳＤＡＰサブ層は、ｉ）ＱｏＳのフローとデータ無線ベアラーとの間のマッピング、ｉｉ）ダウンリンク及びアップリンクパケット内のＱｏＳフロー識別子（ＩＤ）のマーキングを遂行する。
【０２３７】
ＳＤＡＰの単一のプロトコル個体が各個別のＰＤＵセッション別に設定されるが、例外的に二重連結性（ＤＣ：Ｄｕａｌ  Ｃｏｎｎｅｃｔｉｖｉｔｙ）の場合、二つのＳＤＡＰ個体が設定されることができる。
【０２３８】
６）ＲＲＣサブ層は、ＡＳ（Ａｃｃｅｓｓ  Ｓｔｒａｔｕｍ）及びＮＡＳ（Ｎｏｎ−Ａｃｃｅｓｓ  Ｓｔｒａｔｕｍ）に関するシステム情報のブロードキャスト；５ＧＣまたはＮＧ−ＲＡＮにより開始されたページング（ｐａｇｉｎｇ）；ＵＥとＮＧ−ＲＡＮとの間のＲＲＣ連結の確立、維持、及び解除（さらに、キャリア併合（ｃａｒｒｉｅｒ  ａｇｇｒｅｇａｔｉｏｎ）の修正及び解除を含み、また、追加的にＥ−ＵＴＲＡＮとＮＲとの間に、又はＮＲ内での二重連結性（Ｄｕａｌ  Ｃｏｎｎｅｃｔｉｖｉｔｙ）の修正及び解除をさらに含む）；キー管理を含む保安機能；ＳＲＢ及びＤＲＢの確立、設定、維持、及び解除；ハンドオーバー及びコンテキストの伝達；ＵＥセルの選択及び再解除並びにセルの選択／再選択の制御；ＲＡＴ間の移動性を含む移動性機能；ＱｏＳ管理機能、ＵＥ測定報告及び報告制御；無線リンク失敗の検出及び無線リンク失敗から回復；ＮＡＳからＵＥへのＮＡＳメッセージの伝達及びＵＥからＮＡＳへのＮＡＳメッセージの伝達を遂行する。
【０２３９】
ネットワークスライシング（Ｎｅｔｗｏｒｋ  Ｓｌｉｃｉｎｇ）
【０２４０】
５Ｇシステムは、ネットワークリソースとネットワーク機能を各サービスによって独立のスライス（ｓｌｉｃｅ）で提供するネットワークスライシング（Ｎｅｔｗｏｒｋ  Ｓｌｉｃｉｎｇ）技術を導入した。
【０２４１】
ネットワークスライシングが導入されることによって、各スライス別にネットワーク機能及びネットワークリソースの分離（Ｉｓｏｌａｔｉｏｎ）、独立管理（ｉｎｄｅｐｅｎｄｅｎｔ  ｍａｎａｇｅｍｅｎｔ）等を提供することができる。これによって、サービス、ユーザー等によって５Ｇシステムのネットワーク機能を選択して組み合わせることによって、サービス、ユーザー別に独立且つより柔軟なサービスを提供することができる。
【０２４２】
ネットワークスライスは、アクセスネットワークとコアネットワークを論理的に統合したネットワークを指す。
【０２４３】
ネットワークスライス（Ｎｅｔｗｏｒｋ  Ｓｌｉｃｅ）は、次の一つ以上を含むことができる：
【０２４４】
−コアネットワーク制御平面及びユーザー平面機能
【０２４５】
−ＮＧ−ＲＡＮ
【０２４６】
−非−３ＧＰＰアクセスネットワークへの非−３ＧＰＰ相互動作機能（Ｎ３ＩＷＦ：Ｎｏｎ−３ＧＰＰ  ＩｎｔｅｒＷｏｒｋｉｎｇ  Ｆｕｎｃｔｉｏｎ）
【０２４７】
各ネットワークスライス別に支援される機能及びネットワーク機能の最適化が異なり得る。多数のネットワークスライスインスタンス（ｉｎｓｔａｎｃｅ）が同一の機能を互いに異なるＵＥのグループに提供することができる。
【０２４８】
一つのＵＥは、５Ｇ−ＡＮを経由して一つ以上のネットワークスライスインスタンスに同時に連結されることができる。一つのＵＥは、最大８個のネットワークスライスにより同時にサービスを受けることができる。ＵＥをサービングするＡＭＦインスタンスは、ＵＥをサービングする各ネットワークスライスインスタンスに属することができる。即ち、このＡＭＦインスタンスは、ＵＥをサービングするネットワークスライスインスタンスに共通し得る。ＵＥをサービングするネットワークスライスインスタンスのＣＮ部分はＣＮにより選択される。
【０２４９】
一つのＰＤＵセッションは、ＰＬＭＮ別に特定の一つのネットワークスライスインスタンスにのみ属する。互いに異なるネットワークスライスインスタンスは、一つのＰＤＵセッションを共有しない。
【０２５０】
一つのＰＤＵセッションは、ＰＬＭＮ別に特定の一つのネットワークスライスインスタンスに属する。互いに異なるスライスが同一のＤＮＮを用いるスライス−特定のＰＤＵセッションを有し得るが、互いに異なるネットワークスライスインスタンスは一つのＰＤＵセッションを共有しない。
【０２５１】
単一のネットワークスライス選択補助情報（Ｓ−ＮＳＳＡＩ：Ｓｉｎｇｌｅ  Ｎｅｔｗｏｒｋ  Ｓｌｉｃｅ  Ｓｅｌｅｃｔｉｏｎ  Ａｓｓｉｓｔａｎｃｅ  ｉｎｆｏｒｍａｔｉｏｎ）は、ネットワークスライスを識別する。各Ｓ−ＮＳＳＡＩは、ネットワークが特定のネットワークスライスインスタンスを選択するために用いられる補助情報である。ＮＳＳＡＩは、Ｓ−ＮＳＳＡＩの集合である。Ｓ−ＮＳＳＡＩは次を含む。
【０２５２】
−スライス／サービスタイプ（ＳＳＴ：Ｓｌｉｃｅ／Ｓｅｒｖｉｃｅ  ｔｙｐｅ）：ＳＳＴは機能とサービスの側面で予想されるネットワークスライスの動作を示す。
【０２５３】
−スライス区分子（ＳＤ：Ｓｌｉｃｅ  Ｄｉｆｆｅｒｅｎｔｉａｔｏｒ）：ＳＤは指示されたＳＳＴを全て順守する潜在的な複数のネットワークスライスインスタンスからネットワークスライスインスタンスを選択するためのＳＳＴを補完する選択的な情報である。
【０２５４】
１）初期の接続時にネットワークスライスを選択
【０２５５】
ＵＥは、ＰＬＭＮ別にホームＰＬＭＮ（ＨＰＬＭＮ：Ｈｏｍｅ  ＰＬＭＮ）により設定ＮＳＳＡＩ（Ｃｏｎｆｉｇｕｒｅｄ  ＮＳＳＡＩ）の設定を受けることができる。Ｃｏｎｆｉｇｕｒｅｄ  ＮＳＳＡＩはＰＬＭＮに特定され、ＨＰＬＭＮは各Ｃｏｎｆｉｇｕｒｅｄ  ＮＳＳＡＩが適用されるＰＬＭＮを指示する。
【０２５６】
ＵＥの初期連結時、ＲＡＮはＮＳＳＡＩを用いてメッセージを伝達すべき初期のネットワークスライスを選択する。このために、登録手続でＵＥはネットワークに要求ＮＳＳＡＩ（Ｒｅｑｕｅｓｔｅｄ  ＮＳＳＡＩ）を提供する。このとき、ＵＥがネットワークにＲｅｑｕｅｓｔｅｄ  ＮＳＳＡＩを提供するとき、所定のＰＬＭＮ内のＵＥは、該当ＰＬＭＮのＣｏｎｆｉｇｕｒｅｄ  ＮＳＳＡＩに属したＳ−ＮＳＳＡＩのみを用いる。
【０２５７】
もし、ＵＥがＲＡＮにＮＳＳＡＩを提供しないか、または提供されたＮＳＳＡＩによって適切なネットワークスライスをＲＡＮが選択できないとき、ＲＡＮはデフォルト（Ｄｅｆａｕｌｔ）ネットワークスライスを選択することができる。
【０２５８】
加入データは、ＵＥが加入されたネットワークスライスのＳ−ＮＳＳＡＩを含む。一つ以上のＳ−ＮＳＳＡＩは、基本（ｄｅｆａｕｌｔ）Ｓ−ＮＳＳＡＩとしてマーキングされることができる。Ｓ−ＮＳＳＡＩが基本としてマーキングされると、ＵＥが登録要求（Ｒｅｇｉｓｔｒａｔｉｏｎ  ｒｅｑｕｅｓｔ）内でネットワークにどんなＳ−ＮＳＳＡＩも転送しなくても、ネットワークは関連したネットワークスライスでＵＥにサービスすることができる。
【０２５９】
ＵＥが成功的に登録されると、ＣＮは全体の許可ＮＳＳＡＩ（Ａｌｌｏｗｅｄ  ＮＳＳＡＩ）（一つ以上のＳ−ＮＳＳＡＩを含む）を提供することによって、（Ｒ）ＡＮに知らせる。また、ＵＥの登録手続が成功的に完了したとき、ＵＥはこのＰＬＭＮのためのＡｌｌｏｗｅｄ  ＮＳＳＡＩをＡＭＦから獲得することができる。
【０２６０】
Ａｌｌｏｗｅｄ  ＮＳＳＡＩは、このＰＬＭＮのためのＣｏｎｆｉｇｕｒｅｄ  ＮＳＳＡＩに優先する。ＵＥは、その後、サービングＰＬＭＮ内のネットワークスライス選択関連手続のためのネットワークスライスに該当するＡｌｌｏｗｅｄ  ＮＳＳＡＩ内のＳ−ＮＳＳＡＩのみを用いる。
【０２６１】
各ＰＬＭＮにおいて、ＵＥはＣｏｎｆｉｇｕｒｅｄ  ＮＳＳＡＩ及びＡｌｌｏｗｅｄ  ＮＳＳＡＩ（存在する場合）を格納する。ＵＥがＰＬＭＮのためのＡｌｌｏｗｅｄ  ＮＳＳＡＩを受信するとき、このＰＬＭＮのための以前に格納されたＡｌｌｏｗｅｄ  ＮＳＳＡＩをオーバーライド（ｏｖｅｒｒｉｄｅ）する。
【０２６２】
２）スライス変更
【０２６３】
ネットワークは、ローカルポリシー、ＵＥの移動性、加入情報変更等によって既に選択されたネットワークスライスインスタンスを変更することができる。即ち、ＵＥのネットワークスライスのセットは、ＵＥがネットワークに登録されている間、いつでも変更されることができる。また、ＵＥのネットワークスライスのセットの変更は、ネットワークまたは特定の条件下のＵＥによって開始されることができる。
【０２６４】
地域（ｌｏｃａｌ）ポリシー、加入情報変更及び／又はＵＥの移動性に基づき、ネットワークはＵＥが登録された、許可されるネットワークスライスのセットを変更することができる。ネットワークは、登録手続中にこのような変更を遂行することができ、または、登録手続をトリガーすることができる手続を用いて、支援されるネットワークスライスの変更をＵＥに通知することができる。
【０２６５】
ネットワークスライスの変更時、ネットワークは新たなＡｌｌｏｗｅｄ  ＮＳＳＡＩ及びトラッキング領域リスト（Ｔｒａｃｋｉｎｇ  Ａｒｅａ  ｌｉｓｔ）をＵＥに提供することができる。ＵＥは、移動性管理手続（Ｍｏｂｉｌｉｔｙ  Ｍａｎａｇｅｍｅｎｔ  Ｐｒｏｃｅｄｕｒｅ）によるシグナリングに新たなＮＳＳＡＩを含ませて転送することによって、スライスインスタンスの再選択を誘発する。スライスインスタンスの変更によってこれを支援するＡＭＦも変更されることができる。
【０２６６】
ＵＥがネットワークスライスがこれ以上用いることができない領域に進入すると、コアネットワークはＰＤＵセッション解除手続を介して、これ以上用いることができないネットワークスライスに相応するＳ−ＮＳＳＡＩに対するＰＤＵセッションを解除する。
【０２６７】
これ以上用いることができないスライスに相応するＰＤＵセッションが解除されるとき、ＵＥはＵＥポリシーを用いて既存のトラフィックが他のスライスに属するＰＤＵセッションを介してルーティングされることができるか否かを決定する。
【０２６８】
用いられるＳ−ＮＳＳＡＩのセットの変更のために、ＵＥは登録手続を開始する。
【０２６９】
３）ＳＭＦ選択
【０２７０】
ＰＣＦはネットワークスライス選択ポリシー（ＮＳＳＰ：Ｎｅｔｗｏｒｋ  Ｓｌｉｃｅ  Ｓｅｌｅｃｔｉｏｎ  Ｐｏｌｉｃｙ）をＵＥに提供する。ＮＳＳＰは、ＵＥをＳ−ＮＳＳＡＩと連係させ、トラフィックがルーティングされるＰＤＵセッションを決定するためにＵＥによって用いられる。
【０２７１】
ネットワークスライス選択ポリシーは、ＵＥのアプリケーション別に提供し、これは、ＵＥアプリケーション別にＳ−ＮＳＳＡＩをマッピングすることができる規則を含む。ＡＭＦは、ＵＥが伝達したＳＭ−ＮＳＳＡＩ及びＤＮＮ情報と共に、加入者情報、ローカル事業者ポリシー等を用いてＰＤＵセッションの管理のためのＳＭＦを選択する。
【０２７２】
特定のスライスインスタンスのためのＰＤＵセッションが確立されるとき、ＲＡＮがスライスインスタンスの特定機能にアクセスできるように、ＣＮはこのＰＤＵセッションが属したスライスインスタンスに該当するＳ−ＮＳＳＡＩを（Ｒ）ＡＮに提供する。
【０２７３】
セッション管理（Ｓｅｓｓｉｏｎ  Ｍａｎａｇｅｍｅｎｔ）
【０２７４】
５ＧＣは、ＰＤＵ連結サービス（ＰＤＵ  Ｃｏｎｎｅｃｔｉｖｉｔｙ  Ｓｅｒｖｉｃｅ）、即ち、ＵＥとデータネットワーク名称（ＤＮＮ：Ｄａｔａ  Ｎｅｔｗｏｒｋ  Ｎａｍｅ）（またはアクセスポイント名称（ＡＰＮ：Ａｃｃｅｓｓ  Ｐｏｉｎｔ  Ｎａｍｅ））により識別されるＤＮ間にＰＤＵの交換を提供するサービスを支援する。ＰＤＵ連結サービスは、ＵＥから要求時に確立されるＰＤＵセッションを介して支援される。
【０２７５】
各ＰＤＵセッションは、単一のＰＤＵセッションタイプを支援する。即ち、ＰＤＵセッションの確立時、ＵＥによって要求された単一のタイプのＰＤＵの交換を支援する。次のようなＰＤＵセッションタイプが定義される。ＩＰバージョン４（ＩＰｖ４：ＩＰ  ｖｅｒｓｉｏｎ４）、ＩＰバージョン６（ＩＰｖ６：ＩＰ  ｖｅｒｓｉｏｎ６）、イーサネット（Ｅｔｈｅｒｎｅｔ）、非構造化（ｕｎｓｔｒｕｃｔｕｒｅｄ）。ここで、ＵＥとＤＮとの間に交換されるＰＤＵのタイプは、５Ｇシステムで完全にトランスペアレント（ｔｒａｎｓｐａｒｅｎｔ）である。
【０２７６】
ＰＤＵセッションは、ＵＥとＳＭＦとの間にＮ１を介して交換されるＮＡＳ  ＳＭシグナリングを用いて（ＵＥの要求時）確立され、（ＵＥ及び５ＧＣの要求時）修正され、（ＵＥ及び５ＧＣの要求時）解除される。アプリケーションサーバーからの要求時、５ＧＣはＵＥ内特定のアプリケーションをトリガーすることができる。ＵＥはトリガーメッセージを受信すると、該当メッセージを識別されたアプリケーションに伝達し、識別されたアプリケーションは特定のＤＮＮにＰＤＵセッションを確立することができる。
【０２７７】
ＳＭＦは、ＵＥの要求がユーザー加入情報に従うか否かをチェックする。このため、ＳＭＦはＵＤＭからＳＭＦレベル加入データ（ＳＭＦ  ｌｅｖｅｌ  ｓｕｂｓｃｒｉｐｔｉｏｎ  ｄａｔａ）を獲得する。このようなデータはＤＮＮ別に許可されたＰＤＵセッションタイプを指示することができる：
【０２７８】
多数のアクセスを介して登録されたＵＥは、ＰＤＵセッションを確立するためのアクセスを選択する。
【０２７９】
ＵＥは３ＧＰＰと非−３ＧＰＰアクセスとの間にＰＤＵセッションを移動するために要求することができる。３ＧＰＰと非−３ＧＰＰアクセスとの間にＰＤＵセッションを移動するための決定は、ＰＤＵセッション別に作られる。即ち、ＵＥは他のＰＤＵセッションが非−３ＧＰＰアクセスを用いる中に３ＧＰＰアクセスを用いたＰＤＵセッションを有することができる。
【０２８０】
ネットワークで転送されるＰＤＵセッション確立の要求内で、ＵＥはＰＤＵセッション識別子（ＰＤＵ  Ｓｅｓｓｉｏｎ  Ｉｄ（ｉｄｅｎｔｉｔｙ））を提供する。ＵＥはまた、ＰＤＵセッションタイプ、スライシング（ｓｌｉｃｉｎｇ）情報、ＤＮＮ、サービス、及びセッションの連続性（ＳＳＣ：Ｓｅｒｖｉｃｅ  ａｎｄ  Ｓｅｓｓｉｏｎ  Ｃｏｎｔｉｎｕｉｔｙ）モードを提供することができる。
【０２８１】
ＵＥは、同一のＤＮで、又は互いに異なるＤＮで、３ＧＰＰアクセスを経由して、及び／又は非−３ＧＰＰアクセスを経由して、多数のＰＤＵセッションを同時に確立することができる。
【０２８２】
ＵＥは、互いに異なるＵＰＦ終端Ｎ６によりサービスされる同一のＤＮで多数のＰＤＵセッションを確立することができる。
【０２８３】
多数の確立されたＰＤＵセッションを有するＵＥは、互いに異なるＳＭＦによりサービスされることができる。
【０２８４】
同一のＵＥに属した（同一または互いに異なるＤＮＮで）互いに異なるＰＤＵセッションのユーザー平面経路は、ＤＮと接続（ｉｎｔｅｒｆａｃｉｎｇ）したＵＰＦとＡＮとの間に完全に分離されることができる。
【０２８５】
５Ｇシステムのアーキテクチャーは、セッション及びサービスの連続性（ＳＣＣ：ｓｅｓｓｉｏｎ  ａｎｄ  ｓｅｒｖｉｃｅ  ｃｏｎｔｉｎｕｉｔｙ）を支援することで、ＵＥ内の互いに異なるアプリケーション／サービスの多様な連続性の要求事項を満たすことができる。５Ｇシステムは、互いに異なるＳＳＣモードを支援する。ＰＤＵセッションアンカー（ａｎｃｈｏｒ）と関連したＳＳＣモードは、ＰＤＵセッションが確立している間に変更されない。
【０２８６】
−ＳＳＣモード１が適用されるＰＤＵセッション場合、ネットワークはＵＥに提供される連続性のサービスを維持する。ＩＰタイプのＰＤＵセッションの場合、ＩＰアドレスが維持される。
【０２８７】
−ＳＳＣモード２が用いられる場合、ネットワークはＵＥに伝達される連続性のサービスを解除することができ、また、該当ＰＤＵセッションを解除することができる。ＩＰタイプのＰＤＵセッションの場合、ネットワークはＵＥに割り当てられたＩＰアドレスを解除することができる。
【０２８８】
−ＳＳＣモード３が用いられる場合、ユーザー平面に対する変更はＵＥが分かるが、ネットワークはＩＥが連結性を失わないように保証する。より良いサービスの連続性を許可するために、以前の連結が終了する前に新たなＰＤＵセッションアンカーポイントを介した連結が確立される。ＩＰタイプのＰＤＵセッションの場合、アンカーの再配置の間にＩＰアドレスは維持されない。
【０２８９】
ＳＳＣモード選択ポリシーは、ＵＥのアプリケーション（又はアプリケーショングループ）と関連したＳＳＣモードのタイプを決定するために用いられる。運営者は、ＳＳＣモード選択ポリシーをＵＥに予め設定することができる。このポリシーは、ＵＥがアプリケーション（またはアプリケーショングループ）と関連したＳＳＣモードのタイプを決定するために使用されることができる一つまたはそれ以上のＳＳＣモード選択ポリシー規則を含む。また、このポリシーは、ＵＥの全てのアプリケーションに適用されることができる基本（ｄｅｆａｕｌｔ）ＳＳＣモード選択ポリシー規則を含むことができる。
【０２９０】
ＵＥが新たなＰＤＵセッションを要求するときにＳＳＣモードを提供すると、ＳＭＦは要求されたＳＳＣモードを許諾するか、または要求されたＳＳＣモードを加入情報及び／又は地域（ｌｏｃａｌ）設定に基づいて修正するか選択する。ＵＥが新たなＰＤＵセッションを要求するときにＳＳＣモードを提供しないと、ＳＭＦは加入情報内に挙げられたデータネットワークのためのｄｅｆａｕｌｔ  ＳＳＣモードを選択するか、またはＳＳＣモードを選択するためのｌｏｃａｌ設定を適用する。
【０２９１】
ＳＭＦはＵＥにＰＤＵセッションに対して選択されたＳＳＣモードを知らせる。
【０２９２】
移動性管理（Ｍｏｂｉｌｉｔｙ  Ｍａｎａｇｅｍｅｎｔ）
【０２９３】
登録管理（ＲＭ：Ｒｅｇｉｓｔｒａｔｉｏｎ  Ｍａｎａｇｅｍｅｎｔ）は、ＵＥ／ユーザーをネットワークに登録（ｒｅｇｉｓｔｅｒ）または登録−解除（ｄｅ−ｒｅｇｉｓｔｅｒ）するために、かつユーザーコンテキストをネットワーク内に確立するために用いられる。
【０２９４】
１）登録管理
【０２９５】
ＵＥ／ユーザーは、登録を要求するサービスを受けるために、ネットワークに登録する必要がある。一度登録された後、適用可能であれば、ＵＥは周期的に接近可能（ｒｅａｃｈａｂｌｅ）を維持するために（周期的な登録アップデート）、または移動時（移動性登録アップデート）、または自身の能力をアップデートしたり、プロトコルパラメータを再交渉するためにネットワークに自身の登録をアップデートすることができる。
【０２９６】
最初の登録手続は、ネットワークアクセス制御機能（Ｎｅｔｗｏｒｋ  Ａｃｃｅｓｓ  Ｃｏｎｔｒｏｌ  ｆｕｎｃｔｉｏｎ）の実行（即ち、ＵＤＭ内の加入プロファイルに基づいたユーザー認証及びアクセス認証）を含む。登録手続の結果として、サービングＡＭＦの識別子がＵＤＭ内に登録される。
【０２９７】
図１０は、本発明が適用されることができるＲＭ状態のモデルを例示する。特に、図１０（ａ）は、ＵＥ内のＲＭ状態のモデルを示し、図１０（ｂ）はＡＭＦ内のＲＭ状態のモデルを示す。
【０２９８】
図１０を参照すると、選択されたＰＬＭＮ内のＵＥの登録状態を反映するためにＵＥ及びＡＭＦ内でＲＭ−ＤＥＲＥＧＩＳＴＥＲＥＤ及びＲＭ−ＲＥＧＩＳＴＥＲＥＤの二つのＲＭ状態が使用される。
【０２９９】
ＲＭ−ＤＥＲＥＧＩＳＴＥＲＥＤ状態で、ＵＥはネットワークに登録されない。ＡＭＦ内のＵＥコンテキストは、ＵＥに対する有効な位置またはルーティング情報が維持されず、よって、ＵＥはＡＭＦにより接近可能（ｒｅａｃｈａｂｌｅ）ではない。しかし、例えば、毎登録手続の間に認証手続が遂行されることを防止するために、一部のＵＥコンテキストは、依然としてＵＥ及びＡＭＦ内に格納されることができる。
【０３００】
ＲＭ−ＤＥＲＥＧＩＳＴＥＲＥＤ状態で、ＵＥが登録を要求するサービスを受ける必要があると、ＵＥは最初の登録手続を用いて選択されたＰＬＭＮに登録を試みる。または、最初の登録時に登録拒絶（Ｒｅｇｉｓｔｒａｔｉｏｎ  Ｒｅｊｅｃｔ）を受信すると、ＵＥはＲＭ−ＤＥＲＥＧＩＳＴＥＲＥＤ状態で残る。反面、登録承認（Ｒｅｇｉｓｔｒａｔｉｏｎ  Ａｃｃｅｐｔ）を受信するとき、ＵＥはＲＭ−ＲＥＧＩＳＴＥＲＥＤ状態で進入する。
【０３０１】
ＲＭ−ＤＥＲＥＧＩＳＴＥＲＥＤ状態で、適用可能であるとき、ＡＭＦは登録承認（Ｒｅｇｉｓｔｒａｔｉｏｎ  Ａｃｃｅｐｔ）をＵＥに転送することによって、ＵＥの最初の登録を承認し、ＲＭ−ＲＥＧＩＳＴＥＲＥＤ状態で進入する。または、適用可能であるとき、登録拒絶（Ｒｅｇｉｓｔｒａｔｉｏｎ  Ｒｅｊｅｃｔ）をＵＥに転送することによって、ＵＥの最初の登録を拒絶する。
【０３０２】
ＲＭ−ＲＥＧＩＳＴＥＲＥＤ状態で、ＵＥはネットワークに登録される。ＲＭ−ＲＥＧＩＳＴＥＲＥＤ状態で、ＵＥはネットワークに登録を要求するサービスを受けることができる。
【０３０３】
ＲＭ−ＲＥＧＩＳＴＥＲＥＤ状態で、現在のサービングセルのトラッキング領域識別子（ＴＡＩ：Ｔｒａｃｋｉｎｇ  Ａｒｅａ  Ｉｄｅｎｔｉｔｙ）がネットワークからＵＥが受信していたＴＡＩのリスト内になければ、ＵＥの登録を維持してＡＭＦがＵＥにページングすることができるように、ＵＥは移動性登録アップデート手続（ｍｏｂｉｌｉｔｙ  Ｒｅｇｉｓｔｒａｔｉｏｎ  Ｕｐｄａｔｅ  ｐｒｏｃｅｄｕｒｅ）を遂行する。または、ＵＥが依然として活動（ａｃｔｉｖｅ）状態であるとネットワークに知らせるために、ＵＥは周期的なアップデートタイマーの満了によって、トリガーされた周期的な登録アップデート手続（ｐｅｒｉｏｄｉｃ  Ｒｅｇｉｓｔｒａｔｉｏｎ  Ｕｐｄａｔｅ  ｐｒｏｃｅｄｕｒｅ）を遂行する。または、自身の能力情報をアップデートしたり、ネットワークとプロトコルパラメータを再交渉するために、ＵＥは登録アップデート手続（Ｒｅｇｉｓｔｒａｔｉｏｎ  Ｕｐｄａｔｅ  ｐｒｏｃｅｄｕｒｅ）を遂行する。または、ＵＥがこれ以上ＰＬＭＮに登録される必要がないとき、ＵＥは登録−解除手続（Ｄｅｒｅｇｉｓｔｒａｔｉｏｎ  ｐｒｏｃｅｄｕｒｅ）を遂行し、ＲＭ−ＤＥＲＥＧＩＳＴＥＲＥＤ状態で進入する。ＵＥは、いつでもネットワークから登録−解除（ｄｅｒｅｇｉｓｔｅｒ）を決定することができる。または、ＵＥは登録拒絶（Ｒｅｇｉｓｔｒａｔｉｏｎ  Ｒｅｊｅｃｔ）のメッセージ、登録解除（Ｄｅｒｅｇｉｓｔｒａｔｉｏｎ）のメッセージを受信するとき、またはどんなシグナリングの開始なく、ローカル登録解除（ｌｏｃａｌ  ｄｅｒｅｇｉｓｔｒａｔｉｏｎ）手続を行うとき、ＲＭ−ＤＥＲＥＧＩＳＴＥＲＥＤ状態で進入する。
【０３０４】
−ＲＭ−ＲＥＧＩＳＴＥＲＥＤ状態で、ＵＥがこれ以上ＰＬＭＮに登録される必要がないとき、ＡＭＦは登録−解除手続（Ｄｅｒｅｇｉｓｔｒａｔｉｏｎ  ｐｒｏｃｅｄｕｒｅ）を遂行し、ＲＭ−ＤＥＲＥＧＩＳＴＥＲＥＤ状態で進入する。ＡＭＦはいつでもＵＥの登録−解除（ｄｅｒｅｇｉｓｔｅｒ）を決定することができる。または、暗黙的な登録−解除タイマー（Ｉｍｐｌｉｃｉｔ  Ｄｅｒｅｇｉｓｔｒａｔｉｏｎ  ｔｉｍｅｒ）が満了した後、ＡＭＦはいつでも暗黙的な登録−解除（Ｉｍｐｌｉｃｉｔ  Ｄｅｒｅｇｉｓｔｒａｔｉｏｎ）を遂行する。ＡＭＦは、暗黙的な登録−解除（Ｉｍｐｌｉｃｉｔ  Ｄｅｒｅｇｉｓｔｒａｔｉｏｎ）後にＲＭ−ＤＥＲＥＧＩＳＴＥＲＥＤ状態で進入する。または、通信の終端（ｅｎｄ）で登録解除（ｄｅｒｅｇｉｓｔｒａｉｏｎ） を遂行するために交渉していたＵＥのために地域登録解除（ｌｏｃａｌ  ｄｅｒｅｇｉｓｔｒａｔｉｏｎ）を遂行する。ＡＭＦは、地域登録解除（ｌｏｃａｌ  ｄｅｒｅｇｉｓｔｒａｔｉｏｎ）後にＲＭ−ＤＥＲＥＧＩＳＴＥＲＥＤ状態で進入する。または、適用可能であるとき、ＡＭＦは、ＵＥから登録アップデート（Ｒｅｇｉｓｔｒａｔｉｏｎ  Ｕｐｄａｔｅ）を承認または拒絶する。ＡＭＦは、ＵＥから登録アップデート（Ｒｅｇｉｓｔｒａｔｉｏｎ  Ｕｐｄａｔｅ）を拒絶するとき、ＵＥ登録を拒絶することができる。
【０３０５】
登録領域の管理は、ＵＥに登録領域を割り当て、及び再度割り当てる機能を含む。登録領域は、アクセスタイプ（即ち、３ＧＰＰアクセスまたは非−３ＧＰＰアクセス）別に管理される。
【０３０６】
ＵＥが３ＧＰＰアクセスを介してネットワークに登録されるとき、ＡＭＦはＵＥにＴＡＩリスト内のトラッキング領域（ＴＡ：Ｔｒａｃｋｉｎｇ  Ａｒｅａ）のセットを割り当てる。ＡＭＦが登録領域を割り当てるとき（即ち、ＴＡＩリスト内ＴＡのセット）、ＡＭＦは多様な情報（例えば、移動性パターン及び許容された／非許容された領域等）を考慮することができる、サービング領域として全体ＰＬＭＮ（ｗｈｏｌｅ  ＰＬＭＮ，ａｌｌ  ＰＬＭＮ）を有するＡＭＦは、ＭＩＣＯモードであるＵＥに登録領域として全体ＰＬＭＮを割り当てることができる。
【０３０７】
５Ｇシステムは、単一のＴＡＩリスト内の互いに異なる５Ｇ−ＲＡＴを含むＴＡＩリストの割り当てを支援する。
【０３０８】
ＵＥが非−３ＧＰＰアクセスを介してネットワークに登録されるとき、非−３ＧＰＰアクセスのための登録領域は、固有の予約されたＴＡＩ値（即ち、非−３ＧＰＰアクセスに専用された）に該当する。従って、５ＧＣへの非−３ＧＰＰアクセスのための固有のＴＡが存在し、これをＮ３ＧＰＰ  ＴＡＩと指称する。
【０３０９】
ＴＡＩリストを生成するとき、ＡＭＦはＴＡＩリストが転送されたアクセスに適用可能なＴＡＩのみを含ませる。
【０３１０】
２）連結管理
【０３１１】
連結管理（ＣＭ：Ｃｏｎｎｅｃｔｉｏｎ  Ｍａｎａｇｅｍｅｎｔ）は、ＵＥとＡＭＦとの間のシグナリング連結を確立及び解除するために用いられる。ＣＭはＮ１を介したＵＥとＡＭＦとの間のシグナリング連結を確立及び解除する機能を含む。このシグナリング連結は、ＵＥとコアネットワークとの間にＮＡＳシグナリング交換を可能なようにするために用いられる。このシグナリング連結は、ＵＥとＡＮとの間のＵＥのためのＡＮシグナリング連結及びＡＮとＡＭＦとの間のＵＥのためのＮ２連結の全てを含む。
【０３１２】
図１１は、本発明が適用されることができるＣＭ状態のモデルを例示する。特に、図１１（ａ）は、ＵＥ内のＣＭ状態の遷移を示し、図１１（ｂ）は、ＡＭＦ内のＣＭ状態の遷移を示す。
【０３１３】
図１１を参照すると、ＡＭＦとのＵＥのＮＡＳシグナリング連結を反映するためにＣＭ−ＩＤＬＥ及びＣＭ−ＣＯＮＮＥＣＴＥＤの二つのＣＭ状態が使用される。
【０３１４】
ＣＭ−ＩＤＬＥ状態内のＵＥは、ＲＭ−ＲＥＧＩＳＴＥＲＥＤ状態であり、Ｎ１を介したＡＭＦと確立されたＮＡＳシグナリング連結を有さない。ＵＥは、セルの選択、セルの再選択、及びＰＬＭＮの選択を遂行する。
【０３１５】
ＣＭ−ＩＤＬＥ状態内のＵＥに対するＡＮシグナリング連結、Ｎ２連結、及びＮ３連結が存在しない。
【０３１６】
−ＣＭ−ＩＤＬＥ状態で、ＵＥはＭＩＣＯモードでなければ、サービス要求手続（ｓｅｒｖｉｃｅ  ｒｅｑｕｅｓｔ  ｐｒｏｃｅｄｕｒｅ）を遂行することによって、ページングに応答する（受信した場合）。または、ＵＥが転送すべきアップリンクシグナリングまたはユーザーデータを有するとき、サービス要求手続（ｓｅｒｖｉｃｅ  ｒｅｑｕｅｓｔ  ｐｒｏｃｅｄｕｒｅ）を遂行する。または、ＡＮシグナリング連結がＵＥとＡＮとの間に確立される毎に、ＵＥはＣＭ−ＣＯＮＮＥＣＴＥＤ状態で進入する。または、最初のＮＡＳメッセージ（Ｉｎｉｔｉａｌ  ＮＡＳ  ｍｅｓｓａｇｅ）（登録要求（Ｒｅｇｉｓｔｒａｔｉｏｎ  Ｒｅｑｕｅｓｔ）、サービス要求（Ｓｅｒｖｉｃｅ  Ｒｅｑｕｅｓｔ）または登録−解除要求（Ｄｅｒｅｇｉｓｔｒａｔｉｏｎ  Ｒｅｑｕｅｓｔ））の転送は、ＣＭ−ＩＤＬＥ状態からＣＭ−ＣＯＮＮＥＣＴＥＤ状態で遷移を開始する。
【０３１７】
ＣＭ−ＩＤＬＥ状態で、ＵＥがＭＩＣＯモードでなければ、ＡＭＦがＵＥに転送されるシグナリングまたは端末−終端（ｍｏｂｉｌｅ−ｔｅｒｍｉｎａｔｅｄ）データを有するとき、ページング要求（Ｐａｇｉｎｇ  Ｒｅｑｕｅｓｔ）を該当ＵＥに転送することによって、ネットワークによりトリガーされたサービス要求手続（ｎｅｔｗｏｒｋ  ｔｒｉｇｇｅｒｅｄ  ｓｅｒｖｉｃｅ  ｒｅｑｕｅｓｔ  ｐｒｏｃｅｄｕｒｅ）を遂行する。ＡＮとＡＭＦとの間の該当ＵＥに対するＮ２連結が確立される毎に、ＡＭＦはＣＭ−ＣＯＮＮＥＣＴＥＲ状態で進入する。
【０３１８】
ＣＭ−ＣＯＮＮＥＣＴＥＤ状態であるＵＥは、Ｎ１を介してＡＭＦとのＮＡＳシグナリング連結を有する。
【０３１９】
ＣＭ−ＣＯＮＮＥＣＴＥＤ状態で、ＡＮシグナリング連結が解除される毎にＵＥはＣＭ−ＩＤＬＥ状態で進入する。
【０３２０】
−ＣＭ−ＣＯＮＮＥＣＴＥＤ状態で、ＵＥのためのＮ２シグナリングの連結及びＮ３連結が解除される毎にＡＭＦはＣＭ−ＩＤＬＥ状態で進入する。
【０３２１】
−ＮＡＳシグナリング手続が完了するとき、ＡＭＦはＵＥのＮＡＳシグナリング連結を解除するように決定することができる。ＡＮシグナリング連結の解除が完了するとき、ＵＥ内のＣＭ状態はＣＭ−ＩＤＬＥに変更される。Ｎ２コンテキスト解除手続が完了するとき、ＡＭＦ内のＵＥのためのＣＭ状態はＣＭ−ＩＤＬＥに変更される。
【０３２２】
ＡＭＦは、ＵＥがコアネットワークから登録−解除（ｄｅ−ｒｅｇｉｓｔｅｒ）するまでＵＥをＣＭ−ＣＯＮＮＥＣＴＥＤ状態で維持させることができる。
【０３２３】
ＣＭ−ＣＯＮＮＥＣＴＥＤ状態であるＵＥは、ＲＲＣ非活性（ＲＲＣ  Ｉｎａｃｔｉｖｅ）状態であり得る。ＵＥがＲＲＣ  Ｉｎａｃｔｉｖｅ状態であるとき、ＵＥの接近可能性（ｒｅａｃｈａｂｉｌｉｔｙ）は、コアネットワークからの補助情報を用いてＲＡＮにより管理される。また、ＵＥがＲＲＣ  Ｉｎａｃｔｉｖｅ状態であるとき、ＵＥページングはＲＡＮにより管理される。さらに、ＵＥがＲＲＣ  Ｉｎａｃｔｉｖｅ状態であるとき、ＵＥはＵＥのＣＮ及びＲＡＮ識別子を用いてページングをモニタする。
【０３２４】
ＲＲＣ  Ｉｎａｃｔｉｖｅ状態は、ＮＧ−ＲＡＮに適用される（即ち、５Ｇ  ＣＮに連結されるＮＲ及びＥ−ＵＴＲＡに適用される。）。
【０３２５】
ネットワークの設定に基づき、ＵＥをＲＲＣ  Ｉｎａｃｔｉｖｅ状態で切り換えるか否かに対するＮＧ−ＲＡＮの決定を補助するために、ＡＭＦは補助情報をＮＧ−ＲＡＮに提供する。
【０３２６】
ＲＲＣ  Ｉｎａｃｔｉｖｅ補助情報は、ＲＲＣ  Ｉｎａｃｔｉｖｅ状態中にＲＡＮページングのためのＵＥ特定ＤＲＸ（Ｄｉｓｃｏｎｔｉｎｕｏｕｓ  Ｒｅｃｅｐｔｉｏｎ）値、且つＵＥに提供される登録領域を含む。
【０３２７】
ＣＮ補助情報は、Ｎ２活性化（ａｃｔｉｖａｔｉｏｎ）中に（即ち、登録、サービス要求、経路スイッチ中に）サービングＮＧ  ＲＡＮノードに提供される。
【０３２８】
Ｎ２及びＮ３リファレンスポイントの状態は、ＲＲＣ  Ｉｎａｃｔｉｖｅを伴うＣＭ−ＣＯＮＮＥＣＴＥＤ状態で進入するＵＥにより変更されない。ＲＲＣ  Ｉｎａｃｔｉｖｅ状態であるＵＥはＲＡＮ通知領域を知っている。
【０３２９】
ＵＥがＲＲＣ  Ｉｎａｃｔｉｖｅを伴うＣＭ−ＣＯＮＮＥＣＴＥＤ状態であるとき、ＵＥはアップリンクデータ待機（ｐｅｎｄｉｎｇ）、端末開始（Ｍｏｂｉｌｅ  ｉｎｉｔｉａｔｅｄ）シグナリング手続（即ち、周期的な登録アップデート）、ＲＡＮページングに対する応答またはＵＥがＲＡＮ通知領域を外れていることをネットワークへの通知によってＲＲＣ連結を再開（ｒｅｓｕｍｅ）することができる。
【０３３０】
ＵＥが同一のＰＬＭＮ内の互いに異なるＮＧ−ＲＡＮノードで連結が再開されると、ＵＥ  ＡＳコンテキストは、以前（ｏｌｄ）のＮＧ  ＲＡＮノードから回収され、手続はＣＮに向かってトリガーされる。
【０３３１】
ＵＥがＲＲＣ  Ｉｎａｃｔｉｖｅを伴うＣＭ−ＣＯＮＮＥＣＴＥＤ状態であるとき、ＵＥはＧＥＲＡＮ／ＵＴＲＡＮ／ＥＰＳにセル選択を遂行し、アイドルモード手続に従う。
【０３３２】
また、ＲＲＣ  Ｉｎａｃｔｉｖｅを伴うＣＭ−ＣＯＮＮＥＣＴＥＤ状態であるＵＥは、ＣＭ−ＩＤＬＥモードで進入し、次のような場合に関連するＮＡＳ手続に従う。
【０３３３】
−ＲＲＣ再開手続が失敗する場合、
【０３３４】
−ＲＲＣ  Ｉｎａｃｔｉｖｅモード内で解決できない失敗のシナリオ内でＵＥのＣＭ−ＩＤＬＥモードへの移動が要求される場合。
【０３３５】
ＮＡＳシグナリング連結管理は、ＮＡＳシグナリング連結を確立及び解除する機能を含む。
【０３３６】
ＮＡＳシグナリング連結確立の機能は、ＣＭ−ＩＤＬＥ状態であるＵＥのＮＡＳシグナリング連結を確立するためにＵＥ及びＡＭＦにより提供される。
【０３３７】
ＣＭ−ＩＤＬＥ状態であるＵＥがＮＡＳメッセージを転送する必要があるとき、ＵＥはＡＭＦへのシグナリング連結を確立するために、サービス要求（Ｓｅｒｖｉｃｅ  Ｒｅｑｕｅｓｔ）または登録（ｒｅｇｉｓｔｒａｔｉｏｎ）手続を開始する。
【０３３８】
ＵＥの選好度、ＵＥ加入情報、ＵＥ移動性パターン、及びネットワーク設定に基づき、ＡＭＦはＵＥがネットワークから登録−解除（ｄｅ−ｒｅｇｉｓｔｅｒ）するまでＮＡＳシグナリング連結を維持することができる。
【０３３９】
ＮＡＳシグナリング連結の解除手続は、５Ｇ（Ｒ）ＡＮノードまたはＡＭＦにより開始される。
【０３４０】
ＵＥがＡＮシグナリング連結が解除されることを感知すると、ＵＥはＮＡＳシグナリング連結が解除されたと判断する。ＡＭＦがＮ２コンテキストが解除されたと感知すると、ＡＭＦはＮＡＳシグナリング連結が解除されたと判断する。
【０３４１】
３）ＵＥ移動性制限（Ｍｏｂｉｌｉｔｙ  Ｒｅｓｔｒｉｃｔｉｏｎ）
【０３４２】
移動性制限は、５Ｇシステム内ＵＥのサービスアクセスまたは移動性制御を制限する。移動性制限機能は、ＵＥ、ＲＡＮ、及びコアネットワークにより提供される。
【０３４３】
移動性制限は３ＧＰＰアクセスにのみ適用され、非−３ＧＰＰアクセスには適用されない。
【０３４４】
ＣＭ−ＩＤＬＥ状態、及びＲＲＣ  Ｉｎａｃｔｉｖｅを伴うＣＭ−ＣＯＮＮＥＣＴＥＤ状態で、移動性制限はコアネットワークから受信された情報に基づいてＵＥにより遂行される。ＣＭ−ＣＯＮＮＥＣＴＥＤ状態で、移動性制限はＲＡＮ及びコアネットワークにより遂行される。
【０３４５】
ＣＭ−ＣＯＮＮＥＣＴＥＤ状態で、コアネットワークはＲＡＮに移動性制限のためのハンドオーバー制限リスト（Ｈａｎｄｏｖｅｒ  Ｒｅｓｔｒｉｃｔｉｏｎ  Ｌｉｓｔ）として提供する。
【０３４６】
移動性制限は、次のようにＲＡＴ制限、禁止された領域（Ｆｏｒｂｉｄｄｅｎ  ａｒｅａ）及びサービス領域制限を含む：
【０３４７】
−ＲＡＴ制限：ＲＡＴ制限は、ＵＥのアクセスが許可されない３ＧＰＰ  ＲＡＴと定義される。制限されたＲＡＴ内のＵＥは、加入情報に基づいてネットワークとのどんな通信を開始するように許可されない。
【０３４８】
−禁止された領域：所定のＲＡＴ下の禁止された領域内で、ＵＥは加入情報に基づいてネットワークとのどんな通信を開始するように許可されない。
【０３４９】
−サービス領域制限：ＵＥが次のようにネットワークとの通信を開始することができるか、または開始することができない領域を定義する：
【０３５０】
−許可された領域（Ａｌｌｏｗｅｄ ａｒｅａ）：所定のＲＡＴ下の許可された領域内で、ＵＥは、加入情報によって許可されると、ネットワークとの通信を開始するように許可される。
【０３５１】
−許可されていない領域（Ｎｏｎ−ａｌｌｏｗｅｄ  ａｒｅａ）：所定のＲＡＴ下の許可されていない領域内で、ＵＥは、加入情報に基づいてサービス領域が制限される。ＵＥ及びネットワークは、サービス要求（Ｓｅｒｖｉｃｅ  Ｒｅｑｕｅｓｔ）またはユーザーサービスを獲得するための（ＣＭ−ＩＤＬＥ及びＣＭ−ＣＯＮＮＥＣＴＥＤ状態のすべて）のセッション管理シグナリングを開始するように許可されない。ＵＥのＲＭ  ｐｒｏｃｅｄｕｒｅはＡｌｌｏｗｅｄ  ａｒｅａと同一である。許可されていない領域内のＵＥは、コアネットワークのページングにサービス要求（Ｓｅｒｖｉｃｅ  Ｒｅｑｕｅｓｔ）として応答する。
【０３５２】
所定のＵＥにおいて、コアネットワークは、ＵＥ加入情報に基づいてサービス領域制限を決定する。選択的に、許可された領域は、ＰＣＦにより精巧に調整（ｆｉｎｅ−ｔｕｎｅｄ）（例えば、ＵＥ位置、永久的な機器識別子（ＰＥＩ：Ｐｅｒｍａｎｅｎｔ  Ｅｑｕｉｐｍｅｎｔ  Ｉｄｅｎｔｉｆｉｅｒ）、ネットワークポリシー等に基づいて）されることができる。サービス領域制限は、例えば、加入情報、位置、ＰＥＩ及び／又はポリシーの変更により変更されることができる。サービス領域制限は、登録（Ｒｅｇｉｓｔｒａｔｉｏｎ）手続中にアップデートされることができる。
【０３５３】
ＵＥがＲＡＴ制限、禁止された領域、許可された領域、許可されていない領域またはこれらの組み合わせの間に重なる領域を有すると、ＵＥは次のような優先順位によって進行する：
【０３５４】
−ＲＡＴ制限の評価は、どんな他の移動性制限の評価よりも優先する；
【０３５５】
−禁止された領域の評価は、許可された領域及び許可されていない領域の評価よりも優先する；及び
【０３５６】
−許可されていない領域の評価は、許可された領域の評価よりも優先する。
【０３５７】
４）端末開始連結専用（ＭＩＣＯ：Ｍｏｂｉｌｅ  Ｉｎｉｔｉａｔｅｄ  Ｃｏｎｎｅｃｔｉｏｎ  Ｏｎｌｙ）モード
【０３５８】
ＵＥは、最初の登録、又は登録アップデート中にＭＩＣＯモードの選好（ｐｒｅｆｅｒｅｎｃｅ）を指示することができる。ＡＭＦは、Ｌｏｃａｌ設定、ＵＥが指示したｐｒｅｆｅｒｅｎｃｅ、ＵＥ加入情報、及びネットワークポリシーまたはこれらの組み合わせに基づいてＭＩＣＯモードがＵＥに許可されるか否かを決定し、登録手続中にＵＥに知らせる。
【０３５９】
ＵＥ及びコアネットワークは、次の登録シグナリングでＭＩＣＯモードを再開始（ｒｅ−ｉｎｉｔｉａｔｅ）または終了（ｅｘｉｔ）する。ＭＩＣＯモードが登録手続内で明確に指示されず登録手続が成功的に完了すると、ＵＥ及びＡＭＦはＭＩＣＯモードを用いない。即ち、ＵＥは一般のＵＥとして動作し、ネットワークも該当ＵＥは一般のＵＥとして取り扱う。
【０３６０】
ＡＭＦは、登録手続中にＵＥに登録領域を割り当てる。ＡＭＦがＵＥにＭＩＣＯモードを指示すると、登録領域はページング領域のサイズに制限されない。ＡＭＦサービング領域が全体のＰＬＭＮであれば、ＡＭＦはＵＥに「全てのＰＬＭＮ」の登録領域を提供することができる。この場合、移動性による同一のＰＬＭＮへの再登録は適用しない。ＭＩＣＯモードであるＵＥに移動性制限が適用されると、ＡＭＦは許可された領域／許可されていない領域にＵＥに割り当てる。
【０３６１】
ＡＭＦがＵＥにＭＩＣＯモードを指示すると、ＡＭＦはＵＥがＣＭ−ＩＤＬＥ状態である間には常に接近可能ではないと（ｕｎｒｅａｃｈａｂｌｅ）と見なす。ＡＭＦは、ＭＩＣＯモードであり、ＣＭ−ＩＤＬＥ状態である該当ＵＥに対するダウンリンクデータ伝達のためのどんな要求も拒絶する。ＡＭＦは、また、ＮＡＳを介したＳＭＳ、位置サービス等のようなダウンリンクの伝達（ｔｒａｎｓｐｏｒｔ）を遅延させる。ＭＩＣＯモード内のＵＥは、ＵＥがＣＭ−ＣＯＮＮＥＣＴＥＤモードであるときのみ、端末終端（ｍｏｂｉｌｅ  ｔｅｒｍｉｎａｔｅｄ）データまたはシグナリングのために接近可能である（ｒｅａｃｈａｂｌｅ）。
【０３６２】
ＭＩＣＯモードであるＵＥがＣＭ−ＣＯＮＮＥＣＴＥＤモードに切り換えるとき、ｍｏｂｉｌｅ  ｔｅｒｍｉｎａｔｅｄデータ及び／又はシグナリングを直ちに伝達することができるように、ＡＭＦはペンディングデータ指示（Ｐｅｎｄｉｎｇ  Ｄａｔａ  ｉｎｄｉｃａｔｉｏｎ）をＲＡＮノードに提供することができる。ＲＡＮノードがこの指示を受信すると、ＲＡＮノードはユーザー非活動性（ｉｎａｃｔｉｖｉｔｙ）を決定するときにこの情報を考慮する。
【０３６３】
ＭＩＣＯモードであるＵＥはＣＭ−ＩＤＬＥ状態の間にページングを聴取する必要がない。ＭＩＣＯモードであるＵＥが次のような理由の一つにより、ＣＭ−ＩＤＬＥからＣＭ−ＣＯＮＮＥＣＴＥＤモードへの切り換えを開始するまで、ＵＥはＣＭ−ＩＤＬＥ状態内でどんなＡＳ手続を中断することができる：
【０３６４】
−ＵＥ内の変更（例えば、設定変更）がネットワークへの登録アップデートを要求する場合
【０３６５】
−周期的な登録タイマーが満了する場合
【０３６６】
−ＭＯ（Ｍｏｂｉｌｅ  Ｏｒｉｇｉｎａｔｉｎｇ）データがペンディング（ｐｅｎｄｉｎｇ）である場合
【０３６７】
−ＭＯシグナリングがペンディング（ｐｅｎｄｉｎｇ）である場合
【０３６８】
サービスの品質（ＱｏＳ：Ｑｕａｌｉｔｙ  ｏｆ  Ｓｅｒｖｉｃｅ）モデル
【０３６９】
Ｑｏｓとは、多様なトラフィック（メール、データ転送、音声、映像）を各々の性格によってユーザーに円滑なサービスを伝達するための技術である。
【０３７０】
５Ｇ  ＱｏＳモデル（ｍｏｄｅｌ）は、フレームワークベースのＱｏＳフロー（ｆｌｏｗ）を支援する。５Ｇ  ＱｏＳ  ｍｏｄｅｌは、保証されたフロービットレート（ＧＦＢＲ：Ｇｕａｒａｎｔｅｅｄ  Ｆｌｏｗ  Ｂｉｔ  Ｒａｔｅ）を要求するＱｏＳフロー及びＧＦＢＲを要求しないＱｏＳフローを全て支援する。
【０３７１】
ＱｏＳフローは、ＰＤＵセッションでＱｏＳ区別のための最も精密な単位（ｆｉｎｅｓｔ  ｇｒａｎｕｌａｒｉｔｙ）である。
【０３７２】
ＱｏＳフロー識別子（ＱＦＩ：ＱｏＳフローＩＤ）は、５Ｇシステム内でＱｏＳフローを識別するために用いられる。ＱＦＩは、ＰＤＵセッション内で固有である。ＯＤＵセッション内の同一のＱＦＩを有するユーザー平面トラフィックは、同一のトラフィック伝達の処理（例えば、スケジューリング、承認臨界値（ａｄｍｉｓｓｉｏｎ  ｔｈｒｅｓｈｏｌｄ）等）を受信する。ＱＦＩは、Ｎ３（及びＮ９）上でカプセル化ヘッダー（ｅｎｃａｐｓｕｌａｔｉｏｎ  ｈｅａｄｅｒ）内で伝達される。ＱＦＩは互いに異なるペイロードのタイプのＰＤＵ（即ち、ＩＰパケット、ｕｎｓｔｒｕｃｔｕｒｅｄパケット、イーサネットフレーム）に適用されることができる。
【０３７３】
ただし、本明細書では、説明の便宜のために、「ＱｏＳ」と「ＱｏＳフロー」  を混用して使用する。従って、本明細書での「ＱｏＳ」は「ＱｏＳフロー」を意味するか、または「ＱｏＳ」は「ＱｏＳフロー」を意味するものと解釈され得る。
【０３７４】
５Ｇシステム内で、ＱｏＳフローは、ＰＤＵセッションの確立（ｅｓｔａｂｌｉｓｈｍｅｎｔ）またはＱｏＳフローの確立／変更（ｍｏｄｉｆｉｃａｔｉｏｎ）時にＳＭＦによって制御されることができる。
【０３７５】
適用可能な場合、全てのＱｏＳフローは、次のような特徴を有する：
【０３７６】
−予めＡＮに設定されるか、またはＮ２リファレンスポイントを介してＳＭＦからＡＭＦを経てＡＮに提供されるＱｏＳプロファイル；
【０３７７】
−Ｎ１リファレンスポイントを介してＡＭＦを経てＳＭＦからＵＥに提供された一つ以上のネットワーク−提供のＱｏＳ規則及び／又は一つ以上のＵＥ導出（ｄｅｒｉｖｅｄ）ＱｏＳ規則
【０３７８】
−Ｎ４リファレンスポイントを介してＳＭＦからＵＰＦに提供されたＳＤＦ分類およびＱｏＳ関連の情報（例えば、セッション−ＡＭＢＲ（Ａｇｇｒｅｇａｔｅ  Ｍａｘｉｍｕｍ  Ｂｉｔ  Ｒａｔｅ））。
【０３７９】
ＱｏＳフローは、ＱｏＳプロファイルによって、「保証されたビットレート  （ＧＢＲ：Ｇｕａｒａｎｔｅｅｄ  Ｂｉｔ  Ｒａｔｅ）」または「保証されていないビットレート（Ｎｏｎ−ＧＢＲ：Ｎｏｎ−Ｇｕａｒａｎｔｅｅｄ  Ｂｉｔ  Ｒａｔｅ）」になることができる。ＱｏＳフローのＱｏＳプロファイルは、次のようなＱｏＳパラメータを含む：
【０３８０】
ｉ）それぞれのＱｏＳフローに対し、ＱｏＳパラメータは、次を含むことができる：
【０３８１】
−５Ｇ  ＱｏＳの指示子（５ＱＩ：５Ｇ  ＱｏＳ  Ｉｎｄｉｃａｔｏｒ）：５ＱＩは、５Ｇ  ＱｏＳの特徴（即ち、ＱｏＳフローのための制御ＱｏＳ伝達取り扱いアクセスノード−特定のパラメータ、例えば、スケジューリングの加重値、承認臨界値、キュー管理臨界値、リンク層のプロトコル設定など）を参照するためのスカラーである。
【０３８２】
−割り当て及び保有の優先順位（ＡＲＰ：Ａｌｌｏｃａｔｉｏｎ  ａｎｄ  Ｒｅｔｅｎｔｉｏｎ  Ｐｒｉｏｒｉｔｙ）：ＡＲＰは、優先順位レベル、先取り（ｐｒｅ−ｅｍｐｔｉｏｎ）能力、及び先取りの脆弱性（ｖｕｌｎｅｒａｂｉｌｉｔｙ）を含む。優先順位レベルは、リソース要求の相対的な重要性を定義する。  これは、リソースが制限された場合、新たなＱｏＳフローが受け入れ可能か拒絶される必要があるかを決定するために用いられ、また、リソースが制限された間に、既存のＱｏＳフローがリソースを先取りするか否かを決定するために用いられる。
【０３８３】
ｉｉ）また、各ＧＢＲ  ＱｏＳフローの場合にのみ、ＱｏＳ、パラメータは、  さらに次を含むことができる：
【０３８４】
−ＧＦＢＲ−アップリンク及びダウンリンク；
【０３８５】
−最大フロービットレート（ＭＦＢＲ：Ｍａｘｉｍｕｍ  Ｆｌｏｗ  Ｂｉｔ  Ｒａｔｅ）−アップリンク及びダウンリンク；及び
【０３８６】
−通知制御（Ｎｏｔｉｆｉｃａｔｉｏｎ  ｃｏｎｔｒｏｌ）。
【０３８７】
ｉｉｉ）Ｎｏｎ−ＧＢＲ  ＱｏＳフローの場合にのみ、ＱｏＳパラメータは、さらに以下を含むことができる：Ｒｅｆｌｅｃｔｉｖｅ  ＱｏＳ属性（ＲＱＡ：Ｒｅｆｌｅｃｔｉｖｅ  ＱｏＳ  Ａｔｔｒｉｂｕｔｅ）
【０３８８】
次のようなＱｏＳフローを制御する方法が支援される：
【０３８９】
１）ｎｏｎ−ＧＢＲ  ＱｏＳフローの場合：標準化された５ＱＩまたは予め設定された５ＱＩが用いられる場合、前記５ＱＩ値はＱｏＳフローのＱＦＩとして用いられ、基本ＡＲＰがＡＮに予め設定される；
【０３９０】
２）ＧＢＲ  ＱｏＳフローの場合：標準化された５ＱＩまたは予め設定された５ＱＩが用いられる場合、前記５ＱＩ値は、ＱｏＳフローのＱＦＩとして用いられる。基本ＡＲＰは、ＰＤＵセッションの確立時にＲＡＮに転送され、ＮＧ−ＲＡＮが用いられる毎にＰＤＵセッションのＵＰ（Ｕｓｅｒ  Ｐｌａｎｅ）が活性化される；
【０３９１】
３）ＧＢＲおよびｎｏｎ−ＧＢＲ  ＱｏＳフローの場合：割り当てられたＱＦＩが用いられる。５ＱＩ値は、規格化、予め設定または非規格化されることができる。ＱｏＳフローのＱｏＳプロファイル及びＱＦＩはＰＤＵセッションの確立時またはＱｏＳフローの確立／変更時にＮ２を介して（Ｒ）ＡＮに提供されることができ、ＮＧ−ＲＡＮが用いられる毎にＰＤＵセッションのＵＰ（Ｕｓｅｒ  Ｐｌａｎｅ）が活性化される。
【０３９２】
ＵＥは、ＱｏＳ規則に基づいて、ＵＬユーザー平面トラフィックのマーキング及び分類（即ち、ＱｏＳフローに対するＵＬトラフィックの連係（ａｓｓｏｃｉａｔｉｏｎ））を遂行することができる。このような規則は、明示的にＵＥに提供されるか（ＰＤＵセッションの確立またはＱｏＳフローの確立時）、ＵＥに予め設定されているか、またはｒｅｆｌｅｃｔｉｖｅ  ＱｏＳを適用することにより、ＵＥによって暗示的に導出されることができる。
【０３９３】
ＱｏＳ規則は、ＰＤＵセッション内で固有のＱｏＳ規則識別子、関連したＱｏＳフローのＱＦＩ、一つ以上のパケットフィルタおよび優先順位値（ｐｒｅｃｅｄｅｎｃｅ  ｖａｌｕｅ）を含むことができる。さらに、割り当てられたＱＦＩに対して、ＱｏＳ規則は、ＵＥに関連したＱｏＳパラメータを含むことができる。同一のＱｏＳフロー（即ち、同一のＱＦＩを有する）に関連したＱｏＳ規則が一つ以上存在することができる。
【０３９４】
基本（ｄｅｆａｕｌｔ）ＱｏＳ規則は、全てのＰＤＵセッションに必要であり得る。基本ＱｏＳ規則は、パケットフィルタを含まないことがあるＰＤＵセッションの唯一のＱｏＳ規則であり得る（この場合、最も高い優先順位値（即ち、最も低い優先順位）が用いられなければならない）。万が一、基本ＱｏＳ規則がパケットフィルタを含まなければ、基本ＱｏＳ規則は、ＰＤＵセッションで他のＱｏＳ規則とマッチしないパケットの処理を定義する。
【０３９５】
ＳＭＦはＳＤＦのＱｏＳ及びサービスの要件事項に応じて、ＱｏＳフローに対するＳＤＦ間のバインディング（ｂｉｎｄｉｎｇ）を遂行する。ＳＭＦは、新たなＱｏＳ  フローに対してＱＦＩを割り当て、ＰＣＦによって提供された情報から新たなＱｏＳフローのＱｏＳパラメータを導出する。適用可能な場合、ＳＭＦは（Ｒ）ＡＮにＱｏＳプロファイルと共にＱＦＩを提供することができる。  ＳＭＦはＳＤＦの優先順位、ＱｏＳ関連情報及び対応するパケットマーキング  情報（即ち、ＱＦＩ、ＤＳＣＰ（Ｄｉｆｆｅｒｅｎｔｉａｔｅｄ  Ｓｅｒｖｉｃｅｓ  Ｃｏｄｅ  Ｐｏｉｎｔ）値、及び選択的にＵＰＦに対するｒｅｆｌｅｃｔｉｖｅ  ＱｏＳ指示を用いて、ユーザー平面トラフィックの分類、帯域幅の適用及びマーキングを可能にする）と共にＳＤＦテンプレート（即ち、ＰＣＦから受信されたＳＤＦと関連したパケットフィルタのセット）を提供する。適用可能な場合、ＳＭＦは、ＱｏＳフローのＱＦＩを追加したＰＤＵセッション内で固有のＱｏＳ規則識別子を割り当て、ＳＤＦテンプレートのＵＬ部分に対するパケットフィルタを設定し、ＳＤＦ優先順位に対してＱｏＳ規則の優先順位を設定することにより、ＰＤＵセッションに対するＱｏＳ規則を生成する。ＱｏＳ規則は、ＵＬユーザー平面トラフィックの分類およびマーキングを可能にするＵＥに提供される。
【０３９６】
図１２は、本発明の一実施例に係るＱｏＳフローのための分類及びユーザー平面マーキング、ＱｏＳフローのＡＮリソースへのマッピングを例示する。
【０３９７】
１）ダウンリンク
【０３９８】
ＳＭＦは毎ＱｏＳフローのためのＱＦＩを割り当てる。また、ＳＭＦはＰＣＦによって提供された情報からＱｏＳパラメータを導出する。
【０３９９】
ＳＭＦは、ＱｏＳフローのＱｏＳパラメータを含むＱｏＳプロファイルと共にＱＦＩを一緒に（Ｒ）ＡＮに提供する。また、ＰＤＵセッションまたはＱｏＳフローが確立されるとき、Ｎ２を介してＱｏＳプロファイルとしてＱｏＳ  フローのＱｏＳパラメータが（Ｒ）ＡＮに提供される。また、ＮＧ−ＲＡＮが用いられる毎に、ユーザー平面は活性化される。また、ｎｏｎ−ＧＢＲ  ＱｏＳフローのためにＱｏＳパラメータは、（Ｒ）ＡＮに予め設定されることができる。
【０４００】
また、ＵＰＦがダウンリンクユーザー平面パケットの分類及びマーキングを遂行することができるように、ＳＭＦはＳＤＦ選好（ｐｒｅｃｅｄｅｎｃｅ）と該当ＱＦＩと共にＳＤＦ  ｔｅｍｐｌａｔｅ（即ち、ＰＣＦから受信したＳＤＦと関連したパケットフィルタのセット）をＵＰＦに提供する。
【０４０１】
ダウンリンク流入データパケットは、ＳＤＦ選好（ｐｒｅｃｅｄｅｎｃｅ）（追加的にＮ４シグナリングの開始なく）によるＳＤＦテンプレートに基づいて分類される。ＣＮはＱＦＩを用いたＮ３（およびＮ９）ユーザー平面マーキングを介してＱｏＳフローに属するユーザー平面トラフィックを分類する。ＡＮは  ＱｏＳフローをＡＮリソース（即ち、３ＧＰＰ  ＲＡＮの場合ＤＲＢ）にバインディング（ｂｉｎｄ）する。このとき、ＱｏＳフローとＡＮリソースとの間の関係は、１：１に制限されない。ＵＥがＱＦＩを受信できるようにＱｏＳフローをＤＲＢにマッピングするために必要なＡＮリソースを設定することは、ＡＮにかかっている（また、ｒｅｆｌｅｃｔｉｖｅ  ＱｏＳが適用されることができる）。
【０４０２】
万が一、マッチングが発見されず、全てのＱｏＳフローが一つ以上のＤＬパケットフィルタと関連する場合、ＵＰＦはＤＬデータパケットを廃棄することができる。
【０４０３】
ダウンリンクトラフィックを処理するのに適用される特徴は、以下の通りである：
【０４０４】
−ＵＰＦはＳＤＦテンプレートに基づいて、ユーザー平面トラフィックを  ＱｏＳフローにマッピングする。
【０４０５】
−ＵＰＦは、セッション−ＡＭＢＲの施行を遂行し、充電を支援するためにＰＤＵカウンティングを行う。
【０４０６】
−ＵＰＦは５ＧＣと（Ａ）ＡＮとの間の単一のトンネルでＰＤＵセッションのＰＤＵを転送することができ、ＵＰＦはＱＦＩをカプセル化ヘッダーに含ませることができる。
【０４０７】
−ＵＰＦは、ダウンリンクで転送レベルパケットマーキングを遂行する（例えば、外部（ｏｕｔｅｒ）のＩＰヘッダーにＤｉｆｆＳｅｒｖコードを設定する）。転送レベルパケットマーキングは、５ＱＩ及び関連したＱｏＳフローの  ＡＲＰをベースとする。
【０４０８】
−（Ｒ）ＡＮは、ダウンリンクパケットと関連したＮ３トンネルを考慮して、ＱＦＩ及び関連の５Ｇ  ＱｏＳ特性及びパラメータに基づいて、ＱｏＳフローからのＰＤＵをアクセス−特定のリソースにマッピングする。
【０４０９】
−万が一、ｒｅｆｌｅｃｔｉｖｅ  ＱｏＳが適用される場合、ＵＥは、新たなｄｅｒｉｖｅｄ  ＱｏＳ規則（または「ＵＥ  ｄｅｒｉｖｅｄ  ＱｏＳ規則」と指称可能）を生成することができる。Ｄｅｒｉｖｅｄ  ＱｏＳ規則内のパケットフィルタは、ＤＬパケット（即ち、ＤＬパケットのヘッダー）から導出されることができ、ｄｅｒｉｖｅｄ  ＱｏＳ規則のＱＦＩはＤＬパケットのＱＦＩに応じて設定されることができる。
【０４１０】
２）アップリンク
【０４１１】
ＳＭＦは、ＱｏＳ規則識別子を割り当て、ＱｏＳフローのＱＦＩを追加し、ＳＤＦ  ｔｅｍｐｌａｔｅのアップリンク部分にパケットフィルタをセッティングし、ＳＤＦ  ｐｒｅｃｅｄｅｎｃｅにＱｏＳ規則ｐｒｅｃｅｄｅｎｃｅをセッティングすることで、ＰＤＵセッションのためのＱｏＳ規則を生成する。  ＵＥが分類及びマーキングを遂行することができるように、ＳＭＦは、ＱｏＳ規則をＵＥに提供することができる。
【０４１２】
ＱｏＳ規則は、ＱｏＳ規則識別子、ＱｏＳフローのＱＦＩ、一つまたはそれ以上のパケットフィルタ、及び選好値（ｐｒｅｃｅｄｅｎｃｅ  ｖａｌｕｅ）を含む。同一のＱＦＩ（即ち、同一のＱｏＳフロー）と一つ以上のＱｏＳ規則が関連することができる。
【０４１３】
基本ＱｏＳ規則は、毎ＰＤＵセッションに要求される。基本ＱｏＳ規則は、  パケットフィルタを含まない（この場合、最も高いｐｒｅｃｅｄｅｎｃｅ  ｖａｌｕｅ（即ち、最も低い優先順位（ｐｒｉｏｒｉｔｙ））が用いられる）ＰＤＵセッションのＱｏＳ規則である。基本ＱｏＳ規則がパケットフィルタを含まないと、基本ＱｏＳ規則は、ＰＤＵセッション内のどんな他のＱｏＳ規則ともマッチされないパケットの処理を定義する。
【０４１４】
ＵＥは、アップリンクユーザー平面トラフィックの分類およびマーキングを行う。即ち、ＱｏＳ規則に基づいてアップリンクトラフィックをＱｏＳフローに連係させる。この規則は、Ｎ１を介して明示的にシグナリングされてもよく（ＰＤＵセッションの確立時またはＱｏＳフローの確立時）、またはＵＥ内に予め設定されてもよく、または反映されるＱｏＳからＵＥによって暗黙的に導出されてもよい。
【０４１５】
ＵＬで、ＵＥはマッチングＱｏＳ規則（即ち、パケットフィルタがＵＬパケットとマッチング）が発見されるまでＱｏＳ規則の優先順位値（ｐｒｅｃｅｄｅｎｃｅ  ｖａｌｕｅ）に基づいて（即ち、ｐｒｅｃｅｄｅｎｃｅ  ｖａｌｕｅが増加される順序に）ＱｏＳ規則のパケットフィルタに対してＵＬパケットを評価する。ＵＥは、相応するマッチングＱｏＳ規則でのＱＦＩを用いて、ＵＬパケットをＱｏＳの流れにバインディングする。ＵＥは、ＱｏＳフローをＡＮリソースにバインディン（ｂｉｎｄ）する。
【０４１６】
万が一、マッチングが発見されず、基本ＱｏＳ規則が一つ以上のＵＬパケットフィルタが含んでいる場合、ＵＥは、ＵＬデータパケットを廃棄することができる。
【０４１７】
アップリンクトラフィックを処理するのに適用される特徴は、以下の通りである：
【０４１８】
−ＵＥは、ＵＬユーザー平面トラフィックとＱｏＳフローとの間のマッピングを決定するために格納されたＱｏＳ規則を使用することができる。ＵＥは、ＵＬ  ＰＤＵをマッチングパケットフィルタを含むＱｏＳ規則のＱＦＩにマーキングし、前記ＵＬ  ＰＤＵをＲＡＮによって提供されたマッピングをベースにＱｏＳフローのための対応するアクセスの特定リソースを用いて転送することができる。
【０４１９】
−（Ｒ）ＡＮは、ＵＰＦに対してＮ３トンネルを介してＰＤＵを転送する。  ＵＬパケットが（Ｒ）ＡＮからＣＮを通過するとき、（Ｒ）ＡＮは、ＱＦＩをＵＬ  ＰＤＵのカプセル化ヘッダーに含ませ、Ｎ３トンネルを選択する。
【０４２０】
−（Ｒ）ＡＮは、アップリンクで転送レベルパケットマーキングを遂行することができ、転送レベルパケットマーキングは、５ＱＩ及び連係したＱｏＳフローの  ＡＲＰに基づくことができる。
【０４２１】
−ＵＰＦは、ＵＬ  ＰＤＵのＱＦＩが、ＵＥに提供されるか、ＵＥによって暗示的に導出された（例えば、ｒｅｆｌｅｃｔｉｖｅ  ＱｏＳの場合）ＱｏＳ規則と整列されるかを確認する。
【０４２２】
−ＵＰＦは、セッション−ＡＭＢＦ施行を遂行し、充電のためのパケットをカウンティングする。
【０４２３】
ＵＬ分類子（ｃｌａｓｓｉｆｉｅｒ）ＰＤＵセッションの場合、ＵＬ分類子機能を支援するＵＰＦにＵＬおよびＤＬセッション−ＡＭＢＲが施行されなければならない。また、ＤＬセッション−ＡＭＢＲは、Ｎ６インターフェースを終端する全てのＵＰＦで別に施行されなければならない（即ち、ＵＰＦ間の相互作用（ｉｎｔｅｒａｃｔｉｏｎ）を必要としない）。
【０４２４】
マルチホームＰＤＵセッションの場合、分岐点の機能を支援するＵＰＦにＵＬおよびＤＬセッション−ＡＭＢＲが適用される。また、ＤＬセッション−ＡＭＢＲは、Ｎ６インターフェースを終端する全てのＵＰＦで別に施行されなければならない（即ち、ＵＰＦ間の相互作用（ｉｎｔｅｒａｃｔｉｏｎ）を必要としない）。
【０４２５】
（Ｒ）ＡＮは、ｎｏｎ−ＧＢＲ  ＱｏＳフロー別にＵＬおよびＤＬで最大のビットレート（ＵＥ−ＡＭＢＲ）の制限を施行しなければならない。ＵＥは、セッション−ＡＭＢＲを受信すると、セッション−ＡＭＢＲを用いてｎｏｎ−ＧＢＲトラフィックのためのＰＤＵセッションベースのＵＬレート制限を遂行しなければならない。ＰＤＵセッション当たりレート制限の施行は、保証された  フロービットレートを要求しないフローに適用する。ＳＤＦ当たりＭＢＲは、ＧＢＲ  ＱｏＳフローに義務的（ｍａｎｄａｔｏｒｙ）であるが、ｎｏｎ−ＧＢＲ  ＱｏＳフローに対しては、選択的（ｏｐｔｉｏｎａｌ）である。ＭＢＲはＵＰＦで施行される。
【０４２６】
非構造的（ｕｎｓｔｒｕｃｔｕｒｅｄ）ＰＤＵに対するＱｏＳ制御は、ＰＤＵセッションレベルで遂行される。ＰＤＵセッションが非構造的ＰＤＵの転送のためにセットアップされるとき、ＳＭＦはＰＤＵセッションのいずれか（ａｎｙ）のパケットに適用されるＱＦＩをＵＰＦ及びＵＥに提供する。
【０４２７】
接続解除（ｄｅｔａｃｈ）手続
【０４２８】
図１３は、本発明に適用されることができるＥ−ＵＴＲＡＮでのＵＥ−開始（ｉｎｉｔｉａｔｅｄ）接続解除手続を例示する。
【０４２９】
特に、図１３は、ＵＥがＥ−ＵＴＲＡＮにキャンピング中であり、接続解除の要求がＭＭＥに転送された場合を仮定する。本実施例に関して、ＴＳ  ２３．４０１が、本明細書と併合されることができる。
【０４３０】
１．まず、ＵＥは、接続解除を要求するＮＡＳメッセージ（ＧＵＴＩ（Ｇｌｏｂａｌｌｙ  Ｕｎｉｑｕｅ  Ｔｅｍｐｏｒａｒｙ  Ｉｄｅｎｔｉｆｉｅｒ）、スイッチオフを含む）をＭＭＥに転送することができる。このＮＡＳメッセージは、ＵＥがＥＣＭ−ＩＤＬＥモードにある場合、Ｓ１連結の確立（ｅｓｔａｂｌｉｓｈｍｅｎｔ）をトリガリングするのに用いられる。スイッチオフは、端末のスイッチオフの状況による接続解除であるか否かを指示する。ｅＮｏｄｅＢは、ＵＥが用いているセルのＴＡＩ及びＥＣＧＩ（Ｅ−ＵＴＲＡＮ  Ｃｅｌｌ  Ｇｌｏｂａｌ  Ｉｄｅｎｔｉｆｉｅｒ）と共に、このＮＡＳメッセージをＭＭＥに転送する。
【０４３１】
ＭＭＥは、スイッチオフの状況による接続解除ではないということを指示するスイッチオフパラメータを有するＣＳＧセルを介して接続解除の要求を受信し、このＣＳＧ  ＩＤ及び関連するＰＬＭＮに対するＣＳＧの加入がないか満了となった場合、ＭＭＥはＭＭＥ−開始接続解除手続をトリガリングすることができる。万が一、ＮＡＳメッセージがＳ１連結を確立するために用いられると、保安手続が呼び出される（ｉｎｖｏｋｅ）ことができる。成功的に認証されていない緊急接続（ｅｍｅｒｇｅｎｃｙ  ａｔｔａｃｈｅｄ）ＵＥの場合、保安手続が遂行されない。
【０４３２】
２．ＵＥが活性化されたＰＤＮ接続を有さないと、２段階乃至１０段階は実行されない。ＳＣＥＦに対する任意のＰＤＮ接続に対して、ＭＭＥは、ＴＳ  ２３．６８２[７４]に沿って、ＵＥに対するＰＤＮ接続がこれ以上有効ではないことをＳＣＥＦに指示し、２段階乃至１０段階は実行されない。Ｐ−ＧＷに対するＰＤＮ接続に対して、この特定のＵＥに関するサービングＧＷの活性ＥＰＳベアラーは、サービングＧＷに対するＰＤＮ連結毎にＭＭＥが転送するセッション削除の要求（ＬＢＩ（Ｌｉｎｋｅｄ  ＥＰＳ  Ｂｅａｒｅｒ  Ｉｄｅｎｔｉｔｙ）、ユーザー位置情報（ＥＣＧＩ））によって解除される。ＩＳＲ（ｉｄｌｅ  ｓｔａｔｅ  ｓｉｇｎａｌｌｉｎｇ  ｒｅｄｕｃｔｉｏｎ）が活性化されると、サービングＧＷは、５段階でセッション削除要求のメッセージを受信するまでＭＭＥ／ＳＧＳＮに割り当てられた制御平面ＴＥＩＤ（Ｔｕｎｎｅｌｉｎｇ  Ｅｎｄ  ＩＤ）を解除してはならない。ＵＥの時間帯（ｔｉｍｅ  ｚｏｎｅ）が変更された場合、ＭＭＥはＵＥの時間帯ＩＥ（Ｉｎｆｏｒｍａｔｉｏｎ  Ｅｌｅｍｅｎｔ）をこのメッセージに含ませる。
【０４３３】
３．サービングＧＷ（Ｓ−ＧＷ）がＩＳＲ活性化状態のＭＭＥまたはＳＧＳＮから最初のセッション削除要求のメッセージを受信すると、サービングＧＷはＩＳＲを非活性化し、関連するＥＰＳベアラーコンテキスト情報を解除（ｒｅｌｅａｓｅ）し、セッション削除応答（原因）として応答する。Ｓ−ＧＷがＩＳＲ非活性化状態のＭＭＥまたはＳＧＳＮからセッション削除要求のメッセージを受信すると、サービングＧＷは、関連するＥＰＳベアラーコンテキスト情報を解除（ｒｅｌｅａｓｅ）して、ＰＤＮ  ＧＷに対するＰＤＮ連結ごとにセッション削除要求のメッセージ（ＬＢＩ）を転送することにより、６段階に直ぐに進入することができる。７段階の後に、サービングＧＷは、セッション削除応答のメッセージ（原因）でＭＭＥ／ＳＧＳＮに再度応答する。
【０４３４】
４．ＩＳＲが活性化されると、ＭＭＥは、接続解除指示のメッセージ（原因）を関連するＳＧＳＮに転送することができる。原因は、完全な接続解除を指示する。
【０４３５】
５．この特定のＵＥに関するサービングＧＷでの活性化されたＰＤＰ（Ｐｏｗｅｒ  Ｄｅｌａｙ  Ｐｒｏｆｉｌｅ）コンテキストは、サービングＧＷに対するＰＤＮ連結ごとにセッション削除の要求（ＬＢＩ、ＣＧＩ／ＳＡＩ）を転送するＳＧＳＮによって非活性化される。万が一、ＵＥの時間帯が変更されると、ＳＧＳＮは、このメッセージにＵＥの時間帯ＩＥを含ませる。
【０４３６】
６．ＩＳＲが活性化されると、サービングＧＷはＩＳＲを非活性化する。  万が一、サービングＧＷからＩＳＲが活性化されないと、サービングＧＷはＰＤＮ  ＧＷに対するＰＤＮ連結ごとにセッション削除の要求（ＬＢＩ、ユーザー位置情報（ＥＣＧＩ又はＣＧＩ／ＳＡＩ））を転送する。万が一、ＩＳＲが活性化されない場合、この段階は、２段階によってトリガリングされる。このメッセージは、該当ＰＤＮ連結に属した全てのベアラーが解除（ｒｅｌｅａｓｅ）されなければならないということを指示する。万が一、ＭＭＥ及び／又はＳＧＳＮが２段階及び／又は５段階でＵＥの位置（ｌｏｃａｔｉｏｎ）情報及び／又はＵＥの時間帯情報を転送する場合、Ｓ−ＧＷは、ユーザー位置情報、ＵＥの時間帯及び／又は最新のユーザーＣＳＧ情報（Ｕｓｅｒ  ＣＳＧ  ｉｎｆｏｒｍａｔｉｏｎ  ｗｉｔｈ  ｔｈｅ  ｌｅａｓｔ  ａｇｅ）を、このメッセージに含ませる。
【０４３７】
７．ＰＤＮ  ＧＷが、セッション削除応答（原因）に対して、受信応答（ａｃｋｎｏｗｌｅｄｇｅ）を遂行する。
【０４３８】
８．ＰＤＮ  ＧＷは、ＴＳ  ２３．２０３[６]で定義されたＰＣＥＦ（Ｐｏｌｉｃｙ  ａｎｄ  ｃｈａｒｇｉｎｇ  ｅｎｆｏｒｃｅｍｅｎｔ  ｆｕｎｃｔｉｏｎ）−開始ＩＰ  ＣＡＮ（ｃｏｎｎｅｃｔｉｖｉｔｙ  ａｃｃｅｓｓ  ｎｅｔｗｏｒｋ）セッション終了手続をＰＣＲＦ（Ｐｏｌｉｃｙ  ａｎｄ  Ｃｈａｒｇｉｎｇ  Ｒｕｌｅｓ  Ｆｕｎｃｔｉｏｎ）と共に用いて、ＰＣＲＦがネットワークで適用されると、ＥＰＳベアラーが解除（ｒｅｌｅａｓｅ）されることをＰＣＲＦに知らせることができる。ＰＣＲＦによって要求された場合、ＰＤＮ  ＧＷは、ＴＳ  ２３．２０３[６]で定義されているように、ユーザー位置情報及び／又はＵＥの時間帯情報をＰＣＲＦに指示する。
【０４３９】
９．Ｓｅｒｖｉｎｇ  ＧＷは、セッション削除応答（原因）に対して、受信確認（ａｃｋｎｏｗｌｅｄｇｅ）する。
【０４４０】
１０．ＳＧＳＮはＭＭＥに接続解除確認（Ｄｅｔａｃｈ  Ａｃｋｎｏｗｌｅｄｇｅ）のメッセージを転送することができる。
【０４４１】
１１．スイッチオフがスイッチオフの状況による接続解除ではないことを指示する場合、ＭＭＥは、接続解除の承認をＵＥに転送する。
【０４４２】
１２．ＭＭＥは原因を接続解除に設定したＳ１解除（ｒｅｌｅａｓｅ）命令（ｃｏｍｍａｎｄ）をｅＮｏｄｅＢに転送してＵＥに対するＳ１−ＭＭＥシグナリング連結を解除する。本段階の細部事項は、ＴＳ  ２３．４０１の５．３．５節で説明された「Ｓ１解除手続」に従う。
【０４４３】
図１４は、本発明に適用されることができるＩＳＲが活性化されたＧＥＲＡＮ／ＵＴＲＡＮでのＵＥ−開始接続解除手続を例示する。
【０４４４】
特に、図１４は、ＩＳＲが活性化されたＵＥがＧＥＲＡＮ／ＵＴＲＡＮにキャンピング中であり、接続解除要求がＳＧＳＮに転送された場合を仮定する。本実施例に関して、ＴＳ  ２３．４０１が、本明細書と併合されることができる。ＩＳＲが活性化されていない場合、ＵＥ−開始接続解除手続は、ＴＳ  ２３．０６０[７]の６．６．１セクションに従うことができる。
【０４４５】
１．まず、ＵＥは、ＳＧＳＮにＮＡＳメッセージである接続解除要求（接続解除類型、Ｐ（ｐａｃｋｅｔ）−ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）、Ｐ−ＴＭＳＩ署名、スイッチオフ）を転送することができる。接続解除類型はどのような種類の接続解除が遂行されなければならないか、即ち、ＧＰＲＳのみ接続解除、ＩＭＳＩのみ接続解除または結合されたＧＰＲＳ及びＩＭＳＩ接続解除を指示する。スイッチオフは、スイッチオフの状況による接続解除である否かを指示する。接続解除要求のメッセージは、Ｐ−ＴＭＳＩ及びＰ−ＴＭＳＩ署名を含む。Ｐ−ＴＭＳＩ署名は、接続解除要求のメッセージの有効性（ｖａｌｉｄｉｔｙ）を検査するのに用いられる。Ｐ−ＴＭＳＩ署名が有効でないか、又は含まれていないと、認証手続が遂行されなければならない。
【０４４６】
万一、前記ＳＧＳＮが、接続解除がスイッチオフの状況によるものではないことを指示するスイッチオフパラメータを有するＣＳＧセルを介して接続解除の要求を受信し、このようなＣＳＧ  ＩＤ及び関連するＰＬＭＮに対するＣＳＧ加入情報がないか、または満了となった場合、前記ＳＧＳＮは、ＴＳ  ２３．４０１  ５．３．８．３Ａ節のＳＧＳＮ−開始接続解除手続をトリガリングする。
【０４４７】
２．この特定のＵＥに対するサービングＧＷで活性化されたＥＰＳベアラーは、サービングＧＷに対するＰＤＮ連結ごとにセッション削除の要求（ＬＢＩ、ユーザーの位置情報（ＣＧＩ／ＳＡＩ））を転送するＳＧＳＮによって非活性化される。ＩＳＲが活性化されたため、サービングＧＷは、５段階で、セッション削除要求のメッセージを受信するまでＭＭＥ／ＳＧＳＮに割り当てられた制御平面ＴＥＩＤを解除（ｒｅｌｅａｓｅ）してはならない。ＵＥの時間帯が変更されると、ＳＧＳＮは、このメッセージにＵＥの時間帯ＩＥを含ませる。
【０４４８】
３．サービングＧＷはＩＳＲの活性化状態でこのメッセージを受信するので、サービングＧＷはＩＳＲを非活性化し、セッション削除の応答（原因）として応答する。
【０４４９】
４．ＩＳＲが活性化されたので、ＳＧＳＮは、接続解除通知（原因）のメッセージを関連するＭＭＥに転送する。原因は、完全な接続解除を指示する。
【０４５０】
５．この特定のＵＥに関するサービングＧＷの活性化されたＰＤＰコンテキストは、サービングＧＷに対するＰＤＮ連結ごとにセッション削除の要求（ＬＢＩ、ＥＣＧＩ）を転送するＭＭＥによって非活性化される。ＵＥの時間帯が変更されると、ＭＭＥは、このメッセージにＵＥの時間帯ＩＥを含ませる。
【０４５１】
６．サービングＧＷはＩＳＲを非活性化し、ＰＤＮ  ＧＷに対するＰＤＮ連結ごとにセッション削除要求（ＬＢＩ、ユーザー位置情報（ＥＣＧＩまたはＣＧＩ／ＳＡＩ））を転送する。ＩＳＲが活性化されていない場合、本段階は、２段階によりトリガリングされる。このメッセージは、該当ＰＤＮ連結に属した全てのベアラーが解除されなければならないことを指示する。ＭＭＥ及び／又はＳＧＳＮが２段階及び／又は５段階でＵＥの位置情報及び／又はＵＥの時間帯情報を転送する場合、Ｓ−ＧＷは、このメッセージにユーザー位置情報及び／又は最新のＵＥの時間帯（ＵＥ  ｔｉｍｅ  ｚｏｎｅ  ｗｉｔｈ  ｔｈｅ  ｌｅａｓｔ  ａｇｅ）を含ませる。
【０４５２】
７．ＰＤＮ  ＧＷが、セッション削除応答（原因）に対して、受信確認（ａｃｋｎｏｗｌｅｄｇｅ）する。
【０４５３】
８．ＰＤＮ  ＧＷは、ＴＳ  ２３．２０３[６]で定義されたＰＣＥＦ−開始ＩＰ  ＣＡＮセッションの終了手続をＰＣＲＦと共に用いて、ＰＣＲＦがネットワークに適用されると、ＥＰＳベアラーが解除されることをＰＣＲＦに知らせる。万が一、ＰＣＲＦによって要求された場合、ＰＤＮ  ＧＷは、ＴＳ  ２３．２０３[６]に定義されているように、ユーザー位置情報及び／又はＵＥの時間帯情報をＰＣＲＦに指示する。
【０４５４】
９．サービングＧＷは、セッション削除応答（原因）を受信確認（ａｃｋｎｏｗｌｅｄｇｅ）する。
【０４５５】
１０．ＭＭＥは、接続解除受信確認（ａｃｋｎｏｗｌｅｄｇｅ）のメッセージをＳＧＳＮに転送する。
【０４５６】
１１．万一、スイッチオフがスイッチオフの状況による接続解除ではないことを指示する場合、ＳＧＳＮはＵＥに接続解除の承認を転送する。
【０４５７】
１２．もしＭＳがＧＰＲＳ接続解除された場合、３Ｇ  ＳＧＳＮはＰＳシグナリング連結を解除（ｒｅｌｅａｓｅ）する。
【０４５８】
以下では、ＴＳ  ２３．４０２に開示されている接続解除手続について見てみる。
【０４５９】
以下で後述する接続解除手続は、ＵＥまたはｅＰＤＧ（Ｅｖｏｌｖｅｄ  Ｐａｃｋｅｔ  Ｄａｔａ  Ｇａｔｅｗａｙ）開始接続解除手続により開始され、ＰＭＩＰｖ６（Ｐｒｏｘｙ  Ｍｏｂｉｌｅ  ＩＰｖ６）がＳ２ｂインターフェース上に用いられる場合、ＵＥ−要求のＰＤＮ断絶（ｄｉｓｃｏｎｎｅｃｔｉｏｎ）手続に適用されることができる。
【０４６０】
ＵＥは、例えば、ＵＥの電源がオフのとき、接続解除手続を開始することができる。ｅＰＤＧは、管理（ａｄｍｉｎｉｓｔｒａｔｉｏｎ）理由またはＩＫＥｖ２トンネルの解除（ｒｅｌｅａｓｅ）を理由に接続解除手続を開始しなければならない。ｅＰＤＧの接続解除手続の開始は、ローカル運営者のポリシーに基づいて具現できる。
【０４６１】
多重（ｍｕｌｔｉｐｌｅ）のＰＤＮ連結の場合、この接続解除手続は、連結された各ＰＤＮに対して繰り返されなければならない。
【０４６２】
図１５は、本発明に適用されることができるＳ２ｂ上のＰＭＩＰｖ６を有するＵＥ／ｅＰＤＧ開始接続解除手続を例示する。
【０４６３】
本実施例に関して、ＴＳ  ２３．４０２が、本明細書と併合されることができる。
【０４６４】
本図で、ホームルーティングされたローミング（ｈｏｍｅ  ｒｏｕｔｅｄ  ｒｏａｍｉｎｇ）、ＬＢＯ（Ｌｏｃａｌ  Ｂｒｅａｋ  Ｏｕｔ）、及び非−ローミングのシナリオが示されている。ＬＢＯの場合３ＧＰＰ  ＡＡＡプロキシは、  仲介者（ｉｎｔｅｒｍｅｄｉａｒｙ）の役割をして、ＨＰＬＭＮの３ＧＰＰ  ＡＡＡサーバーからＶＰＬＭＮ（ｖｉｓｉｔｅｄ  ＰＬＭＮ）のＰＤＮ  ＧＷに、またはその逆にメッセージを伝達する。ＶＰＬＭＮのＰＤＮ  ＧＷとＨＰＬＭＮのｈＰＣＲＦとの間のメッセージは、ＶＰＬＭＮのｖＰＣＲＦ（ｖｉｓｉｔｅｄ  ＰＣＲＦ）によって伝達される。非−ローミングの場合、ｖＰＣＲＦ及び３ＧＰＰ  ＡＡＡプロキシは関連していない。
【０４６５】
万一、動的ポリシーの提供（ｐｒｏｖｉｓｉｏｎｉｎｇ）が配布され（ｄｅｐｌｏｙ）ない場合、選択的な段階である４段階が遂行されない。代わりに、ＰＤＮ  ＧＷは、静的に構成されたポリシーを用いることができる。
【０４６６】
１．ＩＫＥｖ２トンネルの解除（ｒｅｌｅａｓｅ）は、ＰＭＩＰトンネルの解除をトリガリングする。
【０４６７】
２．ｅＰＤＧのＭＡＧ（Ｍｏｂｉｌｉｔｙ  Ａｃｃｅｓｓ  Ｇａｔｅｗａｙ）は、プロキシバインディングアップデート（ＭＮ  ＮＡＩ（Ｎｅｔｗｏｒｋ  ａｃｃｅｓｓ  ｉｄｅｎｔｉｆｉｅｒ）、ＡＰＮ、寿命（ｌｉｆｅｔｉｍｅ）＝０）のメッセージをＰＤＮ  ＧＷに転送しなければならない。ｅＰＤＧのＭＡＧ  がプロキシバインディングアップデートのメッセージをＰＤＮ  ＧＷに送信すべき場合、これは、ローカル運営者のポリシーに応じて、具現が変わり得る。ＭＮ  ＮＡＩはＵＥを識別する。与えられたＡＰＮでただ一つのＰＤＮ接続のみが許可される場合、あるＰＤＮ  ＧＷが多数のＰＤＮを支援することができるため、あるＰＤＮがＵＥを登録解除するかを決定するためにＡＰＮ  が必要である。与えられたＡＰＮに対する多数のＰＤＮ接続が支援される場合、ＡＰＮ及びＰＤＮ接続識別子は、あるＰＤＮが、ＵＥを登録解除するかを決定するために必要である。寿命値を０に設定すると、これはＰＭＩＰ登録−解除（ｄｅ−ｒｅｇｉｓｔｒａｔｉｏｎ）であることを指示する。
【０４６８】
３．ＰＤＮ  ＧＷは、３ＧＰＰ  ＡＡＡサーバーにＰＤＮ断絶（ｄｉｃｏｎｎｅｃｔｉｏｎ）を知らせる。ＵＥがこれ以上３ＧＰＰ  ＡＡＡサーバーにコンテキストを有さないと、３ＧＰＰ  ＡＡＡサーバーは、１２．１．２節で説明したように、ＨＳＳにこれを知らせる。
【０４６９】
４．ＰＤＮ  ＧＷは、ＵＥと関連したＩＰ  ＣＡＮセッションを削除して、ＴＳ  ２３．２０３[１９]に明示されたように、ＰＣＲＦでＰＣＥＦ−開始ＩＰ−ＣＡＮセッション終了手続を実行する。
【０４７０】
５．ＰＤＮ  ＧＷは、指示されたＨｏＡ（Ｈｏｍｅ  Ａｄｄｒｅｓｓ）に対する全ての既存のエントリをバインディングキャッシュ（Ｂｉｎｄｉｎｇ  Ｃａｃｈｅ）から削除して、プロキシバインディングＡｃｋ（ＭＮ  ＮＡＩ、寿命＝０）のメッセージをｅＰＤＧのＭＡＧに転送する。ＰＤＮ  ＧＷは、ｅＰＤＧにプロキシバインディング確認のメッセージを転送する。ＭＮ  ＮＡＩ値及び寿命＝０の値は、ＵＥが成功的に登録解除されたことを指示する。
【０４７１】
６．非−３ＧＰＰの特定リソースの解除手続が実行される。
【０４７２】
図１６は、本発明に適用されることができるＧＰＴ  Ｓ２ａ上でのＵＥ／ＴＷＡＮ（Ｔｒｕｓｔｅｄ  ＷＬＡＮ  Ａｃｃｅｓｓ  Ｎｅｔｗｏｒｋｓ）−開始（ｉｎｉｔｉａｔｅｄ）接続解除手続及びＵＥ／ＴＷＡＮ−要求（ｒｅｑｕｅｓｔｅｄ）ＰＤＮ断絶（ｄｉｓｃｏｎｎｅｃｔｉｏｎ）手続を例示する。
【０４７３】
本実施例に関して、ＴＳ  ２３．４０２が本明細書と併合されることができる。
【０４７４】
本手続は、ｔｒａｎｓｐａｒｅｎｔ単一−連結モードに適用される。本手続は、１段階を除いては、単一−連結モードにも適用される。
【０４７５】
本手続は、非（ｎｏｎ）−ローミング、ホームルーティング（Ｈｏｍｅ  Ｒｏｕｔｅｄ）ローミング及びローカルブレーキアウトケースに適用される。  ローカルブレーキアウトの場合、ｖＰＣＲＦはＰＤＮ  ＧＷとｈＰＣＲＦとの間にメッセージを伝達する。ホームルーティングローミング及びＬＢＯの    場合、３ＧＰＰ  ＡＡＡプロキシは、ＨＰＬＭＮの信頼できる非−３ＧＰＰ  ＩＰアクセスと３ＧＰＰ  ＡＡＡサーバーとの間の仲介者の役割を遂行する。非−ローミング及びホームルーティングローミングの場合、ｖＰＣＲＦは全く介入しない。
【０４７６】
万が一、動的ポリシーの提供（ｐｒｏｖｉｓｉｏｎｉｎｇ）が配布（ｄｅｐｌｏｙ）されないと、ＰＤＮ  ＧＷとＰＣＲＦとの間の選択的相互作用段階  （ｏｐｔｉｏｎａｌ  ｓｔｅｐｓ  ｏｆ  ｉｎｔｅｒａｃｔｉｏｎ）が遂行されない。代わりに、ＰＤＮ  ＧＷは、静的に構成された（ｓｔａｔｉｃ  ｃｏｎｆｉｇｕｒｅｄ）ポリシーを用いることができる。
【０４７７】
１．ＥＰＣから接続解除するために、ＵＥはＩＥＥＥ  Ｓｔｄ  ８０２．１１−２０１２[６４]に沿って分離（ｄｉｓａｓｓｏｃｉａｔｉｏｎ）または    認証解除（ｄｅａｕｔｈｅｎｔｉｃａｔｉｏｎ）の通知を送信することができる。ＵＥがＤＨＣＰｖ４またはＩＰｖ４アドレスのリース（ｌｅａｓｅ）時間が満了となり、ＩＰｖ４アドレスを解除（ｒｅｌｅａｓｅ）した後、いつでもＰＤＮ類型がＩＰｖ４である場合、ＴＷＡＮは「ＴＷＡＮ−開始ＰＤＮ断絶（ｄｉｓｃｏｎｎｅｃｔｉｏｎ）手続」を開始する。設定可能な（ｃｏｎｆｉｇｕｒａｂｌｅ）持続期間にＵＥから受信されたトラフィックがなく、ＴＷＡＮが未応答（ｕｎａｎｓｗｅｒｅｄ）プローブ（例えば  は、ＡＲＰ要求、隣接要求（ｎｅｉｇｈｂｏｒ  ｓｏｌｉｃｉｔａｔｉｏｎ）のメッセージ）に基づいて、ＵＥが出たことを検出すると、ＴＷＡＮはＰＤＮ断絶（ｄｉｓｃｏｎｎｅｃｔｉｏｎ）をトリガリングする。
【０４７８】
２．ＴＷＡＮはＰＤＮ連結に対するセッション削除の要求（リンクされたＥＰＳベアラーＩＤ、ＴＷＡＮ解除原因（可能な場合））のメッセージをＰＤＮ  ＧＷに転送してＰＤＮ連結を解除する。また、セッション削除の要求は、ＴＷＡＮ  識別子、このＴＷＡＮ識別子のタイムスタンプ（ｓｔａｍｐ）、及びＵＥの時間帯を含む。ＴＷＡＮ解除（ｒｅｌｅａｓｅ）の原因は、ＴＷＡＮ運営者のポリシーに応じて許可された場合にのみ、ＴＷＡＮからＰＤＮ  ＧＷに転送される。
【０４７９】
３．ＰＤＮ  ＧＷは、３ＧＰＰ  ＡＡＡサーバーにＰＤＮ断絶（ｄｉｓｃｏｎｎｅｃｔｉｏｎ）を知らせる。ＵＥがこれ以上３ＧＰＰ  ＡＡＡサーバーに    コンテキストを有さないと、３ＧＰＰ  ＡＡＡサーバーは、これをＨＳＳに    通報する。
【０４８０】
４．ＰＤＮ  ＧＷは、ＵＥと関連したＩＰ−ＣＡＮセッションを削除し、ＰＣＲＦでＰＣＥＦ−開始ＩＰ−ＣＡＮセッション終了手続を実行する。万が一、ＴＷＡＮから受信された場合、ＰＤＮ  ＧＷはまた、（可能な場合）ＴＷＡＮ識別子及び／又はＵＥの時間帯を含むユーザーの位置情報だけでなく、ＴＷＡＮ解除の原因を提供しなければならず、ＰＣＲＦは、これらをＴＳ  ２３．２０３[１９]で定義されたアプリケーション機能に伝達しなければならない。
【０４８１】
５．ＰＤＮ  ＧＷがセッション削除応答（原因）に対して受信確認（ａｃｋｎｏｗｌｅｄｇｅ）する。
【０４８２】
６．ＴＷＡＮは、ＵＥコンテキストを局部的に（ｌｏｃａｌｌｙ）除去し、ＩＥＥＥ  Ｓｔｄ．８０２．１１−２０１２[６４]に沿って、２層でＵＥの    認証を解除（ｄｅａｕｔｈｅｎｔｉｃａｔｅ）して分離（ｄｉｓａｓｓｏｃｉａｔｅ）する。
【０４８３】
Ｌ２分離（ｄｉｓａｓｓｏｃｉａｔｅ）は、以前のＩＰｖ４アドレス／ＩＰｖ６プレフィックス（ｐｒｅｆｉｘ）がこれ以上有効しないこともあるという指示をＵＥに提供する。次に、ＵＥがネットワークに接続するとき、ＵＥは、ＩＰｖ４アドレス／ＩＰｖ６プレフィックスの再確認または再獲得を進行する。
【０４８４】
前記図１３乃至１６の実施例で見た通り、ＥＰＣでは３ＧＰＰ接続に対してはＭＭＥが管理し、非−３ＧＰＰ接続に対しては端末が接続するインターフェースに応じて、ＴＷＡＮ／ｅＰＤＧ／ＡＡＡなどが管理する。従って、従来の端末は、それぞれの接続別に接続解除（ｄｅｔａｃｈ）（「登録解除（ｄｅ−ｒｅｇｉｓｔｒａｔｉｏｎ）」または「断絶（ｄｉｓｃｏｎｎｅｃｔｉｏｎ）」とも指称可能）を独立に遂行されなければならなかった。特に、ＥＰＣでは、非−３ＧＰＰ接続で接続した端末の動作にＭＭＥは関与しなかった。
【０４８５】
しかし、５Ｇシステムでは、一つのＡＭＦを介して３ＧＰＰ／非−３ＧＰＰの管理が可能であるため、それぞれの接続別に接続解除を遂行する必要なく、一度の接続解除を介して全ての接続の接続解除が可能になった。従って、以下では、一度の接続解除を介して、３ＧＰＰ／非−３ＧＰＰ接続を全て接続解除する  ための具体的な実施例について提案する。
【０４８６】
イ．方式＃１：ＵＥ−開始接続解除／登録解除（ｄｅｔａｃｈ／ｄｅ−ｒｅｇｉｓｔｒａｔｉｏｎ）手続
【０４８７】
図１７は、本発明の第１実施例に係るＵＥ−開始接続解除手続を例示する。特に、図１７は、ＵＥが３ＧＰＰと非−３ＧＰＰアクセスを介してネットワークに接続している状況で、３ＧＰＰアクセスを介して接続解除を遂行する手続を示す。しかし、これに限定されるものではなく、本実施例は、ＵＥが非−３ＧＰＰアクセスを介して接続解除を遂行する手続にも同一／類似するように適用されることができる。
【０４８８】
１．まず、ＵＥは、ネットワークノード／エンティティで接続解除を要求する接続解除要求ＮＡＳメッセージ（以下、「接続解除の要求」または「接続解除要求のメッセージ」と略称可能）を転送することができる。より詳細には、ＵＥは、ＡＭＦに接続解除要求のメッセージを転送することができ、このときの接続解除要求のメッセージには、ＡＭＦから割り当てられた仮識別子情報／値、接続解除を要求する／希望するアクセス（即ち、「ターゲットアクセス」）に対するアクセス情報（「アクセスタイプ情報」とも指称可能）及び／又はスイッチオフの指示が含まれていることもある。スイッチオフの指示は、ＵＥの接続解除の要求がＵＥの電源オフ（ｓｗｉｔｃｈ  ｏｆｆ）によるものであるかどうかを指示する指示子に該当する。このようなスイッチオフの指示は、ＵＥの接続解除の要求がＵＥの電源オフ（ｏｆｆ）によるものである場合に接続解除要求のメッセージに含まれ、そうでない場合含まれない。
【０４８９】
３ＧＰＰアクセスから接続解除されることを希望する場合、ＵＥは必ずしも３ＧＰＰアクセスを介して接続解除要求のメッセージを転送する必要はない。即ち、ＵＥは３ＧＰＰアクセスから接続解除されることを希望する場合であっても、非−３ＧＰＰアクセスを介して前記接続解除要求のメッセージを転送することができる。非−３ＧＰＰアクセスから接続されることを希望する場合にも同様に、ＵＥは非−３ＧＰＰアクセスまたは３ＧＰＰアクセスを介して接続解除要求のメッセージを転送することができる。
【０４９０】
この場合、ＵＥは、接続解除されることを希望するアクセスを多様な実施例としてネットワークに明示的／暗示的に指示することができる。
【０４９１】
ＵＥが明示的に接続解除を要求するアクセスをネットワークに知らせる    場合、ＵＥは、接続解除されることを希望するアクセスを指示する「アクセス情報」を多様な実施例として生成／シグナリングしてネットワークに転送することができる。例えば、万が一、ＵＥが３ＧＰＰアクセスと非−３ＧＰＰアクセスの全てから接続解除されることを希望する場合、ＵＥは前記二つのアクセス、「全てのアクセス（ａｌｌ  ａｃｃｅｓｓｅｓ）」、または「あるアクセスから／に対する接続解除（Ｄｅｔａｃｈ  ｏｖｅｒ／ｆｒｏｍ  ａｎｙ  ａｃｃｅｓｓ）」を指示するようにアクセス情報を生成／構成／シグナリングし、これをネットワークに    転送することができる。または、ＵＥは何ら接続情報を接続解除要求のメッセージに含ませずに転送することによって、自身が接続（ａｔｔａｃｈ）されて    いる全てのアクセスからの接続解除をネットワークに要求することもできる。
【０４９２】
ＵＥが暗示的に接続解除を要求するアクセスをネットワークに知らせる場合、ＵＥは接続解除されることを希望するアクセスを介して接続解除のメッセージを転送することによって、暗示的に接続解除要求のアクセスをネットワークに知らせることができる。この場合、ネットワークは接続解除要求のメッセージを転送するアクセスがＵＥが接続解除されることを希望するアクセスであることを意味するものと判断することができる。
【０４９３】
以下では、説明の便宜のために、ＵＥが接続解除されようとするアクセスをアクセス情報を通じて明示的にネットワークに指示する実施例を中心に説明する。
【０４９４】
２−３．ネットワークノード（即ち、ＡＭＦ１）は、ＵＥが転送した接続解除要求のメッセージに含まれている接続情報を通じて、ＵＥがどんなアクセスから接続解除されなければならないか判断する。前述した実施例に従ってアクセス情報が受信されない場合、ＡＭＦ１は接続解除要求のメッセージが転送されたアクセスをＵＥが接続解除を希望するアクセスと見なすか、またはＵＥが接続中の全てのアクセスをＵＥが接続解除を希望するアクセスと見なすこともできる。
【０４９５】
万が一、ＵＥがスイッチオフの指示子を接続解除要求のメッセージに含ませて転送する場合、ネットワーク（即ち、ＡＭＦ１）は、ＵＥが転送したアクセス情報と関係なく（またはアクセス情報が転送されなくても）、全てのアクセスからの接続解除を遂行することができる。しかし、これに限定されるものではなく、ネットワークはアクセス情報が指示するアクセスに対してのみＵＥのスイッチオフによる接続解除が要求されたものと見なすこともできる。このときのＵＥのスイッチオフの指示は、ＵＥの電源オフ（ｐｏｗｅｒ  ｏｆｆ）を意味するというよりは、該当アクセスに対するオフ（例えば、３ＧＰＰデータの使用をオフしたとか、Ｗｉ−Ｆｉをオフした場合）を意味することができる。
【０４９６】
ＡＭＦ１はＵＥの接続解除の要求に応じて、自身が管理するアクセス以外の他のアクセスに対する接続解除が必要であると判断した場合、ＵＤＭに位置アップデート要求（ｕｐｄａｔｅ  ｌｏｃａｔｉｏｎ  ｒｅｑｕｅｓｔ）のメッセージ（または「位置アップデート要求」と略称可能）を転送しながら、該当メッセージにＵＥのＩＭＳＩ、ＵＥの接続解除が必要であるという接続解除の指示及び／又は接続解除されなければならないアクセスに対する情報を含ませて転送する。さらに、ＡＭＦ１は、ＵＥが接続解除を要求した理由、例えば、万が一ＵＥからスイッチオフの指示を受信した場合、これをアップデート要求のメッセージに含ませて転送することができる。位置アップデート要求のメッセージは、結果、ＡＭＦ１が管理／サービング（ｓｅｒｖｉｎｇ）／関与していないアクセスに対する接続解除が必要であることをＵＤＭに知らせる目的のメッセージに該当し、メッセージの名称は、本例示に限定されず、同一の機能を遂行する限り、多様な名称で指称され得る。
【０４９７】
万が一、ＡＭＦ１が管理するアクセスからのみＵＥの接続解除を遂行されなければならない場合、２−３段階に該当するＵＤＭとのメッセージ交換は省略されることができる。
【０４９８】
ＡＭＦ１が接続解除しなければならない全てのアクセス（一つのアクセスであれ、多数のアクセスであれ）が、自身が管理／サービング／関与していたアクセスであれば、ＵＤＭに自身が管理／サービング／関与しないアクセスに対する接続解除を要求する必要なく、全てのアクセスに対して接続解除する動作を遂行することができる（即ち、６〜１４の段階の遂行）。
【０４９９】
４−５．ＵＤＭはＡＭＦ１から他のアクセス（即ち、ＡＭＦ１が管理／サービング／関与していないアクセス）に対する接続解除が必要であるという位置アップデート要求のメッセージを受信した場合、他のアクセスを管理／サービング／関与しているＡＭＦ２に位置取消要求（Ｃａｎｃｅｌ  ｌｏｃａｔｉｏｎ  ｒｅｑｕｅｓｔ）のメッセージ（または「位置取消要求」と略称可能）を転送して、他のアクセス（即ち、ターゲットアクセス）に対する接続解除を遂行するようにする。このとき、位置取消要求のメッセージには、接続解除対象アクセス（即ち、ターゲットアクセス）を指示するアクセス情報が含まれていることもある。位置取消要求のメッセージを受信したＡＭＦ２は、該当アクセス（即ち、ターゲットアクセス）に対するＵＥの接続解除を遂行する。より詳細には、ＡＭＦ２は以下で後述する６乃至９段階を遂行し、１１／１２段階及び１３／１４段階のうち、ＡＭＦ２が管理／サービング／関与するアクセスを接続解除するための段階を遂行する（即ち、ＡＭＦ２が３ＧＰＰアクセスを管理／サービング／関与していた場合、１１／１２段階を遂行し、非−３ＧＰＰアクセスを管理／サービング／関与していた場合、１３／１４段階を遂行する）ことができる（ただし、１０段階は遂行しない）。
【０５００】
これによると、第１アクセス（３ＧＰＰアクセスまたは非−３ＧＰＰアクセス）を介して、第１アクセス異なる第２アクセス（非−３ＧＰＰアクセスまたは３ＧＰＰアクセス）の接続解除が可能となる。例えば、ＵＥが３ＧＰＰとＶＰＬＭＮのＶ−ＡＭＦを介して連結されており、非−３ＧＰＰとＨＰＭＮのＨ−Ｎ３ＩＷＫを介して連結されている場合、ＵＥは、非−３ＧＰＰアクセスの範囲（ＷＬＡＮ（ｗｉｒｅｌｅｓｓ  ｌｏｃａｌ  ａｒｅａ  ｎｅｔｗｏｒｋ）カバレッジ）を外れながら、３ＧＰＰアクセスを介して接続解除の要求を転送して、非−３ＧＰＰに対する接続解除を遂行することができる。これと同様に、非−３ＧＰＰアクセスを介して３ＧＰＰアクセスの接続解除もやはり遂行可能である。
【０５０１】
６．ＡＭＦ１は、自身が管理／関与／サービングするアクセスに対するＵＥの接続解除を遂行されなければならない場合、ＵＥのセッションを管理する全てのＳＭＦに接続解除指示のメッセージ（または「接続解除指示」と略称可能）を転送して（現存する全ての）ＵＥのセッションを解除（ｒｅｌｅａｓｅ）するようにする。このとき、接続解除指示のメッセージには、接続解除を要求したＵＥのＩＭＳＩが含まれていることができる。
【０５０２】
７−９．ＳＭＦは、セッションのために割り当てられた全てのＵＰＦにトンネルを削除するためのトンネル削除要求（ｄｅｌｅｔｅ  ｔｕｎｎｅｌ  ｒｅｑｕｅｓｔ）のメッセージを転送し、全てのセッションに対するコンテキストを削除する。このとき、削除要求のメッセージには、削除要求対象のＰＤＵを識別するためのＰＤＵ  ＩＤが含まれていることができる。ＳＭＦは、セッションコンテキストを全て削除してから、ＡＭＦに接続解除指示のａｃｋ（ａｃｋｎｏｗｌｅｄｇｅｍｅｎｔ）を転送して、セッションが全て解除（ｒｅｌｅａｓｅ）されたこと知らせる。
【０５０３】
もし、ターゲットアクセスを介して生成されたＰＤＵセッションが存在しない場合、すなわち、ＵＥがＰＤＵセッションなく、接続（ａｔｔａｃｈ）のみされていた場合、セッションを解除（ｒｅｌｅａｓｅ）する過程（例えば、６〜９段階）は省略されることができる。
【０５０４】
１０．ＵＥのセッションを管理する全てのＳＭＦから接続解除指示のａｃｋを受信したＡＭＦ１は、ＵＥに接続解除が承認されたことを知らせる接続解除確認のメッセージ（または「接続解除承認」と略称可能）を転送することができる。このとき、ＡＭＦ１はＵＥがあるアクセスから接続解除されたかに関するアクセス情報を接続解除承認のメッセージを介してＵＥに知らせることができる。もし、あるアクセスから接続解除されたかに対するアクセス情報がない接続解除承認のメッセージを受信した場合、ＵＥは、接続解除を要求した全てのアクセスが接続解除されたものと認知／見なすこともできる。接続解除承認のメッセージには、ＵＥに割り当てられた仮（Ｔｅｍｐｏｒａｒｙ；Ｔｅｍｐ）ＩＤが含まれていることができる。
【０５０５】
もし、ＵＥが、１段階でスイッチオフの指示を接続解除要求のメッセージに含ませて転送した場合、ＡＭＦ１がＵＥへの接続解除承認のメッセージを転送する段階は省略されることができる。しかし、ＵＥが第１アクセス（例えば、３ＧＰＰアクセスまたは非−３ＧＰＰアクセス）を介して接続解除要求のメッセージを転送しながら、第２アクセス（例えば、非−３ＧＰＰアクセスまたは３ＧＰＰアクセス）からの接続解除を要求し、スイッチオフの指示を接続解除要求のメッセージに含ませた場合、ＡＭＦ１は、第１アクセスを介してＵＥに接続解除承認のメッセージを転送することもできる。即ち、ＡＭＦ１は、ＵＥの接続解除類型／原因（例えば、スイッチオフ可否）に応じて、ＵＥへの接続解除承認のメッセージの転送可否を決定することができる。
【０５０６】
１１−１４．ＡＭＦ１は、ＵＥが接続解除されるアクセスのＮＧ２インターフェースを解除（ｒｅｌｅａｓｅ）するために、ＮＧ２解除要求（ｒｅｌｅａｓｅ  ｒｅｑｕｅｓｔ）のメッセージを転送することができる。より詳細には、３ＧＰＰを接続解除する場合、ＡＭＦ１はＲＡＮにＮＧ２解除要求のメッセージを転送し、非−３ＧＰＰを接続解除する場合、Ｎ３ＩＷＫにＮＧ２解除要求のメッセージを転送して、ＮＧ２（インターフェース）を解除する。ＮＧ２解除要求のメッセージには、接続解除を要求したＵＥの仮ＩＤが含まれていることができる。スイッチオフなどの理由に、全てのアクセスからＵＥを接続解除すしなければならない場合、ＡＭＦ１は３ＧＰＰ／非−３ＧＰＰの全てＮＧ２（インターフェース）を解除する。非−３ＧＰＰのＮＧ２を解除する場合、Ｎ３ＩＷＫはＩＫＥｖ２（Ｉｎｔｅｒｎｅｔ  Ｋｅｙ  Ｅｘｃｈａｎｇｅ  ２）トンネル（ＩＰｓｅｃ（ＩＰ  ｓｅｃｕｒｉｔｙ）トンネル）も共に解除する。もし、ＵＥがスイッチオフにより該当アクセスから接続解除される場合であれば、ＩＫＥｖ２トンネル（ＩＰｓｅｃトンネル）は、ＵＥとの相互作用（ｉｎｔｅｒａｃｔｉｏｎ）なくローカルに解除されることができる。
【０５０７】
もし、２段階でＡＭＦ１が自身が管理するアクセス以外の他のアクセスに対する接続解除が必要であると判断した場合、４及び５段階でのＡＭＦ２の動作に言及したように、接続解除の要求を受けたＡＭＦ１は自身が関与するアクセスに対してのみＮＧ２解除動作を遂行すればよい。ＡＭＦ１からＵＥの接続解除要求の伝達を受けたＡＭＦ２もやはり接続解除すべきターゲットアクセスに応じて１１／１２段階または１３／１４段階を遂行することになる。
【０５０８】
ＡＭＦ（ＡＭＦ１またはＡＭＦ２）は、接続解除を遂行するアクセスに関して格納していたＵＥコンテキストを接続解除と共にすぐに削除してもよく、既に設定された時間に格納することにより、ＵＥの接続（ａｔｔａｃｈ／ｒｅｇｉｓｔｒａｔｉｏｎ）時に再使用してもよい。また、ＡＭＦ（ＡＭＦ１またはＡＭＦ２）はＵＤＭにＵＥが接続解除されたことを知らせてもよい。
【０５０９】
ＵＥが３ＧＰＰアクセスと非−３ＧＰＰアクセスを介して同時に接続（ａｔｔａｃｈ／ｒｅｇｉｓｔｒａｔｉｏｎ）されている場合、各アクセスを管理するＡＭＦが異なる場合としては、代表的に、各アクセスが属するＰＬＭＮが異なる場合であり得る。互いに異なるＰＬＭＮに属したＡＭＦ間には、通常インターフェース（ＮＧ１４）が存在しないため、本実施例のようにＵＤＭを介して他のＡＭＦへの接続解除の指示が可能である。しかし、もし各アクセスを管理するＡＭＦ間にインターフェースが存在し、互いの存在を認知している場合には、ＡＭＦ１が端末から接続解除要求のメッセージを受信して、ＡＭＦ２に直接ＡＭＦ２が管理／関与／サービングするアクセスに対する接続解除を指示することもできる。
【０５１０】
図１７は、ＵＥが３ＧＰＰアクセスを介して接続解除の要求をネットワークに転送する実施例を示したが、これと異なり、ＵＥが非−３ＧＰＰアクセスを介して接続解除の要求をネットワークに転送することができ、この時もやはり、前述した動作をベースに接続解除が遂行されることができる。
【０５１１】
ロ．方式＃２：複数のサービングＡＭＦそれぞれに対するＵＥ−開始接続解除／登録解除（ｄｅｔａｃｈ／ｄｅ−ｒｅｇｉｓｔｒａｔｉｏｎ）手続
【０５１２】
方式＃１の場合、ＵＥをサービングする一つの代表ＡＭＦ（たとえば、ＡＭＦ１）のみに直接接続解除を要求するが、方式＃２では、ＵＥをサービングするＡＭＦが多数個である場合、ＵＥが直接それぞれのＡＭＦに接続解除を要求するという点で二つの方式間に差異点が存在する。他に、方式＃１の実施例が方式＃２にも同一／類似するように適用されることができ、重複する説明は省略する。以下では、方式＃１との差異点を中心に方式＃２の実施例を後述する。
【０５１３】
１．ＵＥは、３ＧＰＰアクセスと非−３ＧＰＰアクセスを介して同時に接続（ａｔｔａｃｈ／ｒｅｇｉｓｔｒａｔｉｏｎ）したが、二つのアクセスから接続解除しようとすることができる（例えば、スイッチオフなどにより）。
【０５１４】
２．このとき、ＵＥは、各アクセスを管理するＡＭＦが異なることを判断／認知することができる。即ち、これは、ＵＥが自身の全てのアクセスを管理するＡＭＦが一つのＡＭＦであるか、複数のＡＭＦであるかを判断／認知することを意味することができる。これは、ＵＥが各アクセスへの接続（ａｔｔａｃｈ／ｒｅｇｉｓｔｒａｔｉｏｎ）時に、ＡＭＦから割り当てられた仮ＩＤ（ｔｅｍｐ  ＩＤ）情報を通じて、ＵＥによって類推／判断されることができる。仮ＩＤには、ＰＬＭＮ  ＩＤ、ＡＭＦ  ＩＤのような情報が含まれていることができるので、ＵＥは、仮ＩＤを通じて、各アクセスを管理するＡＭＦが異なるか否かを判断することができる。しかし、必ずしもこれに限定されるものではなく、ＵＥは、各ＡＭＦから受信した様々な情報に基づいてアクセスを管理するＡＭＦの同一性可否を類推／判断することができる。
【０５１５】
３．もし、各アクセスを管理するＡＭＦが異なる場合、ＵＥは、各ＡＭＦに接続解除要求のメッセージを転送する。即ち、自身をサービングするＡＭＦに接続解除要求のメッセージをそれぞれ転送する。そうでない場合（即ち、全てのアクセスを管理するＡＭＦが一つである場合）、ＵＥは、自身をサービング／管理するＡＭＦにのみ接続解除要求のメッセージを転送することができる。このとき、［方式＃１］の１段階で記述したように、ＵＥは、全てのアクセスからの接続解除の要求を明示的または暗示的にネットワークに知らせることができる。
【０５１６】
４．ＵＥから接続解除の要求を受信したＡＭＦは方式＃１に、上述したように、接続解除の動作を遂行（例えば、方式＃１の６乃至１４段階を遂行する）する。
【０５１７】
ハ．方式＃３：ネットワーク−開始接続解除（ｄｅｔａｃｈ／ｄｅ−ｒｅｇｉｓｔｒａｔｉｏｎ）手続
【０５１８】
１．ＵＤＭがＡＭＦに接続解除を要求するように決定する場合、ＵＤＭはＡＭＦに接続解除を要求（即ち、接続解除を要求する接続解除要求のメッセージを転送）することができる。このとき、ＡＭＦに転送する接続解除の要求は、位置取消（Ｃａｎｃｅｌ  ｌｏｃａｔｉｏｎ）の要求に該当し得る。この時、ＵＤＭはＡＭＦに接続解除の要求時、接続解除する理由（例えば、加入者情報の削除（ｓｕｂｓｃｒｉｐｔｉｏｎ  ｗｉｔｈｄｒａｗｎ））を明示的または暗示的に指示することができる。即ち、ＵＤＭは、接続解除要求のメッセージに接続解除の理由を明示的または暗示的に含ませてＡＭＦに転送することができる。
【０５１９】
Ａ．一つのＡＭＦによって３ＧＰＰおよび非−３ＧＰＰアクセスが全てサービング／管理される場合：
【０５２０】
２ａ．ＵＤＭは接続解除要求のメッセージをＡＭＦに転送する。このとき、接続解除要求のメッセージには、接続解除の対象であるターゲットアクセスに対するアクセス情報及び／又は接続解除の理由（または削除の理由（ｒｅｍｏｖａｌ  ｒｅａｓｏｎ））が含まれていることができる。このとき、アクセス情報は、様々な方式でシグナリングされることができる。たとえば、ＵＤＭが全てのアクセスに対して接続解除を要求しようとする場合、「３ＧＰＰアクセス及び非−３ＧＰＰアクセス」、「全てのアクセス（Ａｌｌ  ａｃｃｅｓｓｅｓ）」、または「どのアクセス（Ａｎｙ  ａｃｃｅｓｓ）」を指示するようにアクセス情報をシグナリングして接続解除要求のメッセージに含ませることができる。しかし、接続解除要求のメッセージに必ずしもアクセス情報が含まれるわけではなく、ＡＭＦは、接続解除要求のメッセージにアクセス情報がなくても、接続解除の理由（例えば、加入者情報の削除）をベースに、全てのアクセスに対する接続解除可否を判断することができる。例えば、ＡＭＦは、受信した接続解除要求のメッセージに含まれた接続解除の理由（または削除の理由）が、加入者情報の削除であることを示す場合、全てのアクセスに対する接続解除を遂行することができる。
【０５２１】
３ａ．ＡＭＦは、次のｉ）またはｉｉ）に従って動作することができる。
【０５２２】
ｉ）ＡＭＦは二つのアクセス（即ち、３ＧＰＰアクセス及び非−３ＧＰＰアクセス）のいずれか一つのアクセスを介して、接続解除要求のメッセージをＵＥに転送することができる。このとき、ＡＭＦは接続解除要求のメッセージに接続解除を要求するターゲットアクセスに対するアクセス情報を含ませることができる。このとき、アクセス情報は、様々な方式でシグナリングされることができる。たとえば、全てのアクセスが接続解除すべきターゲットアクセスである場合、アクセス情報は、「３ＧＰＰアクセス及び非−３ＧＰＰアクセス」、「全てのアクセス（Ａｌｌ  ａｃｃｅｓｓｅｓ）」、または「どのアクセス（Ａｎｙ  ａｃｃｅｓｓ）」を指示するようにシグナリングされることができる。このとき、ＡＭＦが二つのアクセスのいずれか一つを選択する基準としては、ＵＥの加入者情報、ローカルポリシー、ＵＤＭが２ａ段階の遂行時にＡＭＦに転送していた指示情報（例えば、ＡＭＦがＵＥに接続解除の要求を転送するときに使用するアクセスに対する指示情報）などがあり得る。
【０５２３】
ｉｉ）ＡＭＦは、二つのアクセスそれぞれを介してＵＥに接続解除要求のメッセージを転送することができる。この時にも接続解除要求のメッセージには、ターゲットアクセスに対するアクセス情報が含まれるか、又は含まれていないこともあり、含まれる場合、アクセス情報は、前記ｉ）で詳述したように、様々な方式でシグナリングされることができる。
【０５２４】
Ｂ．互いに異なる複数のＡＭＦによって３ＧＰＰおよび非−３ＧＰＰアクセスがそれぞれサービング／管理される場合：
【０５２５】
２ｂ．ＵＤＭは、次のｉ）またはｉｉ）に従って動作することができる。
【０５２６】
ｉ）ＵＤＭは、二つのＡＭＦに接続解除要求のメッセージを転送する。このとき、接続解除要求のメッセージには、明示的にＵＥに接続解除要求のメッセージを転送するように指示する情報が含まれていることができる。これを受信したＡＭＦは、それぞれＵＥに接続解除要求のメッセージを転送することができる。
【０５２７】
ｉｉ）ＵＤＭは、二つのＡＭＦにそれぞれ接続解除要求のメッセージを転送する。このとき、ＵＤＭは、二つに一つのＡＭＦを選択し（このとき、選択の基準は、加入者情報、ローカルポリシーなどに該当し得る）、全てのアクセスに対する接続解除を指示／要求する接続解除要求のメッセージをＵＥに転送するように選択したＡＭＦに指示することができる。これは、残りのＡＭＦ（即ち、選択されていないＡＭＦ）及びＵＥ間の相互作用（ｉｎｔｅｒａｃｔｉｏｎ）（これは、ＮＡＳ観点からの相互作用を意味）がなくても、前記ＡＭＦが管理するアクセスに対する接続解除（ＵＥコンテキストの削除、ＰＤＵセッションの解除（ｒｅｌｅａｓｅ）、アクセスの特定リソースの解除など）を遂行するようにするためである。
【０５２８】
このため、選択されたＡＭＦに転送される接続解除要求のメッセージには、ＵＥに接続解除を要求するように指示（または接続解除要求のメッセージを転送するように指示）する情報が含まれることができる。及び／または、選択されていないＡＭＦに転送される接続解除要求のメッセージには、ＵＥに接続解除を要求しないように指示（または接続解除要求のメッセージを転送しないように指示）する情報が含まれることができる。この時、前記情報は、明示的または暗示的に指示されることができる。前者の接続解除要求のメッセージ（即ち、選択されたＡＭＦに転送される接続解除要求のメッセージ）には、接続解除すべきターゲットアクセスに関するアクセス情報が明示的または暗示的にシグナリングされて含まれることができる。たとえば、アクセス情報は、「３ＧＰＰアクセス及び非−３ＧＰＰアクセス」、「全てのアクセス（Ａｌｌ  ａｃｃｅｓｓｅｓ）」、または「どのアクセス（Ａｎｙ  ａｃｃｅｓｓ）」を指示するようにシグナリングされ、その接続解除要求のメッセージに含まれることができる。
【０５２９】
前述した実施例でいずれか一つのアクセスを介して他のアクセスを接続解除するとき、ＵＥがｉｄｌｅモード／状態にある場合には、ＵＥが接続解除のためにｃｏｎｎｅｃｔｅｄモード／状態に切り換えられる代わりに、ＵＥが他の動作遂行を目的でｃｏｎｎｅｃｔｅｄモード／状態で進入したときに初めて接続解除の要求がＵＥ及びネットワークの間で送受信されるものと定義されることができる。たとえば、ｉｄｌｅモード／状態のＵＥが３ＧＰＰアクセスを介して非−３ＧＰＰアクセスを接続解除しようとする場合には、ＵＥは、接続解除要求のためのｃｏｎｎｅｃｔｅｄモード／状態に切り換えず待機して、他の理由（例えば、ＴＡＵ（Ｔｒａｃｋｉｎｇ  Ａｒｅａ  ｕｐｄａｔｅ）、登録アップデート（Ｒｅｇｓｔｒａｔｉｏｎ  ｕｐｄａｔｅ）、ＭＯデータ、ＳＲ（Ｓｃｈｅｄｕｌｉｎｇ  Ｒｅｑｕｅｓｔ）など）で、ｃｏｎｎｅｃｔｅｄモード／状態に切り換えられる場合に接続解除要求のメッセージをネットワークに転送することができる。
【０５３０】
以下では、前述した方式＃１乃至方式＃３の接続解除手続をより具体化して後述する。特に、以下では、ＳＢＡ（Ｓｅｒｖｉｃｅ  Ｂａｓｅｄ  Ａｒｃｈｉｔｅｃｔｕｒｅ）方式をベースにした接続解除手続のアップデート方法と、全てのまたは他のアクセスの接続解除を要求（ＴＳ  ２３．５０１の接続解除に反映可能）するための方法について提案する。以下で、接続解除の要求は接続解除が３ＧＰＰアクセスまたは非−３ＧＰＰアクセスに適用されるか、あるいは二つのアクセスに全て適用されるかを指示することができる。以下では、説明の便宜のために前述した「接続解除（ｄｅｔａｃｈ）」を「登録解除（ｄｅ−ｒｅｇｉｓｔｒａｔｉｏｎ）」と名付けることにし、本明細書で二つの用語は、実質的に同一視される。
【０５３１】
登録解除手続は、次を許可する：
【０５３２】
−ＵＥがこれ以上５Ｇシステムにアクセスすることを希望しないとネットワークに知らせること；及び／又は、
【０５３３】
−ネットワークがＵＥにこれ以上５Ｇシステムにアクセスすることができないことを知らせること。
【０５３４】
ＵＥ及びネットワークによる登録解除の要求は、登録解除が３ＧＰＰアクセスまたは非−３ＧＰＰアクセス、あるいは二つに全て適用されるかどうかを指示する情報を含むことができる。ＵＥが同じＰＬＭＮの二つのアクセスに全て登録されている場合、登録解除のメッセージは、登録解除が適用される／指示されたターゲットアクセスと関係なく（ＵＥが連結されている）、二つのアクセスのうちどの（ａｎｙ）アクセスを介してでも転送されることができる。
【０５３５】
イ．方式＃１の変形の実施例：ＵＥ−開始登録解除手続
【０５３６】
ＵＥは、本手続を用いて、図１８に示すように、登録されたＰＬＭＮから登録解除されることができる。
【０５３７】
図１８は、本発明の一実施例に係るＵＥ−開始登録解除手続を例示する。
【０５３８】
１．ＵＥは、ＮＡＳメッセージ登録解除要求のメッセージ（「登録解除の要求」と略称可能）（５Ｇ−ＧＵＴＩ、登録解除タイプ（たとえば、スイッチオフ）、アクセスタイプを含む）をＡＭＦに転送することができる。本明細書で登録解除タイプはＵＥが登録解除を要求する理由を指示し、前記方式＃１で詳述した「スイッチオフの指示」または「接続解除の理由」に該当し得る。また、アクセスタイプはＵＥが登録解除を要求するターゲットアクセスタイプを指示し、前記方式＃１で詳述した「アクセス情報」に該当し得る。アクセスタイプは、登録解除が「３ＧＰＰアクセスまたは非−３ＧＰＰアクセスのいずれか一つに適用されるか」または「二つとも」（ｔｈｅ  ３ＧＰＰ  ａｃｃｅｓｓ  ｏｒ  ｎｏｎ−３ＧＰＰ  ａｃｃｅｓｓ）に適用されるかを指示する。ＡＭＦはＵＥによって指示されたターゲットアクセスに対する（ｏｖｅｒ／ｆｏｒ  ｔｈｅ  ｔａｒｇｅｔ  ａｃｃｅｓｓ）登録解除手続を呼び出す（ｉｎｖｏｋｅ）ことができる。
【０５３９】
上記ＮＡＳメッセージ（即ち、登録解除要求のメッセージ）は、ＵＥが３ＧＰＰアクセスでＣＭ−ＩＤＬＥ状態にあり、ＮＡＳメッセージが３ＧＰＰアクセスを介して転送される場合、Ｎ２連結設定をトリガーするのに使用される。
【０５４０】
２．［条件付き（ｃｏｎｄｉｔｉｏｎａｌ）］万が一、ＵＥが、１段階で指示されたターゲットアクセスを介して確立されたＰＤＵセッションを有さない場合、２乃至５段階は実行されない。逆に、ＵＥが、１段階で指示されたターゲットアクセスを介して確立されたＰＤＵセッションを有する場合には、２乃至５段階が実行される。
【０５４１】
ＡＭＦはＳＭＦに加入者永久識別子（ｓｕｂｓｃｒｉｂｅｒ  ｐｅｒｍａｎｅｎｔ  ｉｄｅｎｔｉｆｉｅｒ；ＳＵＰＩ）、及び／又はＰＤＵセッション識別子が含まれたＮｓｍｆ＿ＰＤＵＳｅｓｓｉｏｎ＿Ｒｅｌｅａｓｅ  ＳＭコンテキストメッセージ（「Ｎｓｍｆ＿ＰＤＵＳｅｓｓｉｏｎ＿Ｒｅｌｅａｓｅ  ＳＭコンテキスト」と略称可能）を転送することにより、確立されたＰＤＵセッションの解除を要求することができる。ＵＥに属するターゲットアクセスを介した全てのＰＤＵセッションは、各ＰＤＵセッションに対するＮｓｍｆ＿ＰＤＵＳｅｓｓｉｏｎ＿Ｒｅｌｅａｓｅ  ＳＭコンテキスト（加入者永久ＩＤ及び／又はＰＤＵセッションＩＤを含む）メッセージをＳＭＦに転送するＡＭＦによって解除（ｒｅｌｅａｓｅ）されることができる。
【０５４２】
３．ＳＭＦは（指示を受けた）ＰＤＵセッションに割り当てられたＩＰアドレス及び／又はプレフィックス（Ｐｒｅｆｉｘ（ｅｓ））を解除し、（前記ＰＤＵセッションと）対応するユーザー平面リソースを解除する：
【０５４３】
３ａ．ＳＭＦはＮ４セッション解除要求（Ｎ４セッションＩＤを含む）のメッセージをＵＰＦに転送することができる。ＵＰＦは、前記ＰＤＵセッションの残りのパケット（ａｎｙ  ｒｅｍａｉｎｎｇ  ｐａｃｋｅｔ）を捨てて（ｄｒｏｐ）、（前記Ｎ４セッションＩＤによって識別された）Ｎ４セッションと関連した全てのトンネルリソース及びコンテキストを解除する。
【０５４４】
３ｂ．ＵＰＦはＮ４セッション解除応答（Ｎ４セッションＩＤを含む）メッセージをＳＭＦに転送して、Ｎ４セッション解除の要求を確認（ａｃｋｎｏｗｌｅｄｇｅ）する。
【０５４５】
４．ＳＭＦは、Ｎｓｍｆ＿ＰＤＵＳｅｓｓｉｏｎ＿Ｒｅｌｅａｓｅ  ＳＭコンテキスト応答のメッセージでＮｓｍｆ＿ＰＤＵＳｅｓｓｉｏｎ＿Ｒｅｌｅａｓｅ  ＳＭコンテキストメッセージに応答することができる。
【０５４６】
５．［条件付き］動的ＰＣＣ（ｐｒｉｍａｒｙ  ｃｏｍｐｏｎｅｎｔ  ｃａｒｒｉｅｒ）が、このセッション（即ち、削除対象のセッション）に適用されると、ＳＭＦは、Ｎｐｃｆ＿ＰｏｌｉｃｙＣｏｎｔｒｏｌ＿ＰｏｌｉｃｙＤｅｌｅｔｅサービス動作を呼び出してＰＤＵ（ＣＡＮ）セッションを削除する。
【０５４７】
６．［条件付き］（登録解除を要求した）ＵＥがＰＣＦと関連している場合（Ｉｆ  ｔｈｅｒｅ  ｉｓ  ａｎｙ  ａｓｓｏｃｉａｔｉｏｎ  ｗｉｔｈ  ｔｈｅ  ＰＣＦ  ｆｏｒ  ｔｈｉｓ  ＵＥ）、ＡＭＦはＮｐｃｆ＿ＡＭＰｏｌｉｃｙＣｏｎｔｒｏｌ＿Ｄｅｌｅｔｅサービス動作を呼び出して（ｉｎｖｏｋｅ）ＰＣＦとの関連（ａｓｓｏｃｉａｔｉｏｎ）を削除する。
【０５４８】
７．［条件付き］ＡＭＦは、登録解除タイプに応じて（ｄｅｐｅｎｄｉｎｇ  ｏｎ）、ＵＥにＮＡＳメッセージ登録解除承認（Ｄｅｒｅｇｉｓｔｒａｔｉｏｎ  Ａｃｃｅｐｔ）のメッセージ（「登録解除承認」と略称可能）を転送する。即ち、登録解除タイプが「（ＵＥ）のスイッチ−オフ」であると、ＡＭＦは登録解除承認のメッセージを転送せず、そうでない場合、登録解除承認のメッセージを転送することができる。登録解除確認のメッセージは、実施例に従ってアクセスタイプを含むことができ、アクセスタイプはＵＥが登録解除されたアクセスを指示する。
【０５４９】
８．［条件付き］ＡＭＦ  ｔｏ  ＡＮ：Ｎ２  ＵＥコンテキスト解除要求（理由（ｃａｕｓｅ））
【０５５０】
もし、登録解除のためのターゲットアクセスが３ＧＰＰアクセスであるか、または３ＧＰＰアクセス及び非−３ＧＰＰアクセスであり、ＮＧ−ＲＡＮへのＮ２シグナリングの連結が存在する場合、ＡＭＦは登録解除に設定された理由を有するＮ２  ＵＥ解除の命令をＲＡＮに転送して、Ｎ２シグナリングの連結を解除する。これに関する詳細な説明は、ＴＳ  ２３．５０２  ｖ１．２．０の４．２．６節に説明された「ＡＮ手続内でのＵＥコンテキスト解除（またはＮＡＳシグナリング連結解除手続）」の２乃至４段階または方式＃１の１１及び１２段階が参照されることができる。
【０５５１】
ＴＳ  ２３．５０２  ｖ１．２．０の４．２．６節に説明されたＡＮ手続内でのＵＥコンテキスト解除（またはＮＡＳシグナリング連結解除手続）」の２乃至４段階は、以下の通りである。
【０５５２】
−−−ＴＳ  ２３．５０２  ｖ１．２．０  ４．２．６節−−−
【０５５３】
２．ＡＭＦ  ｔｏ（Ｒ）ＡＮ：ＡＭＦがＮ２  ＵＥコンテキスト解除要求のメッセージを受信したり、内部のＡＭＦイベントにより、ＡＭＦはＮ２  ＵＥコンテキスト解除の命令（理由を含む）を（Ｒ）ＡＮに転送することができる。理由は、（Ｒ）ＡＮで解除を要求した理由またはＡＭＦの内部イベントによる理由のいずれか一つを指示する。
【０５５４】
３．［条件付き］ＵＥとの（Ｒ）ＡＮ連結（例えば、ＲＲＣ連結またはＮＷｕ接続）がまだ解除されていない場合、（Ｒ）ＡＮはＵＥに（Ｒ）ＡＮ連結を解除するように要求する。ＵＥから（Ｒ）ＡＮ連結解除の確認（ｒｅｌｅａｓｅ  ｃｏｎｆｉｒｍａｔｉｏｎ）を受信すると、（Ｒ）ＡＮは、ＵＥのコンテキストを削除する。
【０５５５】
４．（Ｒ）ＡＮはＡＭＦにＮ２  ＵＥコンテキスト解除完了（活性化されたＮ３ユーザー平面を有するＰＤＵセッションＩＤリストを含む）のメッセージをリターンすることで、Ｎ２解除を確認（ｃｏｎｆｉｒｍ）する。ＰＤＵセッションＩＤのリストは、ＵＥの（Ｒ）ＡＮによってサービングされるＰＤＵセッションを指示する。ＵＥに対するＡＭＦと（Ｒ）ＡＮとの間のＮ２シグナリングの連結が解除される。（Ｒ）ＡＮは、ページングのために推薦されたセル／ＴＡ／ＮＧ−ＲＡＮノード識別子のリストをＡＭＦに提供する。本段階は、２段階以降に直ちに遂行されなければならない。即ち、例えば、ＵＥがＲＲＣ連結解除を確認応答（ａｃｋｎｏｗｌｅｄｇｅ）しない場合には、遅延されてはならない。
【０５５６】
−−−−−−
【０５５７】
もし、登録解除のためのターゲットアクセスが非−３ＧＰＰアクセスであるか、または３ＧＰＰアクセス及び非−３ＧＰＰアクセスのすべてであり、Ｎ３ＩＷＦにＮ２シグナリングの連結がある場合、ＡＭＦは登録解除に設定された理由を有するＮ２  ＵＥ解除の命令をＮ３ＩＷＦに転送してＮ２シグナリングの連結を解除する。これに関する詳細な説明は、ＴＳ  ２３．５０２  ｖ１．２．０の４．１２．３節に説明された「信頼できない非−３ＧＰＰアクセスに対する登録解除手続」の２乃至５段階または方式＃１の１３及び１４段階が参照されることができる。
【０５５８】
ＴＳ  ２３．５０２  ｖ１．２．０の４．１２．３節に説明された「信頼できない非−３ＧＰＰアクセスに対する登録解除手続」内での２乃至５段階は、以下の通りである。
【０５５９】
−−−ＴＳ  ２３．５０２  ｖ１．２．０  ４．２．６節−−−
【０５６０】
２．ＡＭＦは、Ｎ３ＩＷＦにＮ２  ＵＥコンテキスト解除命令のメッセージを送る。
【０５６１】
３．Ｎ３ＩＷＦはＵＥに情報交換（ペイロード削除）のメッセージを送る。ペイロードの削除は、ＩＫＥ（Ｉｎｔｅｒｎｅｔ  Ｋｅｙ  Ｅｘｃｈａｎｇｅ）ＳＡの解除を指示するために含まれる。
【０５６２】
４．ＵＥは、ＩＫＥ  ＳＡの解除を確認（ａｃｋｎｏｗｌｅｄｇｅ）するために、空の情報交換（ＩＮＦＯＲＭＡＴＩＯＮＡＬ  ＥＸＣＨＡＮＧＥ）のメッセージを送る。Ｎ３ＩＷＦ（Ｎ３トンネルＩｄ）にＩＫＥｖ２トンネル（および関連するＩＰＳｅｃリソース）及びローカルＵＥコンテキストを含んで非−３ＧＰＰアクセスの特定のリソースが解除される。
【０５６３】
５．Ｎ３ＩＷＦは、Ｎ２  ＵＥコンテキスト解除完了（Ｃｏｎｔｅｘｔ  Ｒｅｌｅａｓｅ  Ｃｏｍｐｌｅｔｅ）のメッセージをＡＭＦに転送することにより、Ｎ２  ＵＥコンテキスト解除命令のメッセージに対して確認応答（ａｃｋｎｏｗｌｅｄｇｅ）する。
【０５６４】
−−−−−−
【０５６５】
ロ．方式＃３の変形の実施例：ネットワーク−開始登録解除手続
【０５６６】
図１９は、本発明の一実施例に係るネットワーク−開始登録解除手続を例示する。
【０５６７】
ＡＭＦは、明示的（例えば、Ｏ＆Ｍ（Ｏｐｅｒａｔｉｏｎ  ａｎｄ  ｍａｉｎｔｅｎａｎｃｅ）介入（ｉｎｔｅｒｖｅｎｔｉｏｎ））または暗示的（例えば、暗示的登録解除タイマーの満了）に登録解除手続を開始することができる。ＵＤＭは、加入者のＲＭコンテキスト及びＵＥのＰＤＵセッションの削除（ｒｅｍｏｖａｌ）を要求する運営者−決定（ｏｐｅｒａｔｏｒ−ｄｅｔｅｒｍｉｎｅｄ）の目的のために登録解除手続をトリガリングすることができる。
【０５６８】
１．［条件付き］万が一、ＵＤＭが加入者のＲＭコンテキスト及びＰＤＵセッションのすぐ削除を要求しようとする場合、ＵＤＭは削除／削除の理由が加入情報の削除（Ｓｕｂｓｃｒｉｐｔｉｏｎ  ｗｉｔｈｄｒａｗｎ）に設定されたＮｕｄｍ＿ＵＥコンテキスト管理＿削除通知要求（Ｎｕｄｍ＿ＵＥ  Ｃｏｎｔｅｘｔ  Ｍａｎａｇｅｍｅｎｔ＿ＲｅｍｏｖｅＮｏｔｉｆｉｃａｔｉｏｎ  Ｒｅｑｕｅｓｔ）（ＳＵＰＩ及び／又は削除の理由を含む）のメッセージを登録されたＡＭＦに転送することができる。Ｎｕｄｍ＿ＵＥコンテキスト管理＿削除通知の要求は、Ｎｕｄｍ＿ＵＥコンテキスト管理＿登録解除通知の要求と指称されることができる。
【０５６９】
２．ＡＭＦが１段階で「加入者情報の削除」の削除理由を有するＮｕｄｍ＿ＵＥコンテキスト管理＿削除通知要求のメッセージを受信した場合、ＡＭＦはＵＥが登録された全てのアクセスに対する登録解除手続を実行する。
【０５７０】
ＡＭＦ−開始登録解除手続は、明示的（例えば、Ｏ＆Ｍの介入によって）、または暗示的であり得る。ＡＭＦは、暗示的登録解除のために登録解除要求のメッセージをＵＥに転送しない。ＵＥがＣＭ−ＣＯＮＮＥＣＴＥＤ状態にあれば、ＡＭＦは登録解除要求（登録解除タイプ及び／又はアクセスタイプを含む）のメッセージをＵＥに転送することによりＵＥを明示的に登録解除することができる。登録解除タイプは再登録（ｒｅ−ｒｅｇｉｓｔｒａｔｉｏｎ）に設定されることができ、この場合、ＵＥは、登録解除手続の最後に再登録しなければならない（例えば、孤立したスライスの再配置が必要な場合（ｓｌｉｃｅ  ｒｅｌｏｃａｔｉｏｎ  ｆｏｒ  ｉｓｏｌａｔｅｄ  ｃａｓｅ））。アクセスタイプは、登録解除が「３ＧＰＰアクセスまたは非−３ＧＰＰアクセスのいずれか一つ」に適用されるか、または「二つとも」に適用されるかを指示する。万が一、ＵＤＭから削除の理由として「加入者情報の削除」の指示を受けた場合、ＡＭＦは、全てのアクセスをターゲットアクセスとして指示する登録解除要求のメッセージをＵＥに転送することができる。
【０５７１】
登録解除要求のメッセージが３ＧＰＰアクセスを介して転送されて、ＵＥが３ＧＰＰアクセスでＣＭ−ＩＤＬＥ状態である場合、ＡＭＦはＵＥをページングする（ｔｈｅ  ＡＭＦ  ｐａｇｅｓ  ｔｈｅ  ＵＥ）（即ち、ＵＥにページング（要求）のメッセージを転送）。これは、ＵＥをＣＭ−ＩＤＬＥ状態からＣＭ−ＣＯＮＮＥＣＴＥＤ状態に遷移させ、登録解除手続を進行し続けるためである。
【０５７２】
３．［条件付き］登録解除手続がＵＤＭによってトリガーされると（１段階）、ＡＭＦはＮｕｄｍ＿ＵＥコンテキスト管理＿削除通知応答（ＳＵＰＩ及び／又はアクセスタイプを含む）メッセージを用いてＵＤＭに確認応答（ａｃｋｎｏｗｌｅｄｇｅ）する。Ｎｕｄｍ＿ＵＥコンテキスト管理＿削除通知応答は、Ｎｕｄｍ＿ＵＥコンテキスト管理＿登録解除通知応答と指称されることができる。
【０５７３】
４．［条件付き］ＵＥが２段階で指示を受けた登録解除に対するターゲットアクセスに対して任意の確立されたＰＤＵセッションを有する場合、図１８の実施例の２乃至５段階が遂行されることができる。
【０５７４】
５．［条件付き］ＵＥがＰＣＦと関連している場合（Ｉｆ  ｔｈｅｒｅ  ｉｓ  ａｎｙ  ａｓｓｏｃｉａｔｉｏｎ  ｗｉｔｈ  ｔｈｅ  ＰＣＦ  ｆｏｒ  ｔｈｉｓ  ＵＥ）、ＡＭＦはＮｐｃｆ＿ＡＭＰｏｌｉｃｙＣｏｎｔｒｏｌ＿Ｄｅｌｅｔｅサービスの動作を呼び出して（ｉｎｖｏｋｅ）ＰＣＦとの関連（ａｓｓｏｃｉａｔｉｏｎ）を解除／削除する。
【０５７５】
６．［条件付き］ＵＥが２段階でＡＭＦから登録解除要求のメッセージを受信すると、ＵＥは、２段階以降に、いつでもＡＭＦに登録解除承認のメッセージを転送することができる。このとき、登録解除確認のメッセージには、登録解除されたアクセスを指示するアクセスタイプが含まれているかそうでないことがある。ＲＡＮは、ＵＥが用いているセルのＴＡＩ及びセル識別子と共に、このＮＡＳメッセージをＡＭＦに伝達（ｆｏｒｗａｒｄ）することができる。
【０５７６】
７．［条件付き］ＡＭＦ  ｔｏ  ＡＮ：Ｎ２  ＵＥコンテキスト解除要求（理由（ｃａｕｓｅ））
【０５７７】
もし、登録解除のためのターゲットアクセスが３ＧＰＰアクセスであるか、または３ＧＰＰアクセス及び非−３ＧＰＰアクセスであり、ＮＧ−ＲＡＮへのＮ２シグナリングの連結が存在する場合、ＡＭＦは登録解除に設定された理由を有するＮ２  ＵＥ解除の命令をＲＡＮに転送して、Ｎ２シグナリングの連結を解除する。これに関する詳細な説明は、前記で詳述したＴＳ  ２３．５０２  ｖ１．２．０の４．２．６節に説明された「ＡＮ手続内でのＵＥコンテキスト解除（またはＮＡＳシグナリング連結解除手続）」の２乃至４段階または方式＃１の１１及び１２段階が参照されることができる。
【０５７８】
もし、登録解除のためのターゲットアクセスが非−３ＧＰＰアクセスであるか、または３ＧＰＰアクセス及び非−３ＧＰＰアクセスの全てであり、Ｎ３ＩＷＦにＮ２シグナリングの連結がある場合には、ＡＭＦは登録解除に設定された理由を有するＮ２  ＵＥ解除の命令をＮ３ＩＷＦに転送して、Ｎ２シグナリングの連結を解除する。これに関する詳細な説明は、ＴＳ  ２３．５０２  ｖ１．２．０の４．１２．３節に説明された「信頼できない非−３ＧＰＰアクセスに対する登録解除手続」の２乃至５段階または方式＃１の１３及び１４段階が参照されることができる。
【０５７９】
前述した方式＃２が適用される場合、ＴＳ  ２３．５０２  ｖ１．２．０のＵＤＭサービスに関する節は、下記のように修正／反映されることができる。
【０５８０】
５．２．３  ＵＤＭサービス
【０５８１】
５．２．３．１一般
【０５８２】
以下の表２は、ＵＤＭサービス（特に、ＵＤＭによって提供されるＮＦサービス）を例示する。
【０５８３】
【表２】
2020120415.tif 000005
【０５８４】
５．２．３．２．２  Ｎｕｄｍ＿ＵＥコンテキスト管理＿削除通知（またはＮｕｄｍ＿ＵＥコンテキスト管理＿登録解除通知）
【０５８５】
サービス動作名称：Ｎｕｄｍ＿ＵＥコンテキスト管理＿削除通知
【０５８６】
説明：ＵＤＭは、以前に登録されたＮＦの消費者に（Ｎｕｄｍ＿ＵＥコンテキスト管理＿登録動作を用いて）ＵＤＭでＮＦ  ＩＤが登録解除されたことを通知する。その結果、消費者は、これ以上該当ＵＥに対するサービングＮＦとしてＵＤＭに登録されない。これは、消費者がこれ以上該当ＵＥに対するサービングＮＦではないので、登録解除を要求する。
【０５８７】
知られているＮＦの消費者：ＡＭＦ、ＳＭＦ、ＳＭＳＦ
【０５８８】
インプット、必須（ｒｅｑｕｉｒｅｄ）：ＳＵＰＩ、サービングＮＦ除去の理由
【０５８９】
インプット、選択（ｏｐｔｉｏｎａｌ）：Ｎｏｎｅ
【０５９０】
アウトプット、必須：Ｎｏｎｅ
【０５９１】
アウトプット、選択：Ｎｏｎｅ
【０５９２】
このサービス動作の使用例は、４．２．２．２．２の１４ｃ段階を参照することができる。サービングＮＦ除去の理由は、消費者のＮＦに削除通知を転送する理由を知らせることができる。理由は、次のいずれか一つであり得る：
【０５９３】
−ＵＥ開始登録
【０５９４】
−ＵＥ登録領域変更
【０５９５】
−加入者情報の削除
【０５９６】
図２０は、本発明の一実施例に係るＵＥ−開始登録解除手続を例示したフローチャートである。本フローチャートについて前記方式＃１に関して詳述した図１７及び１８の実施例が同一／類似するように適用されることができ、以下で重複する説明は省略する。
【０５９７】
まず、ＡＭＦは登録解除を要求する登録解除要求のメッセージをＵＥから受信することができる（Ｓ２０１０）。このとき、転送される登録解除要求のメッセージには、登録解除タイプ情報と登録解除が適用されるターゲットアクセスを指示する第１アクセスタイプ情報が含まれていることができる。ここで、第１アクセスタイプ情報は、ターゲットアクセスが第１または第２アクセスであるか、または第１および第２アクセスであるかを指示することができる。第１アクセスは、３ＧＰＰアクセスであり、第２アクセスは、非（ｎｏｎ）−３ＧＰＰアクセスであり得る。
【０５９８】
次に、もしＵＥがターゲットアクセスを介して確立されたＰＤＵセッションを有する場合、ＡＭＦは確立されたＰＤＵセッションの解除をＳＭＦに要求することができる（Ｓ２０２０）。このため、ＡＭＦは確立されたＰＤＵセッションの解除を要求する第１メッセージ（例えば、接続解除指示のメッセージまたはＮｓｍｆ＿ＰＤＵＳｅｓｓｉｏｎ＿Ｒｅｌｅａｓｅ  ＳＭコンテキストメッセージ）をＳＭＦに転送することができる。このとき、第１メッセージはＵＥに対応する加入者永久識別子（ｓｕｂｓｃｒｉｂｅｒ  ｐｅｒｍａｎｅｎｔ  ｉｄｅｎｔｉｆｉｅｒ；ＳＵＰＩ）及び解除すべきＰＤＵセッションの識別子を含むことができる。ＳＭＦは、第１メッセージを受信すると、解除すべきＰＤＵセッションに割り当てられたＩＰ（Ｉｎｔｅｒｎｅｔ  Ｐｒｏｔｏｃｏｌ）アドレス及び／又はプレフィックス（Ｐｒｅｆｉｘ）を解除し、解除すべきＰＤＵセッションに対応するユーザー平面リソースを解除することができる。また、ＳＭＦはＮ４セッションの解除を要求するＮ４セッション解除要求のメッセージをＵＰＦに転送することができ、ＵＰＦはＮ４セッション解除要求のメッセージを受信すると、Ｎ４セッションと関連した全てのトンネルリソース及びコンテキストを解除することができる。
【０５９９】
次に、ＡＭＦは登録解除タイプに基づいて（ｄｅｐｅｎｄｉｎｇ  ｏｎ）、登録解除承認（ａｃｃｅｐｔ）のメッセージをＵＥに転送することができる（Ｓ２０３０）。登録解除タイプ情報は、前記登録解除の要求が、前記ＵＥの電源オフ（ｓｗｉｔｃｈ−ｏｆｆ）によるものであるか否かを指示することができる。もし、登録解除タイプ情報が登録解除の要求がＵＥの電源オフ（ｓｗｉｔｃｈ−ｏｆｆ）によるものであることを指示する場合、登録解除承認のメッセージを転送せずに、登録解除タイプ情報が登録解除の要求がＵＥの電源オフ（ｓｗｉｔｃｈ−ｏｆｆ）によるものであることを指示しない場合、登録解除承認のメッセージを転送することができる。登録解除承認のメッセージは、ＵＥが登録解除されたアクセスを指示する第２アクセスタイプ情報を含むことができる。  
万一、ターゲットアクセスが３ＧＰＰアクセスであるか、３ＧＰＰアクセス及び非−３ＧＰＰアクセスであり、ＵＥと（Ｒ）ＡＮとの間のＮ２シグナリングの連結が存在する場合、ＡＭＦはＮ２シグナリングの連結を解除するために登録解除に理由が設定されたＮ２  ＵＥ解除の命令を（Ｒ）ＡＮに転送することができる。または、万が一、ターゲットアクセスが非−３ＧＰＰアクセスであるか、または３ＧＰＰアクセス及び非−３ＧＰＰアクセスであり、ＵＥとＮ３ＩＷＦ間のＮ２シグナリングの連結が存在する場合、ＡＭＦはＮ２  シグナリングの連結を解除するために登録解除に理由が設定されたＮ２  ＵＥ解除の命令をＮ３ＩＷＦに転送することができる。
【０６００】
一方、ＵＥと連係したＰＣＦが存在する場合、ＡＭＦはＵＥとＰＣＦとの間の連係を削除するための動作（ｏｐｅｒａｔｉｏｎ）（例えば、Ｎｐｃｆ＿ＡＭＰｏｌｉｃｙＣｏｎｔｒｏｌ＿Ｄｅｌｅｔｅサービス動作）を呼び出す（ｉｎｖｏｋｅ）ことができる。
【０６０１】
図２１は、本発明の一実施例に係るネットワーク−開始登録解除手続を例示したフローチャートである。本フローチャートについて前記方式＃３に関して詳述した図１９の実施例が同一／類似するように適用されることができ、以下で重複する説明は省略する。
【０６０２】
まず、ＡＭＦはＵＤＭから加入者情報の削除と設定された削除の理由を有する第１メッセージ（例えば、位置取消の要求またはＮｕｄｍ＿ＵＥコンテキスト管理＿削除通知要求）を受信することができる（Ｓ２１１０）。このようにＵＤＭによって転送された第１メッセージによってＵＥが登録されたアクセスに対する登録解除手続がトリガリングされることができる。また、実施例に従って、第１メッセージは、ＵＥの加入者永久識別子（ｓｕｂｓｃｒｉｂｅｒ  ｐｅｒｍａｎｅｎｔ  ｉｄｅｎｔｉｆｉｅｒ；ＳＵＰＩ）をさらに含むことができる。
【０６０３】
次に、ＡＭＦは登録解除を要求する登録解除要求のメッセージをＵＥに転送することができる（Ｓ２１２０）。登録解除は、第１メッセージを介してＵＤＭから受信した削除の理由がＵＥの加入者情報の削除を指示する場合、ＵＥが登録された全てのアクセスに対して遂行されることができる。登録解除要求のメッセージは、登録解除が適用されるターゲットアクセスを指示するアクセスタイプ情報を含むことができる。アクセスタイプ情報は、ターゲットアクセスが第１または第２アクセスであるか、または第１および第２アクセスであるか否かを指示することができる。ここで、第１アクセスは３ＧＰＰアクセスであり、第２アクセスは非−３ＧＰＰアクセスであり得る。
【０６０４】
もし、登録解除要求のメッセージが３ＧＰＰアクセスを介して転送され、ＵＥが３ＧＰＰアクセスでＣＭ−ＩＤＬＥ状態である場合、ＡＭＦはＵＥをページングすることができる。または、ターゲットアクセスが、前記３ＧＰＰアクセスであるか、３ＧＰＰアクセス及び非−３ＧＰＰアクセスであり、ＵＥと（Ｒ）ＡＮとの間のＮ２シグナリングの連結が存在する場合、ＡＭＦはＮ２シグナリングの連結を解除するために登録解除に理由が設定されたＮ２  ＵＥ解除の命令を（Ｒ）ＡＮに転送することができる。または、ターゲットアクセスが非−３ＧＰＰアクセスであるか、３ＧＰＰアクセス及び非−３ＧＰＰアクセスであり、ＵＥとＮ３ＩＷＦとの間のＮ２シグナリングの連結が存在する場合、ＡＭＦはＮ２シグナリングの連結を解除するために登録解除に理由が設定されたＮ２  ＵＥ解除の命令をＮ３ＩＷＦに転送することができる。
【０６０５】
また、本フローチャートに示していないが、ＡＭＦは、第１メッセージに対する応答として、第１登録解除応答のメッセージをＵＤＭに転送することができ、この時、第１登録解除応答のメッセージは、ＳＵＰＩ及びアクセスタイプ情報を含むことができる。
【０６０６】
万が一、ＵＥがターゲットアクセスを介して確立されたＰＤＵセッションを有する場合、ＡＭＦは確立されたＰＤＵセッションの解除（ｒｅｌｅａｓｅ）をＳＭＦに要求することができる。このため、ＡＭＦは、確立されたＰＤＵセッションの解除を要求する第２メッセージをＳＭＦに転送することができる。このとき、第２メッセージは、ＳＵＰＩ及び解除すべきＰＤＵセッションの識別子を含むことができる。この場合、第２メッセージを受信したＳＭＦは、解除すべきＰＤＵセッションに割り当てられたＩＰアドレス及び／又はプレフィックス（Ｐｒｅｆｉｘ）を解除し、解除すべきＰＤＵセッションに対応するユーザー平面リソースを解除することができる。また、ＳＭＦはＮ４セッションの解除を要求するＮ４セッション解除要求のメッセージをＵＰＦに転送することができ、これを受信したＵＰＦは、Ｎ４セッションと関連した全てのトンネルリソース及びコンテキストを解除することができる。
【０６０７】
本発明が適用されることができる装置一般
【０６０８】
図２２は、本発明の一実施例に係る通信装置のブロック構成図を例示する。
【０６０９】
図２２を参照すると、無線通信システムは、ネットワークノード２２１０と、多数の端末（ＵＥ）２２２０を含む。本図に示された装置は、前述したネットワーク／端末機能のうち少なくとも一つの機能を遂行するように具現でき、一つ以上の機能を統合して遂行するように具現できる。
【０６１０】
ネットワークノード２２１０は、プロセッサ（ｐｒｏｃｅｓｓｏｒ）２２１１、メモリ（ｍｅｍｏｒｙ）２２１２、および通信モジュール（ｃｏｍｍｕｎｉｃａｔｉｏｎ  ｍｏｄｕｌｅ）２２１３を含む。
【０６１１】
プロセッサ２２１１は、先に提案された少なくとも一つの機能、過程、方法及び／又は本文書で提案する機能、過程及び／又は方法を具現する。また、プロセッサ２２１１は、本明細書で提案する機能、過程及び／又は方法を具現するモジュール、プログラム等がメモリ２２１２に格納され、プロセッサ２２１１によって実行されることができる。
【０６１２】
有／無線インターフェースプロトコルの層は、プロセッサ２２１１によって具現できる。また、プロセッサ２２１１は、本文書で提案する様々な実施例で説明した事項が独立して適用されるか、または２以上の実施例が同時に適用されるように具現できる。
【０６１３】
メモリ２２１２は、プロセッサ２２１１と連結されて、プロセッサ２２１１を駆動するための様々な情報を格納する。メモリ２２１２は、プロセッサ２２１１の内部または外部にあってもよく、よく知られている様々な手段でプロセッサ２２１１と連結されてもよい。
【０６１４】
通信モジュール２２１３は、プロセッサ２２１１と連結されて、有／無線信号を送信及び／又は受信する。ネットワークノード２２１０の一例として、基地局、ＭＭＥ、ＨＳＳ、ＳＧＷ、ＰＧＷ、ＳＣＥＦ、ＳＣＳ／ＡＳ、ＡＵＳＦ、ＡＭＦ、ＰＣＦ、ＳＭＦ、ＵＤＭ、ＵＰＦ、ＡＦ、（Ｒ）ＡＮ、ＵＥ、ＮＥＦ、ＮＲＦ、ＵＤＳＦ及び／又はＳＤＳＦなどが存在し得る。特に、ネットワークノード２２１０が基地局である場合（または（Ｒ）ＡＮ機能を遂行するように具現される場合）、通信モジュール２２１３は、無線信号を送／受信するためのＲＦ部（ｒａｄｉｏ  ｆｒｅｑｕｅｎｃｙ  ｕｎｉｔ）を含むことができる。このとき、ネットワークノード２２１０は、一つのアンテナ（ｓｉｎｇｌｅ  ａｎｔｅｎｎａ）、または多重アンテナ（ｍｕｌｔｉｐｌｅ  ａｎｔｅｎｎａ）を有することができる。
【０６１５】
端末２２２０は、プロセッサ２２２１、メモリ２２２２及び通信モジュール（またはＲＦ部）２２２３を含む。プロセッサ２２２１は、先に提案された少なくとも一つの機能、過程、方法及び／又は本文書で提案する機能、過程及び／又は方法を具現する。また、プロセッサ２２２１は、本文書で提案する機能、過程及び／又は方法を具現するモジュール、プログラムなどがメモリに格納され、プロセッサ２２２１によって実行されることができる。
【０６１６】
有／無線インターフェースプロトコルの層は、プロセッサ２２２１によって具現できる。また、プロセッサ２２２１は、本文書で提案する様々な実施例で説明した事項が、独立して適用されるか、または２以上の実施例が同時に適用されるように具現できる。
【０６１７】
メモリ２２２２は、プロセッサ２２２１と連結され、プロセッサ２２２１を駆動するための様々な情報を格納する。メモリ２２２２は、プロセッサ２２２１の内部または外部にあってもよく、よく知られている様々な手段でプロセッサ２２２１と連結されてもよい。通信モジュール２２２３は、プロセッサ２２２１と連結され、有／無線信号を送信及び／又は受信する。
【０６１８】
メモリ２２１２、２２２２は、プロセッサ２２１１、２２２１の内部または外部にあってもよく、よく知られている様々な手段でプロセッサ２２１１、２２２１と連結されてもよい。また、ネットワークノード２２１０（基地局である場合）、及び／又は端末２２２０は、一つのアンテナ（ｓｉｎｇｌｅ  ａｎｔｅｎｎａ）、または多重アンテナ（ｍｕｌｔｉｐｌｅ  ａｎｔｅｎｎａ）を有することができる。
【０６１９】
図２２は、本発明の一実施例に係る通信装置のブロック構成図を例示する。
【０６２０】
特に、図２３では、前記図２２の端末をより詳細に例示する図である。
【０６２１】
図２３を参照すると、端末は、プロセッサ（またはデジタル信号プロセッサ（ＤＳＰ：ｄｉｇｉｔａｌ  ｓｉｇｎａｌ  ｐｒｏｃｅｓｓｏｒ）２３１０、ＲＦモジュール（ＲＦ  ｍｏｄｕｌｅ）（またはＲＦユニット）２３３５、パワー管理モジュール（ｐｏｗｅｒ  ｍａｎａｇｅｍｅｎｔ  ｍｏｄｕｌｅ）２３０５、アンテナ（ａｎｔｅｎｎａ）２３４０、バッテリー（ｂａｔｔｅｒｙ）２３５５、ディスプレイ（ｄｉｓｐｌａｙ）２３１５、キーパッド（ｋｅｙｐａｄ）２３２０、メモリ（ｍｅｍｏｒｙ）２３３０、ＳＩＭカード（ＳＩＭ（Ｓｕｂｓｃｒｉｂｅｒ  Ｉｄｅｎｔｉｆｉｃａｔｉｏｎ  Ｍｏｄｕｌｅ  ）ｃａｒｄ）２３２５（この構成は選択的である）、スピーカー（ｓｐｅａｋｅｒ）２３４５、及びマイクロフォン（ｍｉｃｒｏｐｈｏｎｅ）２３５０を含んで構成されることができる。端末はまた、単一のアンテナまたは多重のアンテナを含むことができる。
【０６２２】
プロセッサ２３１０は、先に提案された機能、過程及び／又は方法を具現する。無線インターフェースプロトコルの層は、プロセッサ２３１０によって具現できる。
【０６２３】
メモリ２３３０は、プロセッサ２３１０と連結され、プロセッサ２３１０の動作と関連した情報を格納する。メモリ２３３０は、プロセッサ２３１０の内部または外部にあってもよく、よく知られている様々な手段でプロセッサ２３１０と連結されてもよい。
【０６２４】
ユーザーは、例えば、キーパッド２３２０のボタンを押すか（あるいはタッチするか、）またはマイクロフォン２３５０を用いた音声駆動（ｖｏｉｃｅ  ａｃｔｉｖａｔｉｏｎ）によって電話番号などのような命令情報を入力する。プロセッサ２３１０は、このような命令情報を受信し、電話番号に電話をかけるなど、適切な機能を遂行するように処理する。駆動上のデータ（ｏｐｅｒａｔｉｏｎａｌ  ｄａｔａ）は、ＳＩＭカード２３２５またはメモリ２３３０から抽出することができる。また、プロセッサ２３１０は、ユーザーが認知し、また便宜のために、命令情報または駆動情報をディスプレイ２３１５上にディスプレイすることができる。
【０６２５】
ＲＦモジュール２３３５は、プロセッサ２３１０に連結されて、ＲＦ信号を送信及び／又は受信する。プロセッサ２３１０は、通信を開始するために、例えば、音声通信データを構成する無線信号を転送するように命令情報をＲＦモジュール２３３５に伝達する。ＲＦモジュール２３３５は、無線信号を受信および送信するために受信機（ｒｅｃｅｉｖｅｒ）と送信機（ｔｒａｎｓｍｉｔｔｅｒ）で構成される。アンテナ２３４０は、無線信号を送信および受信する機能をする。無線信号を受信するとき、ＲＦモジュール２３３５は、プロセッサ２３１０によって処理するために信号を伝達して、基底帯域に信号を変換することができる。処理された信号は、スピーカー２３４５を介して出力される可聴または可読情報に変換されることができる。
【０６２６】
以上で説明された実施例は、本発明の構成要素と特徴が所定の形態で結合されたものである。各構成要素または特徴は、別の明示的な言及がない限り、選択的なものと考慮されなければならない。各構成要素または特徴は、他の構成要素や特徴と結合されていない形態で実施されることができる。また、一部の構成要素及び／又は特徴を結合して、本発明の実施例を構成することも可能である。本発明の実施例で説明される動作の順序は変更されることができる。ある実施例の一部構成や特徴は、他の実施例に含まれてもよく、または他の実施例の対応する構成または特徴と交換してもよい。特許請求範囲で明示的な引用関係がない請求項を結合して、実施例を構成したり、出願後の補正により新たな請求項に含ませることができることは自明である。
【０６２７】
また、本明細書で「Ａ及び／又はＢ」は、「Ａおよび（または）Ｂのうちの少なくとも一つ」を意味するものと解釈されることができる。
【０６２８】
本発明に係る実施例は、様々な手段、例えば、ハードウェア、ファームウェア（ｆｉｒｍｗａｒｅ）、ソフトウェアまたはそれらの結合などにより具現できる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現できる。
【０６２９】
ファームウェアやソフトウェアによる具現の場合、本発明の一実施例は、以上で説明された機能または動作を遂行するモジュール、手続、関数などの形態で具現できる。ソフトウェアのコードは、メモリに格納され、プロセッサによって駆動されることができる。前記メモリは、前記プロセッサの内部または外部に位置し、既に公知となった多様な手段により、前記プロセッサとデータをやり取りすることができる。
【０６３０】
本発明は、本発明の必須的特徴を逸脱しない範囲で他の特定の形態で具体化されることができることは当業者にとって自明である。したがって、前述した詳細な説明は、全ての面で制限的に解釈されてはならず、例示的なものと考慮されるべきである。本発明の範囲は、添付された請求項の合理的解釈によって決定されるべきであり、本発明の等価的範囲内での全ての変更は、本発明の範囲に含まれる。
【産業上の利用可能性】
【０６３１】
本発明は、３ＧＰＰ  ＬＴＥ／ＬＴＥ−Ａ／５Ｇ（ＮｅｘｔＧｅｎ）システムに適用される例を中心に説明したが、３ＧＰＰ  ＬＴＥ／ＬＴＥ−Ａ／５Ｇ（ＮｅｘｔＧｅｎ）システム以外にも、様々な無線通信システムに適用することが可能である。
【図１】
2020120415.tif 000006
【図２】
2020120415.tif 000007
【図３】
2020120415.tif 000008
【図４】
2020120415.tif 000009
【図５】
2020120415.tif 000010
【図６】
2020120415.tif 000011
【図７】
2020120415.tif 000012
【図８】
2020120415.tif 000013
【図９】
2020120415.tif 000014
【図１０】
2020120415.tif 000015
【図１１】
2020120415.tif 000016
【図１２】
2020120415.tif 000017
【図１３】
2020120415.tif 000018
【図１４】
2020120415.tif 000019
【図１５】
2020120415.tif 000020
【図１６】
2020120415.tif 000021
【図１７】
2020120415.tif 000022
【図１８】
2020120415.tif 000023
【図１９】
2020120415.tif 000024
【図２０】
2020120415.tif 000025
【図２１】
2020120415.tif 000026
【図２２】
2020120415.tif 000027
【図２３】
2020120415.tif 000028
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
アクセス及び移動性管理機能（ＡＭＦ）が、無線通信システムにおいてＡＭＦ−開始登録解除手続を実行する方法おいて、
統合されたデータ管理（ＵＤＭ）から、加入者の登録管理（ＲＭ）コンテキスト及び端末（ＵＥ）の少なくとも１つのプロトコルデータユニット（ＰＤＵ）セッションの削除を要求するための第１メッセージを受信するステップであって、前記第１メッセージは、（ｉ）前記削除の理由に関する第１情報、及び（ｉｉ）アクセスタイプに関する第２情報を含み、前記アクセスタイプに関する第２情報は、３ＧＰＰアクセス及び非−３ＧＰＰアクセスの一方又は両方に関連する、ステップと、
前記ＵＥの加入者情報の削除が設定された前記削除の理由に関する前記第１情報に基づいて、ＡＭＦ−開始登録解除手続を実行するステップであって、前記ＡＭＦ−開始登録解除手続は、前記第２情報が関連する１つのアクセス又は両方のアクセス上で実行される、ステップと、
を含み、
前記ＡＭＦ−開始登録解除手続は、登録解除を要求するための第２メッセージを前記ＵＥに送信することを含み、前記第２メッセージはアクセスタイプに関する第３情報を含み、
前記アクセスタイプに関する第３情報は、前記ＡＭＦ−開始登録解除手続が適用される前記１つのアクセス又は前記両方のアクセスに関連する、方法。
【請求項２】
前記ＡＭＦ−開始登録解除手続は、Ｎ２シグナリングの連結を解除するための第３メッセージを無線接続ネットワーク（ＲＡＮ）に送信することを更に含み、前記第３メッセージは、前記登録解除に設定された理由に対する情報を含み、
前記第３メッセージは、（ｉ）前記ＡＭＦ−開始登録解除手続が少なくとも前記３ＧＰＰアクセス上で実行されること、及び（ｉｉ）前記ＵＥと前記ＲＡＮとの間の前記Ｎ２シグナリングの連結が存在することに基づいて送信される、請求項１に記載の方法。
【請求項３】
前記ＡＭＦ−開始登録解除手続は、明示的又は暗示的のいずれかであり、
明示的である前記ＡＭＦ−開始登録解除手続に基づいて、前記ＡＭＦ−開始登録解除手続がＯ＆Ｍ介入により実行される、請求項１に記載の方法。
【請求項４】
前記３ＧＰＰアクセスを介して送信される登録解除の要求のメッセージ、及び前記ＵＥが前記３ＧＰＰアクセスにおいて連結管理（ＣＭ）−ＩＤＬＥ状態であることに基づいて、前記ＵＥをページングするステップをさらに含む、請求項１に記載の方法。
【請求項５】
前記第１メッセージは、前記ＵＥの加入者永久識別子（ＳＵＰＩ）をさらに含む、請求項１に記載の方法。
【請求項６】
前記第１メッセージに対する応答として、第１登録解除応答のメッセージを前記ＵＤＭに送信するステップをさらに含む、請求項１に記載の方法。
【請求項７】
確立されたＰＤＵセッションを解除することをセッション管理機能（ＳＭＦ）に要求するステップをさらに含む、請求項６に記載の方法。
【請求項８】
前記確立されたＰＤＵセッションの解除を要求するステップは、前記確立されたＰＤＵセッションの解除を要求するための第４メッセージを前記ＳＭＦに送信するステップを含む、請求項７に記載の方法。
【請求項９】
前記第４メッセージは、前記ＳＵＰＩ及び解除すべきＰＤＵセッションの識別子を含む、請求項８に記載の方法。
【請求項１０】
前記ＳＭＦは、前記解除すべきＰＤＵセッションに割り当てられたＩＰアドレス又はプレフィックスを解除し、前記解除すべきＰＤＵセッションに対応するユーザー平面リソースを解除するネットワークエンティティである、請求項７に記載の方法。
【請求項１１】
前記ＳＭＦは、Ｎ４セッションの解除を要求するためのＮ４セッション解除要求のメッセージをユーザー平面機能（ＵＰＦ）に送信するネットワークエンティティであり、
前記ＵＰＦは、前記Ｎ４セッションに関する全てのトンネルリソース及びコンテキストを解除するネットワークエンティティである、請求項７に記載の方法。
【請求項１２】
無線通信システムにおいてアクセス及び移動性管理機能（ＡＭＦ）−開始登録解除手続を実行するＡＭＦにおいて、
送受信器と、
少なくとも１つのプロセッサと、
前記少なくとも１つのプロセッサと動作可能に接続可能な少なくとも１つのコンピュータメモリと、を含み、
前記少なくとも１つのコンピュータメモリは、前記少なくとも１つのプロセッサにより実行されるとき、
前記送受信器を介して、統合されたデータ管理（ＵＤＭ）から、加入者の登録管理（ＲＭ）コンテキスト及び端末（ＵＥ）の少なくとも１つのプロトコルデータユニット（ＰＤＵ）セッションの削除を要求するための第１メッセージを受信し、前記第１メッセージは、（ｉ）前記削除の理由に関する第１情報、及び（ｉｉ）アクセスタイプに関する第２情報を含み、前記アクセスタイプに関する第２情報は、３ＧＰＰアクセス及び非−３ＧＰＰアクセスの一方又は両方に関連し、
前記ＵＥの加入者情報の削除が設定された前記削除の理由に関する前記第１情報に基づいて、前記ＡＭＦ−開始登録解除手続を実行し、前記ＡＭＦ−開始登録解除手続は、前記第２情報が関連する１つのアクセス又は両方のアクセス上で実行されることを含む動作を実行する命令を格納し、
前記ＡＭＦ−開始登録解除手続は、前記送受信器を介して、登録解除を要求するための第２メッセージを前記ＵＥに送信することを含み、前記第２メッセージはアクセスタイプに関する第３情報を含み、
前記アクセスタイプに関する第３情報は、前記ＡＭＦ−開始登録解除手続が適用される前記１つのアクセス又は前記両方のアクセスに関連する、ＡＭＦ。
【請求項１３】
前記ＡＭＦ−開始登録解除手続は、Ｎ２シグナリングの連結を解除するための第３メッセージを無線接続ネットワーク（ＲＡＮ）に送信することを更に含み、前記第３メッセージは、前記登録解除に設定された理由に対する情報を含み、
前記第３メッセージは、（ｉ）前記ＡＭＦ−開始登録解除手続が少なくとも前記３ＧＰＰアクセス上で実行されること、及び（ｉｉ）前記ＵＥと前記ＲＡＮとの間の前記Ｎ２シグナリングの連結が存在することに基づいて送信される、請求項１２に記載のＡＭＦ。
【請求項１４】
前記ＡＭＦ−開始登録解除手続は、明示的又は暗示的のいずれかであり、
明示的である前記ＡＭＦ−開始登録解除手続に基づいて、前記ＡＭＦ−開始登録解除手続がＯ＆Ｍ介入により実行される、請求項１２に記載のＡＭＦ。
【請求項１５】
前記ＡＭＦ−開始登録解除手続は、前記３ＧＰＰアクセスを介して送信される登録解除の要求のメッセージ、及び前記ＵＥが前記３ＧＰＰアクセスにおいて連結管理（ＣＭ）−ＩＤＬＥ状態であることに基づいて、前記ＵＥをページングすることをさらに含む、請求項１２に記載のＡＭＦ。
【請求項１６】
前記第１メッセージは、前記ＵＥの加入者永久識別子（ＳＵＰＩ）をさらに含む、請求項１２に記載のＡＭＦ。